(57)【要約】  本発明は受動光ネットワークシステムのデータ処理方法、装置及び受動光ネットワークシステムを提供し、該方法は、第１時間ウィンドウ内で、登録済みで動作状態にある第１光ネットワークユニットに第１部分帯域幅を割り当てるステップと、第１部分帯域幅の対応する時間内に第１光ネットワークユニットからの第１データフレームを受信し、第１時間ウィンドウ内で、登録を完了していない第２光ネットワークユニットからの第２データフレームを検出するステップと、を含み、それにより、関連技術に係る受動光ネットワークシステムの光ネットワークユニットの登録中にクワイエットウインドウによる受動光ネットワークシステムの伝送遅延のため、モバイルサービスをベアラする低遅延用件を満たすことができない問題を解決し、受動光ネットワークシステムの伝送遅延を減らし、モバイルサービスをベアラする低遅延用件を満たす効果を達成する。【選択図】図３
2022502906.tif 000002
【特許請求の範囲】
【請求項１】
受動光ネットワークシステムのデータ処理方法であって、
第１時間ウィンドウ内で、登録済みで動作状態にある第１光ネットワークユニットに第１部分帯域幅を割り当てるステップと、
前記第１部分帯域幅の対応する時間内に前記第１光ネットワークユニットからの第１データフレームを受信し、前記第１時間ウィンドウ内で、登録を完了していない第２光ネットワークユニットからの第２データフレームを検出するステップと、を含む受動光ネットワークシステムのデータ処理方法。
【請求項２】
前記第１時間ウィンドウ内で前記第２光ネットワークユニットからの前記第２データフレームを検出するステップは、
前記第１時間ウィンドウ内の前記第１部分帯域幅を除く第２部分帯域幅内で前記第２光ネットワークユニットからの前記第２データフレームを検出するステップを含む、請求項１に記載の方法。
【請求項３】
前記第１時間ウィンドウの対応する時間内に前記第１光ネットワークユニットからの第１データフレームを受信するステップは、
前記第１光ネットワークユニットが前記第１データフレームに対して施した冗長保護措置を利用して、前記第１データフレームを取得するステップを含む、請求項１に記載の方法。
【請求項４】
前記第１時間ウィンドウの対応する時間内に前記第１光ネットワークユニットからの第１データフレームを受信するステップは、
前記第１光ネットワークユニットが前記第１データフレームに対して施した冗長保護措置を利用して前記第１データフレームに誤りが発生したことが識別された場合、前記第２データフレームと前記第１データフレームの衝突位置を取得するステップをさらに含む、請求項３に記載の方法。
【請求項５】
前記第２データフレームと第１データフレームの衝突位置を取得した後、
後続の前記第１時間ウィンドウ内で前記第１部分帯域幅を割り当て、前記第１部分帯域幅の対応する時間は前記衝突位置を含まず、前記第１時間ウィンドウ内で第２光ネットワークユニットからの前記第２データフレームを検出し、前記衝突位置を再特定するステップをさらに含む、請求項４に記載の方法。
【請求項６】
前記第２光ネットワークユニットの第１距離情報を取得するステップをさらに含む、請求項２〜５のいずれか１項に記載の方法。
【請求項７】
前記第２光ネットワークユニットの第１距離情報を取得した後、
前記第１距離情報に基づいて前記第２光ネットワークユニットに対して第２時間ウィンドウをオープンし、前記第２光ネットワークユニットの登録を完了するステップをさらに含み、前記第２時間ウィンドウは前記第２光ネットワークユニットの認証情報を取得し、光回線終端装置と前記第２光ネットワークユニットとの第２距離情報を測定することに用いられる、請求項６に記載の方法。
【請求項８】
前記第１時間ウィンドウ内で前記第１光ネットワークユニットに前記第１部分帯域幅を割り当てるステップは、
前記第１データフレームに対して冗長保護措置を施すことを前記第１光ネットワークユニットに通知するステップをさらに含む、請求項３に記載の方法。
【請求項９】
前記冗長保護措置を利用して前記第１データフレームに誤りが発生したことが識別された場合、前記第２データフレームと前記第１データフレームの前記衝突位置を取得するステップは、
前記第１光ネットワークユニットが前記第１データフレームのペイロードに対して採用した所定の符号化方式によって前記第１データフレームに誤りが発生したことが検出された場合、前記第１データフレームを復元し、前記衝突位置を特定するステップを含み、前記第２データフレームと前記第１データフレームが衝突する損傷範囲は前記所定の符号化方式の符号化冗長保護ブロックの誤り訂正範囲内にある、請求項４に記載の方法。
【請求項１０】
前記冗長保護措置を利用して前記第１データフレームに誤りが発生したことが識別された場合、前記第２データフレームと前記第１データフレームの前記衝突位置を取得するステップは、
前記第１光ネットワークユニットにより延長処理されたプリアンブルに対して信号振幅検出と信号クロック復元を行い、信号振幅及び／又は信号クロックに異常が発生したことが検出された場合、信号振幅及び／又は信号クロックを復元し、前記衝突位置を特定するステップを含む、請求項４に記載の方法。
【請求項１１】
前記冗長保護措置を利用して前記第１データフレームに誤りが発生したことが識別された場合、前記第２データフレームと前記第１データフレームの前記衝突位置を取得するステップは、
前記第１光ネットワークユニットにより延長変更処理された区切りから誤りが検出された場合、前記区切り中の少なくとも１つの部分を正確に識別し、区切りに誤りが発生する位置を取得し、前記衝突位置を特定し、ペイロードの開始位置を取得するステップを含む、請求項４に記載の方法。
【請求項１２】
前記第１時間ウィンドウ内で前記第２光ネットワークユニットからの前記第２データフレームを検出する前、
前記第２光ネットワークユニットに登録要求メッセージを送信するステップをさらに含み、前記登録要求メッセージは前記第２データフレームの送信を前記第２光ネットワークユニットに通知することに用いられ、前記登録要求メッセージに少なくとも第１認証情報が含まれている、請求項１に記載の方法。
【請求項１３】
前記第２光ネットワークユニットに前記登録要求メッセージを送信する前、
認証情報に基づいて前記第２光ネットワークユニットの登録プロセスを開始するように、前記第１光ネットワークユニットと前記第２光ネットワークユニットの前記認証情報を記憶するステップをさらに含み、前記認証情報は各光ネットワークユニットの身元情報及び／又は光ネットワークユニットのユーザーの身元情報を含む、請求項１２に記載の方法。
【請求項１４】
前記登録要求メッセージには遅延時間がさらに含まれ、前記遅延時間は、前記遅延時間を待機した後に前記第２データフレームを送信することを前記第２光ネットワークユニットに指示するためのものである、請求項１２に記載の方法。
【請求項１５】
受動光ネットワークシステムのデータ処理方法であって、
光回線終端装置により割り当てられる第１部分帯域幅を取得するステップと、
前記第１部分帯域幅内で前記光回線終端装置に第１データフレームを送信し、所定の条件を満たす場合、前記光回線終端装置に第２データフレームを送信するステップと、を含み、
前記第１データフレームは登録済みで動作状態にある光ネットワークユニットにより送信されるサービスデータフレームであり、前記第２データフレームは登録を完了していない光ネットワークユニットにより送信される登録信号フレームである、受動光ネットワークシステムのデータ処理方法。
【請求項１６】
前記第１部分帯域幅内で前記光回線終端装置に前記第１データフレームを送信する前、
前記光回線終端装置から前記第１データフレームに対して冗長保護措置を施す通知を取得するステップと、
前記第１データフレームに対して冗長保護措置を施すステップと、をさらに含む、請求項１５に記載の方法。
【請求項１７】
前記第１データフレームに対して冗長保護措置を施すステップは、
所定の符号化方式を用いて前記第１データフレーム中のペイロードを符号化処理するステップを含み、前記第２データフレームの損傷範囲は前記所定の符号化方式の符号化冗長保護ブロックの誤り訂正範囲内にある、請求項１６に記載の方法。
【請求項１８】
前記第１データフレームに対して冗長保護措置を施すステップは、
前記第１データフレーム中のプリアンブルを延長し、衝突の発生時に前記光回線終端装置が信号振幅検出及び信号クロック復元を行うための延長処理済みのプリアンブルを得るステップを含む、請求項１６に記載の方法。
【請求項１９】
前記第１データフレームに対して冗長保護措置を施すステップは、
前記第１データフレーム中の区切りを延長変更し、衝突の発生時に前記光回線終端装置が少なくとも前記区切りの一部を識別できるための延長処理済みの区切りを得るステップを含み、前記区切りは前記光回線終端装置が前記第１データフレームの開始位置を識別することに用いられる、請求項１６に記載の方法。
【請求項２０】
前記所定の条件を満たす場合、前記光回線終端装置に前記第２データフレームを送信するステップは、
第２光ネットワークユニットは前記光回線終端装置に前記第２データフレームを能動的に送信するステップ、
前記第２光ネットワークユニットは前記光回線終端装置により送信される登録要求メッセージを取得した後、前記第２データフレームを送信するステップ、及び
前記第２光ネットワークユニットは前記光回線終端装置により送信される登録要求メッセージ及び遅延時間を取得した後、前記遅延時間待機して前記第２データフレームを送信するステップのうちのいずれかを含む、請求項１５に記載の方法。
【請求項２１】
受動光ネットワークシステムのデータ処理装置であって、
第１時間ウィンドウ内で、登録済みで動作状態にある第１光ネットワークユニットに第１部分帯域幅を割り当てるように構成される割当モジュールと、
前記第１部分帯域幅の対応する時間内に前記第１光ネットワークユニットからの第１データフレームを受信し、前記第１時間ウィンドウ内で、登録を完了していない第２光ネットワークユニットからの第２データフレームを検出するように構成される処理モジュールと、を備える、受動光ネットワークシステムのデータ処理装置。
【請求項２２】
前記処理モジュールは、前記第１時間ウィンドウ内の前記第１部分帯域幅を除く第２部分帯域幅内で前記第２光ネットワークユニットからの前記第２データフレームを検出するように構成される、請求項２１に記載の装置。
【請求項２３】
前記処理モジュールは、前記第１光ネットワークユニットが前記第１データフレームに対して施した冗長保護措置を利用して、前記第１データフレームを取得するように構成される、請求項２１に記載の装置。
【請求項２４】
前記処理モジュールはさらに、前記第１光ネットワークユニットが前記第１データフレームに対して施した冗長保護措置を利用して前記第１データフレームに誤りが発生したことが識別された場合、前記第２データフレームと前記第１データフレームの衝突位置を取得するように構成される、請求項２３に記載の装置。
【請求項２５】
後続の前記第１時間ウィンドウ内で前記第１部分帯域幅を割り当て、前記第１部分帯域幅の対応する時間は前記衝突位置を含まず、前記第１時間ウィンドウ内で第２光ネットワークユニットからの前記第２データフレームを検出し、前記衝突位置を再特定するように構成される特定モジュールをさらに備える、請求項２４に記載の装置。
【請求項２６】
前記第２光ネットワークユニットの第１距離情報を取得するように構成される取得モジュールをさらに備える、請求項２２−２５のいずれか１項に記載の装置。
【請求項２７】
前記第１距離情報に基づいて前記第２光ネットワークユニットに対して第２時間ウィンドウをオープンし、前記第２光ネットワークユニットの登録を完了するように構成される登録モジュールをさらに備え、前記第２時間ウィンドウは前記第２光ネットワークユニットの認証情報を取得し、光回線終端装置と前記第２光ネットワークユニットとの第２距離情報を測定することに用いられる、請求項２６に記載の装置。
【請求項２８】
前記第１データフレームに対して冗長保護措置を施すことを前記第１光ネットワークユニットに通知するように構成される通知モジュールをさらに備える、請求項２３に記載の装置。
【請求項２９】
前記処理モジュールはさらに、前記第１光ネットワークユニットが前記第１データフレームのペイロードに対して採用した所定の符号化方式によって前記第１データフレームに誤りが発生したことが検出された場合、前記第１データフレームを復元し、衝突位置を特定するように構成され、前記第２データフレームと前記第１データフレームが衝突する損傷範囲は前記所定の符号化方式の符号化冗長保護ブロックの誤り訂正範囲内にある、請求項２４に記載の装置。
【請求項３０】
前記処理モジュールはさらに、前記第１光ネットワークユニットにより延長処理されたプリアンブルに対して信号振幅検出と信号クロック復元を行い、信号振幅及び／又は信号クロックに異常が発生したことが検出された場合、信号振幅及び／又は信号クロックを復元し、前記衝突位置を特定するように構成される、請求項２４に記載の装置。
【請求項３１】
前記処理モジュールはさらに、前記第１光ネットワークユニットにより延長変更処理された区切りから誤りが検出された場合、前記区切り中の少なくとも１つの部分を正確に識別し、区切りに誤りが発生する位置を取得し、前記衝突位置を特定し、ペイロードの開始位置を取得するように構成される、請求項２４に記載の装置。
【請求項３２】
前記第２光ネットワークユニットに登録要求メッセージを送信するように構成される送信モジュールをさらに備え、前記登録要求メッセージは前記第２データフレームの送信を前記第２光ネットワークユニットに通知することに用いられ、前記登録要求メッセージに少なくとも第１認証情報が含まれている、請求項２１に記載の装置。
【請求項３３】
認証情報に基づいて前記第２光ネットワークユニットの登録プロセスを開始するように、前記第１光ネットワークユニットと前記第２光ネットワークユニットの前記認証情報を記憶するように構成される記憶モジュールをさらに備え、前記認証情報は各光ネットワークユニットの身元情報及び／又は光ネットワークユニットのユーザーの身元情報を含む、請求項３２に記載の装置。
【請求項３４】
前記登録要求メッセージには遅延時間がさらに含まれ、前記遅延時間は、前記遅延時間を待機した後に前記第２データフレームを送信することを前記第２光ネットワークユニットに指示するためのものである、請求項３２に記載の装置。
【請求項３５】
受動光ネットワークシステムのデータ処理装置であって、
光回線終端装置により割り当てられる第１部分帯域幅を取得するように構成される取得モジュールと、
前記第１部分帯域幅内で前記光回線終端装置に第１データフレームを送信し、所定の条件を満たす場合、前記光回線終端装置に第２データフレームを送信するように構成される処理モジュールと、を備え、前記第１データフレームは登録済みで動作状態にある光ネットワークユニットにより送信されるサービスデータフレームであり、前記第２データフレームは登録を完了していない光ネットワークユニットにより送信される登録信号フレームである、受動光ネットワークシステムのデータ処理装置。
【請求項３６】
前記光回線終端装置から前記第１データフレームに対して冗長保護措置を施す通知を取得するように構成される取得モジュールと、
前記第１データフレームに対して冗長保護措置を施すように構成される保護モジュールと、をさらに備える、請求項３５に記載の装置。
【請求項３７】
前記保護モジュールは、所定の符号化方式を用いて前記第１データフレーム中のペイロードを符号化処理するように構成され、前記第２データフレームの損傷範囲は前記所定の符号化方式の符号化冗長保護ブロックの誤り訂正範囲内にある、請求項３６に記載の装置。
【請求項３８】
前記保護モジュールは、前記第１データフレーム中のプリアンブルを延長し、衝突の発生時に前記光回線終端装置が信号振幅検出及び信号クロック復元を行うための延長処理済みのプリアンブルを得るように構成される、請求項３６に記載の装置。
【請求項３９】
前記保護モジュールは、前記第１データフレーム中の区切りを延長変更し、衝突の発生時に前記光回線終端装置が少なくとも前記区切りの一部を識別できるための延長処理済みの区切りを得るように構成され、前記区切りは前記光回線終端装置が前記第１データフレームの開始位置を識別することに用いられる、請求項３６に記載の装置。
【請求項４０】
前記処理モジュールは、前記所定の条件を満たす場合、前記光回線終端装置に前記第２データフレームを送信するステップは、
前記光回線終端装置に前記第２データフレームを能動的に送信するステップ、
前記光回線終端装置により送信される登録要求メッセージを取得した後、前記第２データフレームを送信するステップ、及び
前記光回線終端装置により送信される登録要求メッセージ及び遅延時間を取得した後、前記遅延時間待機して前記第２データフレームを送信するステップのうちのいずれかを含むように構成される、請求項３５に記載の装置。
【請求項４１】
受動光ネットワークシステムであって、光回線終端装置及び複数の光ネットワークユニットを備え、前記光回線終端装置は請求項２１〜３４のいずれか１項に記載の受動光ネットワークシステムのデータ処理装置を備え、前記複数の光ネットワークユニットのうちの少なくとも１つの光ネットワークユニットは請求項３５〜４０のいずれか１項に記載の受動光ネットワークシステムのデータ処理装置を備える、受動光ネットワークシステム。
【請求項４２】
記憶媒体であって、コンピュータプログラムが記憶されており、前記コンピュータプログラムは、実行されると、前記請求項１〜１４又は前記請求項１５〜２０のいずれか１項に記載の方法を実行するように構成される、記憶媒体。
【請求項４３】
電子装置であって、メモリ及びプロセッサを備え、前記メモリにはコンピュータプログラムが記憶されており、前記プロセッサは、前記コンピュータプログラムを実行して前記請求項１〜１４のいずれか１項又は前記請求項１５〜２０のいずれか１項に記載の方法を実行するように構成される、電子装置。
【発明の詳細な説明】
【技術分野】
【０００１】
本発明は受動光ネットワークの分野に関し、具体的には、受動光ネットワークシステムのデータ処理方法、装置及び受動光ネットワークシステムに関する。
【背景技術】
【０００２】
受動光ネットワーク（Ｐａｓｓｉｖｅ  Ｏｐｔｉｃａｌ  Ｎｅｔｗｏｒｋ、略称：ＰＯＮ）アーキテクチャは、ポイントツーマルチポイントのネットワークアーキテクチャである。受動光ネットワークは光回線終端装置（Ｏｐｔｉｃａｌ  Ｌｉｎｅ  Ｔｅｒｍｉｎａｌ、略称：ＯＬＴ）、光分配ネットワーク（Ｏｐｔｉｃａｌ  Ｄｉｓｔｒｉｂｕｔｅ  Ｎｅｔｗｏｒｋ、略称：ＯＤＮ）及び光ネットワークユニット（Ｏｐｔｉｃａｌ  Ｎｅｔｗｏｒｋ  Ｕｎｉｔ、略称：ＯＮＵ）からなる。
【０００３】
図１は関連技術に係る受動光ネットワークのアーキテクチャ模式図であり、図１に示すように、１つの光回線終端装置は光分配ネットワークを介して複数の光ネットワークユニットに接続可能であり、各光ネットワークユニットと光回線終端装置との距離が異なる。受動光ネットワークシステムは光ネットワークユニットと光回線終端装置との最大距離、及び各光ネットワークユニットと光回線終端装置との最大距離差を制限可能である。
【０００４】
受動光ネットワークシステムでは、光ネットワークユニットは通常、光回線終端装置とともに登録プロセスを行う必要があり、光回線終端装置は光ネットワークユニットの情報を取得し、光回線終端装置は光ネットワークユニットとの論理距離をテストすることを含んでもよいが、これらに限定されない。
【０００５】
光ネットワークユニットの登録中、光回線終端装置は、光ネットワークユニットとの論理距離を事前に把握できないため、光ネットワークユニットによって送信される登録情報フレームがいつ光回線終端装置に到達するかを決定できない。
【０００６】
光ネットワークユニットによって送信される登録情報フレームは１つの時間ウィンドウ内で光回線終端装置に到達する。該時間ウィンドウの開始時刻は光回線終端装置に最も近い光ネットワークユニットが登録情報フレームを光回線終端装置に送信する最も早い時刻であり、終了時刻は光回線終端装置から最も遠い光ネットワークユニットが登録情報フレームを光回線終端装置に送信する最も遅い時刻である。
【０００７】
該時間ウィンドウ内で、登録済みで正常に動作している光ネットワークユニットがアップリンクデータフレームを送信すると、登録中の光ネットワークユニットによって送信される登録情報フレームと衝突する可能性があり、その結果、正常に動作している光ネットワークユニットによって送信されるアップリンクデータフレームが損傷して光回線終端装置で正確に解析できず、さらに伝送データのロスを引き起こしてしまう。したがって、従来の受動光ネットワークシステムでは、該時間ウィンドウ内で、登録光ネットワークユニットによって送信される登録情報フレームとの衝突を回避するように、正常に動作している光ネットワークユニットはアップリンクデータフレームを送信しない。
【０００８】
図２は関連技術に係る受動光ネットワークシステムに使用されるクワイエットウインドウの模式図であり、図２に示すように、従来の受動光ネットワークシステムでは、それぞれ光回線終端装置、光回線終端装置に最も近い光ネットワークユニット、正常に動作している光ネットワークユニット、登録光ネットワークユニット及び光回線終端装置から最も遠い光ネットワークユニットがある。前記正常に動作している光ネットワークユニットがアップリンクデータフレームを送信すると、登録中の光ネットワークユニットによって送信される登録情報フレームと衝突する可能性がある時間ウィンドウは通常、クワイエットウインドウ又は静かなウィンドウ（ｑｕｉｅｔ  ｗｉｎｄｏｗ）と呼ばれる。
【０００９】
従来の受動光ネットワークシステムでは、一方では、光回線終端装置と光ネットワークユニットとの最大距離差が２０キロメートルである場合、クワイエットウインドウは少なくとも２００マイクロ秒である。
【００１０】
光回線終端装置と光ネットワークユニットとの最大距離差が１０キロメートルである場合、クワイエットウインドウは少なくとも１００マイクロ秒である。他方では、従来の受動光ネットワークシステムは同一のクワイエットウインドウにおける複数の光ネットワークユニットの登録を許可するため、複数の光ネットワークユニットによって送信される登録情報フレームの衝突を引き起こしやすい。
【００１１】
複数の光ネットワークユニットによって送信される登録情報フレームが衝突すると、光回線終端装置がこれらの登録情報フレームを解析できず、その結果、これらの光ネットワークユニットが登録情報フレームを再送信して登録する必要があり、したがって、これらの光ネットワークユニットの登録完了時間が遅延してしまう。
【００１２】
前記分析によると、受動光ネットワークシステムの登録完了時間が遅延し、且つ登録を必要とする光ネットワークユニットの数が多いほど、受動光ネットワークシステムの登録完了時間が長い。光ネットワークユニットの迅速な登録を実現し、ユーザー体験を向上させるために、光回線終端装置は通常、クワイエットウインドウを周期的にオープンして、光ネットワークユニットにより多くの登録チャンスを与える必要がある。
【００１３】
また、従来の受動光ネットワークシステムでは、光ネットワークユニットの登録中にオープンされるクワイエットウインドウにより、正常に動作している光ネットワークユニットのデータ送信に遅延が発生する。動作光ネットワークユニットには、ちょうどクワイエットウインドウの開始時に送信を必要とするアップリンクデータがある場合、アップリンクデータの送信はクワイエットウインドウ終了後まで待機する必要がある。以上からわかるように、正常に動作している光ネットワークユニットのアップリンクデータによる遅延は少なくともクワイエットウインドウのサイズであり、且つクワイエットウインドウが通常周期的にオープンされるため、光ネットワークユニットの登録プロセスにより、正常に動作している光ネットワークユニットのデータ送信に遅延が頻繁に発生する。
【００１４】
モバイルサービスの発展に伴い、受動光ネットワークシステムは徐々にモバイルサービスのベアラ技術の１つになり、モバイルサービスはベアラネットワークの伝送遅延に対してより厳しい要件を求めている。
【００１５】
たとえば、現在、業界では第五世代モバイル通信技術（５Ｇ）のフロントホールサービスをベアラする受動光ネットワークシステムの伝送遅延用件を１００マイクロ秒以下に制御する。しかし、前記分析から見て、受動光ネットワークにおける光回線終端装置と光ネットワークユニットとの最大距離差が１０キロメートルである場合、光ネットワークユニットの登録中のクワイエットウインドウにより、正常に動作している光ネットワークユニットのデータ送信に少なくとも１００マイクロ秒の遅延が発生する。
【００１６】
受動光ネットワークシステムでは、クワイエットウインドウによる光ネットワークのデータ伝送の遅延に加えて、光ファイバ伝送、動的帯域幅割当等によるデータ伝送の遅延もある。したがって、従来の受動光ネットワークシステムがモバイルサービスに必要な伝送遅延用件を満たすことは困難である。
【発明の概要】
【発明が解決しようとする課題】
【００１７】
本発明の少なくとも一部の実施例は、受動光ネットワークシステムのデータ処理方法、装置及び受動光ネットワークシステムを提供し、関連技術に係る受動光ネットワークシステムの光ネットワークユニットの登録中にクワイエットウインドウによる受動光ネットワークシステムの伝送遅延のため、モバイルサービスをベアラする低遅延用件を満たすことができないという問題を少なくとも解決する。
【課題を解決するための手段】
【００１８】
本発明の一実施例によれば、受動光ネットワークシステムのデータ処理方法を提供し、
第１時間ウィンドウ内で、登録済みで動作状態にある第１光ネットワークユニットに第１部分帯域幅を割り当てるステップと、第１部分帯域幅の対応する時間内に第１光ネットワークユニットからの第１データフレームを受信し、第１時間ウィンドウ内で、登録を完了していない第２光ネットワークユニットからの第２データフレームを検出するステップと、を含む。
【００１９】
オプションとして、第１時間ウィンドウ内で第２光ネットワークユニットからの第２データフレームを検出するステップは、第１時間ウィンドウ内の第１部分帯域幅を除く第２部分帯域幅内で第２光ネットワークユニットからの第２データフレームを検出するステップを含む。
【００２０】
オプションとして、第１時間ウィンドウの対応する時間内に第１光ネットワークユニットからの第１データフレームを受信するステップは、第１光ネットワークユニットが第１データフレームに対して施した冗長保護措置を利用して、第１データフレームを取得するステップを含む。
【００２１】
オプションとして、第１時間ウィンドウの対応する時間内に第１光ネットワークユニットからの第１データフレームを受信するステップは、第１光ネットワークユニットが第１データフレームに対して施した冗長保護措置を利用して第１データフレームに誤りが発生したことが識別された場合、第２データフレームと第１データフレームの衝突位置を取得するステップをさらに含む。
【００２２】
オプションとして、第２データフレームと第１データフレームの衝突位置を取得した後、後続の第１時間ウィンドウ内で第１部分帯域幅を割り当て、第１部分帯域幅の対応する時間は衝突位置を含まず、第１時間ウィンドウ内で第２光ネットワークユニットからの第２データフレームを検出し、衝突位置を再特定するステップをさらに含む。
【００２３】
オプションとして、前記方法は、第２光ネットワークユニットの第１距離情報を取得するステップをさらに含む。
【００２４】
オプションとして、第２光ネットワークユニットの第１距離情報を取得した後、第１距離情報に基づいて第２光ネットワークユニットに対して第２時間ウィンドウをオープンし、第２光ネットワークユニットの登録を完了するステップをさらに含み、第２時間ウィンドウは第２光ネットワークユニットの認証情報を取得し、光回線終端装置と第２光ネットワークユニットとの第２距離情報を測定することに用いられる。
【００２５】
オプションとして、第１時間ウィンドウ内で第１光ネットワークユニットに第１部分帯域幅を割り当てるステップは、第１データフレームに対して冗長保護措置を施すことを第１光ネットワークユニットに通知するステップをさらに含む。
【００２６】
オプションとして、冗長保護措置を利用して第１データフレームに誤りが発生したことが識別された場合、第２データフレームと第１データフレームの衝突位置を取得するステップは、第１光ネットワークユニットが第１データフレームのペイロードに対して採用した所定の符号化方式によって第１データフレームに誤りが発生したことが検出された場合、第１データフレームを復元し、衝突位置を特定するステップを含み、第２データフレームと第１データフレームが衝突する損傷範囲は所定の符号化方式の符号化冗長保護ブロックの誤り訂正範囲内にある。
【００２７】
オプションとして、冗長保護措置を利用して第１データフレームに誤りが発生したことが識別された場合、第２データフレームと第１データフレームの衝突位置を取得するステップは、第１光ネットワークユニットにより延長処理されたプリアンブルに対して信号振幅検出と信号クロック復元を行い、信号振幅及び／又は信号クロックに異常が発生したことが検出された場合、信号振幅及び／又は信号クロックを復元し、衝突位置を特定するステップを含む。
【００２８】
オプションとして、冗長保護措置を利用して第１データフレームに誤りが発生したことが識別された場合、第２データフレームと第１データフレームの衝突位置を取得するステップは、第１光ネットワークユニットにより延長変更処理された区切りから誤りが検出された場合、区切り中の少なくとも１つの部分を正確に識別し、区切りに誤りが発生する位置を取得し、衝突位置を特定し、ペイロードの開始位置を取得するステップを含む。
【００２９】
オプションとして、第１部分帯域幅内で第１光ネットワークユニットからの第１データフレームを受信し、第１時間ウィンドウ内で第２光ネットワークユニットからの第２データフレームを検出する前、第２光ネットワークユニットに登録要求メッセージを送信するステップをさらに含み、登録要求メッセージは、第２データフレームの送信を第２光ネットワークユニットに通知することに用いられ、登録要求メッセージに少なくとも第１認証情報が含まれている。
【００３０】
オプションとして、第２光ネットワークユニットに登録要求メッセージを送信する前、認証情報に基づいて第２光ネットワークユニットの登録プロセスを開始するように、第１光ネットワークユニットと第２光ネットワークユニットの認証情報を記憶するステップをさらに含み、認証情報は各光ネットワークユニットの身元情報及び／又は光ネットワークユニットのユーザーの身元情報を含む。
【００３１】
オプションとして、登録要求メッセージには、遅延時間を待機した後に第２データフレームを送信することを第２光ネットワークユニットに指示するための遅延時間がさらに含まれている。
【００３２】
本発明の別の実施例によれば、別の受動光ネットワークシステムのデータ処理方法をさらに提供し、
光回線終端装置により割り当てられる第１部分帯域幅を取得するステップと、第１部分帯域幅内で光回線終端装置に第１データフレームを送信し、所定の条件を満たす場合、光回線終端装置に第２データフレームを送信するステップと、を含み、第１データフレームは登録済みで動作状態にある光ネットワークユニットにより送信されるサービスデータフレームであり、第２データフレームは登録を完了していない光ネットワークユニットにより送信される登録信号フレームである。
【００３３】
オプションとして、第１部分帯域幅内で光回線終端装置に第１データフレームを送信する前、光回線終端装置から第１データフレームに対して冗長保護措置を施す通知を取得するステップと、第１データフレームに対して冗長保護措置を施すステップと、をさらに含む。
【００３４】
オプションとして、第１データフレームに対して冗長保護措置を施すステップは、所定の符号化方式を用いて第１データフレーム中のペイロードを符号化処理するステップを含み、第２データフレームの損傷範囲は所定の符号化方式の符号化冗長保護ブロックの誤り訂正範囲内にある。
【００３５】
オプションとして、第１データフレームに対して冗長保護措置を施すステップは、第１データフレーム中のプリアンブルを延長し、衝突の発生時に光回線終端装置が信号振幅検出及び信号クロック復元を行うための延長処理済みのプリアンブルを得るステップを含む。
【００３６】
オプションとして、第１データフレームに対して冗長保護措置を施すステップは、第１データフレーム中の区切りを延長変更し、衝突の発生時に光回線終端装置が少なくとも区切りの一部を識別できるための延長処理済みの区切りを得るステップを含み、区切りは光回線終端装置が第１データフレームの開始位置を識別することに用いられる。
【００３７】
オプションとして、所定の条件を満たす場合、光回線終端装置に第２データフレームを送信するステップは、第２光ネットワークユニットは光回線終端装置に第２データフレームを能動的に送信するステップ、第２光ネットワークユニットは光回線終端装置により送信される登録要求メッセージを取得した後、第２データフレームを送信するステップ、及び第２光ネットワークユニットは光回線終端装置により送信される登録要求メッセージ及び遅延時間を取得した後、遅延時間待機して第２データフレームを送信するステップのうちのいずれかを含む。
【００３８】
本発明のさらに別の実施例によれば、受動光ネットワークシステムのデータ処理装置を提供し、
第１時間ウィンドウ内で、登録済みで動作状態にある第１光ネットワークユニットに第１部分帯域幅を割り当てるように構成される割当モジュールと、第１部分帯域幅の対応する時間内に第１光ネットワークユニットからの第１データフレームを受信し、第１時間ウィンドウ内で、登録を完了していない第２光ネットワークユニットからの第２データフレームを検出するように構成される処理モジュールと、を備える。
【００３９】
オプションとして、処理モジュールは、第１時間ウィンドウ内の第１部分帯域幅を除く第２部分帯域幅内で第２光ネットワークユニットからの第２データフレームを検出するように構成される。
【００４０】
オプションとして、処理モジュールは、第１光ネットワークユニットが第１データフレームに対して施した冗長保護措置を利用して、第１データフレームを取得するように構成される。
【００４１】
オプションとして、処理モジュールはさらに、第１光ネットワークユニットが第１データフレームに対して施した冗長保護措置を利用して第１データフレームに誤りが発生したことが識別された場合、第２データフレームと第１データフレームの衝突位置を取得するように構成される。
【００４２】
オプションとして、前記装置は、後続の第１時間ウィンドウ内で第１部分帯域幅を割り当て、第１部分帯域幅の対応する時間は衝突位置を含まず、第１時間ウィンドウ内で第２光ネットワークユニットからの第２データフレームを検出し、衝突位置を再特定するように構成される特定モジュールをさらに備える。
【００４３】
オプションとして、前記装置は、第２光ネットワークユニットの第１距離情報を取得するように構成される取得モジュールをさらに備える。
【００４４】
オプションとして、前記装置は、第１距離情報に基づいて第２光ネットワークユニットに対して第２時間ウィンドウをオープンし、第２光ネットワークユニットの登録を完了するように構成される登録モジュールをさらに備え、第２時間ウィンドウは第２光ネットワークユニットの認証情報を取得し、光回線終端装置と第２光ネットワークユニットとの第２距離情報を測定することに用いられる。
【００４５】
オプションとして、前記装置は、第１データフレームに対して冗長保護措置を施すことを第１光ネットワークユニットに通知するように構成される通知モジュールをさらに備える。
【００４６】
オプションとして、処理モジュールはさらに、第１光ネットワークユニットが第１データフレームのペイロードに対して採用した所定の符号化方式によって第１データフレームに誤りが発生したことが検出された場合、第１データフレームを復元し、衝突位置を特定するように構成され、第２データフレームと第１データフレームが衝突する損傷範囲は所定の符号化方式の符号化冗長保護ブロックの誤り訂正範囲内にある。
【００４７】
オプションとして、処理モジュールはさらに、第１光ネットワークユニットにより延長処理されたプリアンブルに対して信号振幅検出と信号クロック復元を行い、信号振幅及び／又は信号クロックに異常が発生したことが検出された場合、信号振幅及び／又は信号クロックを復元し、衝突位置を特定するように構成される。
【００４８】
オプションとして、処理モジュールはさらに、第１光ネットワークユニットにより延長変更処理された区切りから誤りが検出された場合、区切り中の少なくとも１つの部分を正確に識別し、区切りに誤りが発生する位置を取得し、衝突位置を特定し、ペイロードの開始位置を取得するように構成される。
【００４９】
オプションとして、前記装置は、第２光ネットワークユニットに登録要求メッセージを送信するように構成される送信モジュールをさらに備え、登録要求メッセージは、第２データフレームの送信を第２光ネットワークユニットに通知することに用いられ、登録要求メッセージに少なくとも第１認証情報が含まれている。
【００５０】
オプションとして、前記装置は、認証情報に基づいて第２光ネットワークユニットの登録プロセスを開始するように、第１光ネットワークユニットと第２光ネットワークユニットの認証情報を記憶するように構成される記憶モジュールをさらに備え、認証情報は各光ネットワークユニットの身元情報及び／又は光ネットワークユニットのユーザーの身元情報を含む。
【００５１】
オプションとして、登録要求メッセージには、遅延時間を待機した後に第２データフレームを送信することを第２光ネットワークユニットに指示するための遅延時間がさらに含まれている。
【００５２】
本発明のさらに別の実施例によれば、別の受動光ネットワークシステムのデータ処理装置をさらに提供し、
光回線終端装置により割り当てられる第１部分帯域幅を取得するように構成される取得モジュールと、第１部分帯域幅内で光回線終端装置に第１データフレームを送信し、所定の条件を満たす場合、光回線終端装置に第２データフレームを送信するように構成される処理モジュールと、を備え、第１データフレームは登録済みで動作状態にある光ネットワークユニットにより送信されるサービスデータフレームであり、第２データフレームは登録を完了していない光ネットワークユニットにより送信される登録信号フレームである。
【００５３】
オプションとして、前記装置は、光回線終端装置から第１データフレームに対して冗長保護措置を施す通知を取得するように構成される取得モジュールと、通知メッセージに応答して、第１データフレームに対して冗長保護措置を施すように構成される保護モジュールと、をさらに備える。
【００５４】
オプションとして、保護モジュールは、所定の符号化方式を用いて第１データフレーム中のペイロードを符号化処理するように構成され、第２データフレームの損傷範囲は所定の符号化方式の符号化冗長保護ブロックの誤り訂正範囲内にある。
【００５５】
オプションとして、保護モジュールは、第１データフレーム中のプリアンブルを延長し、衝突の発生時に光回線終端装置が信号振幅検出及び信号クロック復元を行うための延長処理済みのプリアンブルを得るように構成される。
【００５６】
オプションとして、保護モジュールは、第１データフレーム中の区切りを延長変更し、衝突の発生時に光回線終端装置が少なくとも区切りの一部を識別できるための延長処理済みの区切りを得るように構成され、区切りは光回線終端装置が第１データフレームの開始位置を識別することに用いられる。
【００５７】
オプションとして、処理モジュールは、所定の条件を満たす場合、光回線終端装置に第２データフレームを送信するステップは、光回線終端装置に第２データフレームを能動的に送信するステップ、光回線終端装置により送信される登録要求メッセージを取得した後、第２データフレームを送信するステップ、及び光回線終端装置により送信される登録要求メッセージ及び遅延時間を取得した後、遅延時間待機して第２データフレームを送信するステップのうちのいずれかを含むように構成される。
【００５８】
本発明のさらに別の実施例によれば、受動光ネットワークシステムをさらに提供し、光回線終端装置及び複数の光ネットワークユニットを備え、光回線終端装置は前記受動光ネットワークシステムのデータ処理装置を備え、複数の光ネットワークユニットのうちの少なくとも１つの光ネットワークユニットは前記別の受動光ネットワークシステムのデータ処理装置を備える。
【００５９】
本発明のさらに別の実施例によれば、記憶媒体をさらに提供し、前記記憶媒体にコンピュータプログラムが記憶されており、前記コンピュータプログラムは、実行されると、前記方法実施例のいずれかにおけるステップを実行するように構成される。
【００６０】
本発明のさらに別の実施例によれば、電子装置をさらに提供し、メモリ及びプロセッサを備え、前記メモリにコンピュータプログラムが記憶されており、前記プロセッサは、前記コンピュータプログラムを実行して前記方法実施例のいずれかにおけるステップを実行するように構成される。
【発明の効果】
【００６１】
本発明の少なくとも一部の実施例によれば、第１光ネットワークユニットは第２光ネットワークユニットの登録中にデータフレームを送信でき、即ち、登録している第２光ネットワークユニットが存在する場合、第１光ネットワークユニットは、第１時間ウィンドウ内の帯域幅を十分に利用するようにデータを送信できる。したがって、関連技術に係る受動光ネットワークシステムの光ネットワークユニットの登録中にクワイエットウインドウによる受動光ネットワークシステムの伝送遅延のため、モバイルサービスをベアラする低遅延用件を満たすことができない問題を解決し、受動光ネットワークシステムの伝送遅延を減らし、モバイルサービスをベアラする低遅延用件を満たす効果を達成する。
【図面の簡単な説明】
【００６２】
ここで説明される図面は本発明をさらに理解するためのものであり、本願の一部として組み込まれており、本発明の例示的な実施例及びその説明は本発明を説明することに用いられ、本発明を不適切に限定しない。
【図１】図１は関連技術に係る受動光ネットワークのアーキテクチャ模式図である。
【図２】図２は関連技術に係る受動光ネットワークシステムに使用されるクワイエットウインドウの模式図である。
【図３】図３は本発明の一実施例に係る受動光ネットワークシステムのデータ処理方法のフローチャートである。
【図４】図４は本発明の選択可能な実施例に係る動作光ネットワークユニットがアップリンクデータを送信し、登録光ネットワークユニットが登録信号を送信するプロセスの模式図である。
【図５】図５は本発明の選択可能な実施例に係るアップリンクデータフレーム及び登録信号の模式図である。
【図６】図６は本発明の一実施例に係る別の受動光ネットワークシステムのデータ処理方法のフローチャートである。
【図７】図７は本発明の一実施例に係る受動光ネットワークシステムのデータ処理装置の構造ブロック図である。
【図８】図８は本発明の選択可能な実施例に係る受動光ネットワークシステムのデータ処理装置の構造ブロック図である。
【図９】図９は本発明の一実施例に係る別の受動光ネットワークシステムのデータ処理装置の構造ブロック図である。
【図１０】図１０は本発明の選択可能な実施例に係る別の受動光ネットワークシステムのデータ処理装置の構造ブロック図である。
【発明を実施するための形態】
【００６３】
以下、図面及び実施例を参照しながら本発明を詳細に説明する。なお、矛盾しない限り、本願の実施例及び実施例の特徴を互いに組み合わせることができる。
【００６４】
なお、本発明の明細書、請求の範囲及び前記図面における「第１」、「第２」等の用語は類似する対象を区別するためのものであり、特定の順序や順番を表さない。
【００６５】
実施例１
本願の実施例１に係る方法実施例は、光回線終端装置又は光ネットワークユニットにおいて実行できる。光回線終端装置又は光ネットワークユニットは、１つ又は複数のプロセッサ（プロセッサはマイクロプロセッサ（ＭＣＵ）又はプログラマブルロジックデバイス（ＦＰＧＡ）等の処理装置を含むが、これらに限定されない）、及びデータを記憶するメモリを備えてもよい。
【００６６】
オプションとして、前記光回線終端装置又は光ネットワークユニットは通信機能用の伝送ユニット及び入力出力ユニットをさらに備えてもよい。勿論、当業者であれば、前記構造は単に例示的な説明であり、前記光回線終端装置又は光ネットワークユニットの構造を限定するものではないと理解できる。
【００６７】
たとえば、光回線終端装置又は光ネットワークユニットは前記構造よりも多い又は少ないユニットを備えてもよく、又は前記構造と異なる構成を有してもよい。
【００６８】
メモリは、たとえば、アプリケーションソフトウェアのソフトウェアプログラム及びモジュールのようなコンピュータプログラム、たとえば本発明の実施例における受動光ネットワークシステムのデータ処理方法に対応するコンピュータプログラムを記憶できる。
【００６９】
プロセッサは、メモリに記憶されているコンピュータプログラムを実行することによって、各種の機能アプリケーション及びデータ処理を実行し、即ち、前記受動光ネットワークシステムのデータ処理方法を実現する。メモリは高速ランダムアクセスメモリを含み、たとえば１つ又は複数の磁気記憶装置、フラッシュメモリ、又はほかの不揮発性ソリッドステートメモリのような不揮発性メモリをさらに含んでもよい。いくつかの例では、メモリはさらにプロセッサに対して遠隔に設置されるメモリを含んでもよく、これらのリモートメモリはネットワークを介して光回線終端装置又は光ネットワークユニットに接続されうる。
【００７０】
前記ネットワークの例はインターネット、イントラネット、ローカルエリアネットワーク、モバイル通信ネットワーク及びそれらの組み合わせを含むが、これらに限定されない。
【００７１】
伝送ユニットは、１つのネットワークを介してデータを受信又は送信する。前記ネットワークの具体例は光回線終端装置又は光ネットワークユニットの通信事業者により提供される無線ネットワークを含んでもよい。一例では、伝送ユニットは１つのネットワークインタフェースコントローラ（Ｎｅｔｗｏｒｋ  Ｉｎｔｅｒｆａｃｅ  Ｃｏｎｔｒｏｌｌｅｒ、略称：ＮＩＣ）を含み、無線方式でインターネットと通信する。別の例では、伝送ユニットは無線周波数（Ｒａｄｉｏ  Ｆｒｅｑｕｅｎｃｙ、略称：ＲＦ）モジュールであってもよく、無線方式でインターネットと通信する。
【００７２】
本実施例では、光回線終端装置に実行される受動光ネットワークシステムのデータ処理方法を提供し、図３は本発明の一実施例に係る受動光ネットワークシステムのデータ処理方法のフローチャートであり、図３に示すように、該フローは以下のステップを含む。
【００７３】
ステップＳ３１、第１時間ウィンドウ内で、登録済みで動作状態にある第１光ネットワークユニットに第１部分帯域幅を割り当てる。
【００７４】
受動光ネットワークシステムの光ネットワークユニットの登録中のクワイエットウインドウによる遅延問題を解決するために、本発明の実施例は受動光ネットワークシステム及び光ネットワークユニット登録メカニズムを提供し、受動光ネットワークシステムの伝送遅延を減らす。
【００７５】
なお、本発明はクワイエットウインドウ内で動作光ネットワークユニット（前記第１光ネットワークユニットに相当する）によるデータ送信を制限しないため、本発明の実施例は、クワイエットウインドウのかわりにノイズウィンドウ（ｎｏｉｓｙ  ｗｉｎｄｏｗ、前記第１時間ウィンドウに相当する）を採用する。ノイズウィンドウの開始時刻はクワイエットウインドウの開始時刻に一致し、ノイズウィンドウの終了時刻はクワイエットウインドウの終了時刻に一致する。
【００７６】
即ち、前記第１時間ウィンドウの開始時刻は光回線終端装置に最も近い光ネットワークユニットにより送信されるデータフレームが光回線終端装置に到達する最も早い時刻であり、第１時間ウィンドウの終了時刻は光回線終端装置から最も遠い光ネットワークユニットにより送信されるデータフレームが光回線終端装置に到達する最も遅い時刻である。動作光ネットワークユニットはノイズウィンドウ内でデータを送信できる。
【００７７】
ステップＳ３４、第１部分帯域幅の対応する時間内に第１光ネットワークユニットからの第１データフレームを受信し、第１時間ウィンドウ内で、登録を完了していない第２光ネットワークユニットからの第２データフレームを検出する。
【００７８】
登録光ネットワークユニット（前記第２光ネットワークユニットに相当する）により送信される登録信号（前記第２データフレームに相当する）に対して、光回線終端装置は空き帯域幅又はデータ帯域幅内で登録信号を検出する。登録している光ネットワークユニット又は登録しようとする光ネットワークユニットが存在する場合、登録光ネットワークユニットは登録信号を送信してノイズウィンドウ内で光回線終端装置に到達させる。
【００７９】
光回線終端装置はノイズウィンドウ内の部分帯域幅を動作光ネットワークユニットに割り当てて、アップリンクデータの送信に使用し、この部分帯域幅はデータ帯域幅であり、部分帯域幅は割り当てられておらず、この部分帯域幅は空き帯域幅である。動作光ネットワークユニットはノイズウィンドウ内で取得した割り当てられた帯域幅内でアップリンクデータを送信し、登録光ネットワークユニットはノイズウィンドウ内で登録信号を送信する。光回線終端装置はノイズウィンドウ内で登録信号を検出する。
【００８０】
オプションとして、前記ステップの実行主体は光回線終端装置等であってもよいが、これに限定されない。
【００８１】
選択可能な実施形態では、前記第１時間ウィンドウはすべの時間であってもよく、第１ＯＮＵは第１データフレームを送信でき、第２ＯＮＵは第２データフレームを随時送信できる。
【００８２】
選択可能な実施形態では、第２ＯＮＵにより送信される第２データフレームは第１時間ウィンドウ内の第１部分帯域幅を除く第２部分帯域幅内でＯＬＴに到達する必要がある。即ち、第１ＯＮＵにより送信される第１データフレームと第２ＯＮＵにより送信される第２データフレームはそれぞれ第１時間ウィンドウ内の異なる帯域幅内でＯＬＴに到達する。
【００８３】
また、前記ＯＬＴ及び複数のＯＮＵからなる受動光ネットワークシステムでは、異なるＯＮＵにより送信されるデータがＯＬＴ側で衝突することを許可し、ＯＬＴは少なくとも１つのＯＮＵにより送信されるデータを復元できる。
【００８４】
前記ステップによれば、第１光ネットワークユニットは第２光ネットワークユニットの登録中にデータフレームを送信でき、即ち、登録している第２光ネットワークユニットが存在する場合、第１光ネットワークユニットは、第１時間ウィンドウ内の帯域幅を十分に利用するようにデータを送信できる。したがって、関連技術に係る受動光ネットワークシステムの光ネットワークユニットの登録中にクワイエットウインドウによる受動光ネットワークシステムの伝送遅延のため、モバイルサービスをベアラする低遅延用件を満たすことができない問題を解決し、受動光ネットワークシステムの伝送遅延を減らし、モバイルサービスをベアラする低遅延用件を満たす効果を達成する。
【００８５】
登録光ネットワークユニットにより送信される登録信号は動作光ネットワークユニットにより送信される動作データフレームと衝突する可能性があり、登録信号と動作データフレームが衝突する場所、即ち衝突位置で、登録信号が動作データフレームに一定範囲の損傷を与え、動作データフレームに対応する誤りが発生し、したがって、衝突の発生時、登録信号による動作データフレームの損傷範囲を減らすために、登録信号はなるべく短いものとすべきである。
【００８６】
登録光ネットワークユニットにより送信される登録信号は１つのバースト信号であり、通常、光モジュールの発光オン部分、登録情報部分及び光モジュールの発光オフ部分を含んでもよい。光モジュールの発光オン部分と光モジュールの発光オフ部分は受動光ネットワーク標準において定義されている。
【００８７】
たとえば、国際電気通信連合・電気通信標準部門（ＩＴＵ−Ｔ）ギガビット受動光ネットワーク（Ｇｉｇａｂｉｔ  Ｐａｓｓｉｖｅ  Ｏｐｔｉｃａｌ  Ｎｅｔｗｏｒｋ、略称：ＧＰＯＮ）標準には、光ネットワークユニットの光モジュールの発光オン部分及び発光オフ部分はいずれも１２．８ナノ秒／４バイトであることが規定されている。
【００８８】
一方、ＩＴＵ−Ｔ  １０ギガビット対称型受動光ネットワーク（１０−Ｇｉｇａｂｉｔ−ｃａｐａｂｌｅ  Ｓｙｍｍｅｔｒｉｃ  Ｐａｓｓｉｖｅ  Ｏｐｔｉｃａｌ  Ｎｅｔｗｏｒｋ、略称：ＸＧＳ−ＰＯＮ）標準には、光ネットワークユニットの光モジュールの発光オン部分及び発光オフ部分はいずれも２５．７ナノ秒／３２バイトであることが規定されている。
【００８９】
また、光モジュールの発光オン部分及び発光オフ部分はさらに光モジュールの具体的な実現に関連し、具体的に実現される光モジュールの発光オン部分及び発光オフ部分は標準よりも優れる又は短いようにしてもよい。
【００９０】
たとえば、光モジュールの発光オン部分及び発光オフ部分は５−１０ナノ秒に達し、２つの部分の合計は、ＧＰＯＮでは約４−７バイトに対応し、ＸＧＳ−ＰＯＮでは約１３−２５バイトに対応する。
【００９１】
登録情報部分は、光回線終端装置により検出できればよく、たとえば、１０Ｇｂｐｓの速度では、長さが３バイトの登録信号は、光回線終端装置の光モジュールにより検出できる。光回線終端装置が登録情報を正確に解析する必要がない場合、登録情報部分はプリアンブル、区切り等を含まなくてもよい。
【００９２】
勿論、登録情報部分がプリアンブル、区切り等の内容を含む場合、光回線終端装置は登録情報を正確に解析することができ、登録信号の衝突による損傷を受ける動作データフレームを復元することもできる。
【００９３】
以上のように、現在の標準及び実現可能な条件では、ＸＧＳ−ＰＯＮを例に、光ネットワークユニットの登録信号は最長で６７バイト、最短で１６バイトである。
【００９４】
なお、本発明の実施例では、光ネットワークユニットにより送信される登録信号及び係る光モジュールの発光オン部分、光モジュールの発光オフ部分、光モジュール検出用の登録情報部分について、関連する標準定義及び具体的な実現は単に本発明の技術案の完全性を説明し、本発明を限定するものではなく、関連する標準定義、具体的な実現の可能な変更は、本発明に適用できる限り、本発明の保護範囲に属する。
【００９５】
オプションとして、ステップＳ３４では、第１部分帯域幅内で第１光ネットワークユニットからの第１データフレームを受信し、第１時間ウィンドウ内で第２光ネットワークユニットからの第２データフレームを検出する前、以下の実行ステップをさらに含んでもよい。
【００９６】
ステップＳ３３、第２光ネットワークユニットに登録要求メッセージを送信し、登録要求メッセージは、第２データフレームの送信を第２光ネットワークユニットに通知することに用いられ、登録要求メッセージに少なくとも第１認証情報が含まれている。
【００９７】
光回線終端装置側は光回線終端装置の光ネットワークユニット認証情報又は認証情報ライブラリを取得し、光ネットワークユニット認証情報（即ち、前記第１認証情報）は、光ネットワークユニットのシリアル番号、光ネットワークユニットのメディアアクセス制御（ＭＡＣ）アドレス、光ネットワークユニットのユーザーの登録情報（即ち、ｒｅｇｉｓｔｒａｔｉｏｎ  ＩＤ）を含んでもよいが、これらに限定されない。光回線終端装置は登録済みの光ネットワークユニット及び登録を完了していない光ネットワークユニットをそれぞれマークする。
【００９８】
光回線終端装置は登録を完了していない光ネットワークユニットに対して登録を開始し、以下のステップを含んでもよい。光回線終端装置は光ネットワークユニットの認証情報と登録命令（前記登録要求メッセージに相当する）を登録光ネットワークユニットに送信して、登録信号の送信を該光ネットワークユニットに通知し、該登録信号は光回線終端装置により指定されてもよく、光ネットワークユニットにより自ら決定されてもよい。それとともに、光回線終端装置はノイズウィンドウ内の部分帯域幅を動作光ネットワークユニットに割り当てし、部分帯域幅は割り当てられていない。
【００９９】
オプションとして、ステップＳ３３では、第２光ネットワークユニットに登録要求メッセージを送信する前、以下の実行ステップをさらに含んでもよい。
【０１００】
ステップＳ３２、認証情報に基づいて第２光ネットワークユニットの登録プロセスを開始するように、第１光ネットワークユニットと第２光ネットワークユニットの認証情報を記憶し、認証情報は各光ネットワークユニットの身元情報及び／又は光ネットワークユニットのユーザーの身元情報を含む。
【０１０１】
光ネットワークユニットの登録中、光回線終端装置は光ネットワークユニットを認証する。認証が成功すると、光ネットワークユニットは光回線終端装置にアクセスできる。光回線終端装置が光ネットワークユニットを認証する情報は、光ネットワークユニットの身元情報、光ネットワークユニットのユーザーの身元情報を含む。光回線終端装置にアクセスされる光ネットワークユニットの認証情報は１つの光ネットワークユニット認証情報ライブラリを形成する。光ネットワークユニット認証情報ライブラリは光回線終端装置に記憶されてもよく、より上位層のシステム（たとえば、受動光ネットワーク管理システム）に記憶されてもよい。
【０１０２】
光回線終端装置は光ネットワークユニット認証情報ライブラリに基づいて、１つ又は複数の認証情報に対応する光ネットワークユニットに対して登録プロセスを開始することで、１つのノイズウィンドウ内に登録する光ネットワークユニットの数量を制御し、それにより登録情報同士が衝突する確率を低減させ、動作中の光ネットワークにより送信されるデータの損傷範囲を減らす。
【０１０３】
オプションとして、前記登録要求メッセージには、遅延時間を待機した後に第２データフレームを送信することを第２光ネットワークユニットに指示するための遅延時間がさらに含まれている。
【０１０４】
登録光ネットワークユニットは電源がオンになると、光回線終端装置が登録プロセスを開始するのを待機する。自機の登録命令を受信すると、登録命令に遅延時間が含まれていない場合、光ネットワークユニットは直ちに光回線終端装置に登録信号を送信し、又は、登録命令に遅延時間が含まれている場合、光回線終端装置が指定する遅延時間を待機した後、光回線終端装置に登録信号を送信する。
【０１０５】
図４は本発明の選択可能な実施例に係る動作光ネットワークユニットがアップリンクデータを送信し、登録光ネットワークユニットが登録信号を送信するプロセスの模式図であり、図４に示すように、光回線終端装置はノイズウィンドウ内で登録信号を検出し、以下のステップを含んでもよい。
【０１０６】
光回線終端装置はノイズウィンドウの空き帯域幅内で登録信号を検出し、距離測定結果を計算し、又は、該光ネットワークユニットに対して小さなクワイエットウインドウをオープンして高精度の距離測定を行う。
【０１０７】
光回線終端装置は、動作光ネットワークユニットにより送信されるデータフレームの誤りを検出し、動作光ネットワークユニットにより送信されるデータを復元し、誤りの位置が登録光ネットワークユニットにより送信される登録信号に起因するものであると推定し、該光ネットワークユニットの論理距離を大まかに特定し、さらに該光ネットワークユニットに対して小さなクワイエットウインドウをオープンして高精度の距離測定を行う。
【０１０８】
光回線終端装置はノイズウィンドウの空き帯域幅内で登録信号の一部を検出し、動作光ネットワークユニットにより送信されるデータの誤りを検出し、動作光ネットワークユニットにより送信されるデータを復元し、その後、これらの情報を組み合わせて、該光ネットワークユニットの論理距離を大まかに特定し、該光ネットワークユニットに対して小さなクワイエットウインドウをオープンして高精度の距離測定を行う。
【０１０９】
光回線終端装置はノイズウィンドウ内で登録情報を検出していないと、該光ネットワークユニットをマークし、該光ネットワークユニットは登録を開始しておらず、又は該光ネットワークにより送信される登録信号は弱くて、動作光ネットワークユニットにより送信されるデータに影響を与えておらず、光回線終端装置はノイズウィンドウ内の帯域幅割当を調整した後、該光ネットワークユニットに対して登録プロセスを再開する。
【０１１０】
光回線終端装置は登録光ネットワークユニットにより送信される登録信号をノイズウィンドウ内で検出すると、登録光ネットワークユニットと光回線終端装置の論理距離を大まかに推定し、登録光ネットワークユニットが登録情報を送信するように、小さなクワイエットウインドウをオープンし、光回線終端装置は光ネットワークユニットの身元を確認し、距離測定結果を計算し、登録プロセスを完了する。
【０１１１】
ノイズウィンドウ内で登録情報が検出されていない光ネットワークユニットは、再登録を行ってもよく、ほかの光ネットワークユニットの登録を完了した後に登録を行ってもよい。
【０１１２】
光回線終端装置は、登録光ネットワークユニットにより送信される登録信号が弱いと判断した場合、以下の措置を施すことができる。光回線終端装置はノイズウィンドウ内の空き帯域幅と動作帯域幅の位置を調整し、空き帯域幅内で登録信号を検出する新しい機会を作る。光回線終端装置はランダムな遅延を生成し、該遅延後に登録信号を送信することを登録光ネットワークユニットに通知し、それにより光回線終端装置は空き帯域幅内で登録信号を検出する新しい機会を作る。
【０１１３】
光回線終端装置は、登録光ネットワークユニットが登録を開始していないと判断された場合、登録戦略を変更でき、たとえば、動作光ネットワークユニットへの影響を軽減するように、より長い時間待機した後、該光ネットワークユニットに対して登録を開始する。
【０１１４】
オプションとして、ステップＳ３４では、第１部分帯域幅の対応する時間内に第１光ネットワークユニットからの第１データフレームを受信するステップは、以下の実行ステップを含んでもよい。
【０１１５】
ステップＳ３４１、第１光ネットワークユニットが第１データフレームに対して施した冗長保護措置を利用して、第１データフレームを取得する。
【０１１６】
異なるＯＮＵにより送信されるデータがＯＬＴ側で衝突する場合、ＯＬＴが少なくとも１つのＯＮＵにより送信されるデータを復元できることを確保するために、動作ＯＮＵは送信したデータフレームに対して冗長保護措置を施す必要があり、それによりＯＬＴは動作ＯＮＵにより送信したデータを冗長保護措置によって復元できる。
【０１１７】
オプションとして、ステップＳ３４では、第１部分帯域幅の対応する時間内に第１光ネットワークユニットからの第１データフレームを受信するステップは、以下の実行ステップをさらに含んでもよい。
【０１１８】
ステップＳ３４２、第１光ネットワークユニットが第１データフレームに対して施した冗長保護措置を利用して第１データフレームに誤りが発生したことが識別された場合、第２データフレームと第１データフレームの衝突位置を取得する。
【０１１９】
動作ＯＮＵにより送信されるデータをなるべく復元することに加えて、ＯＬＴは前記冗長保護措置によって、動作ＯＮＵにより送信されるデータフレームに誤りが発生すると決定した場合、動作ＯＮＵと登録ＯＮＵとの間に衝突が発生する実際位置を大まかに特定できる。
【０１２０】
オプションとして、ステップＳ３４２では、第２データフレームと第１データフレームの衝突位置を取得した後、以下の実行ステップをさらに含んでもよい。
【０１２１】
ステップＳ３４３、後続の第１時間ウィンドウ内で第１部分帯域幅を割り当て、第１部分帯域幅の対応する時間は衝突位置を含まず、第１時間ウィンドウ内で第２光ネットワークユニットからの第２データフレームを検出し、衝突位置を再特定する。
【０１２２】
即ち、ＯＬＴは後続の時間ウィンドウ内で動作ＯＮＵに部分帯域幅を割り当てる際に、衝突位置に帯域幅を割り当てないことにより、後続で検出を繰り返し、前回決定した衝突位置を繰り返し比較し、さらに衝突位置を特定／確認する。
【０１２３】
オプションとして、ステップＳ３１では、第１時間ウィンドウ内で第１光ネットワークユニットに第１部分帯域幅を割り当てるステップは、以下の実行ステップをさらに含んでもよい。
【０１２４】
ステップＳ３０、アップリンクデータに対して冗長保護措置を施すことを第１光ネットワークユニットに通知する。
【０１２５】
必要に応じて、光回線終端装置は動作光ネットワークユニットにノイズウィンドウ内の帯域幅を割り当てる際に、さらにデータの送信時に冗長保護を行うことを動作光ネットワークユニットに通知する。動作光ネットワークユニットは光回線終端装置により割り当てられるノイズウィンドウ内の帯域幅を受信する。動作光ネットワークユニットはこれらの帯域幅内でデータを送信する時にデータに対して冗長保護を行う必要がある。
【０１２６】
選択可能な実施形態では、第１時間ウィンドウ内で第１光ネットワークユニットに第１部分帯域幅を割り当てることに加えて、第１光ネットワークユニットが第１データフレームを繰り返し送信するための第３部分帯域幅を第１光ネットワークユニットに割り当ててもよい。
【０１２７】
光回線終端装置は、ノイズウィンドウ内で動作光ネットワークユニットに正常帯域幅を割り当てることに加えて、追加帯域幅（前記第３部分帯域幅に相当する）を割り当て、それにより、動作光ネットワークユニットは正常帯域幅内でデータを送信し、正常帯域幅内で送信するデータを追加帯域幅内で繰り返し送信する。
【０１２８】
動作光ネットワークユニットは光回線終端装置により割り当てられるノイズウィンドウ内の正常帯域幅及び冗長帯域幅を受信した後、正常帯域幅内でデータを送信し、正常帯域幅内で送信するデータを冗長帯域幅内で繰り返し送信する。動作光ネットワークユニットは正常帯域幅内でデータを送信し、正常帯域幅内で送信するデータを追加帯域幅内で繰り返し送信し、このように、一方のデータが衝突による損傷を受けたとしても、他方のデータは衝突による損傷を免れており、それにより光回線終端装置は衝突による損傷を免れるデータからアップリンクデータを復元できる。ノイズウィンドウ内の空き帯域幅が多い場合、このような冗長保護措置を採用できる。
【０１２９】
オプションとして、ステップＳ３４２では、第１光ネットワークユニットが第１データフレームに対して施した冗長保護措置を利用して第１データフレームに誤りが発生したことが識別された場合、第２データフレームと第１データフレームの衝突位置を取得するステップは、以下の実行ステップを含んでもよい。
【０１３０】
ステップＳ３４２１、第１光ネットワークユニットが第１データフレームのペイロードに対して採用した所定の符号化方式によって第１データフレームに誤りが発生したことが検出された場合、第１データフレームを復元し、衝突位置を特定し、第２データフレームと第１データフレームが衝突する損傷範囲は所定の符号化方式の符号化冗長保護ブロックの誤り訂正範囲内にある。
【０１３１】
動作光ネットワークユニットはノイズウィンドウ内で割り当てられる帯域幅内でデータを送信し、前方誤り訂正（Ｆｏｒｗａｒｄ  Ｅｒｒｏｒ  Ｃｏｒｒｅｃｔｉｏｎ、略称：ＦＥＣ）等の符号化を用いて冗長保護を行う。登録信号の損傷範囲は符号化冗長保護ブロックの誤り訂正範囲内にあり、光回線終端装置は衝突による損傷を受けたデータを復元でき、且つ誤りが発生するビット位置を特定できる。
【０１３２】
たとえば、ＦＥＣがリード・ソロモンＲＳ（２５５，２２３）を採用する場合、ＦＥＣブロックの誤り訂正能力は（２５５−２２３）／２＝１６バイトである。したがって、登録信号の損傷能力が１６バイト以下である場合、光ネットワークユニットはこのような冗長保護措置を採用できる。
【０１３３】
動作光ネットワークユニットはノイズウィンドウ内で割り当てられる帯域幅内でデータを送信し、ＦＥＣ等の符号化を採用して冗長保護を行い、且つ符号化ブロックをランダムにインターリーブし、衝突が集中する誤りを複数の符号化ブロックに分散させる。受信プロセスでは、光回線終端装置は、まず、インターリーブされた符号化ブロックのデインターリーブを行い、各符号化ブロックを復元し、各符号化ブロックに対してそれぞれチェック及び誤り訂正を行い、さらに符号化ブロックのインターリーブを行い、それにより誤りの位置を判断する。
【０１３４】
ＲＳ（２５５，２２３）を例に、各ＦＥＣブロックは２５５バイトであり、２つのＦＥＣブロックのインターリーブ順序は、１番目のＦＥＣブロックの１番目のビット、２番目のＦＥＣブロックの２番目のビット、１番目のＦＥＣブロックの２番目のビット、２番目のＦＥＣブロックの２番目のビット、…１番目のＦＥＣブロックの２５５番目のビット、２番目のＦＥＣブロックの２５５番目のビットであり、１つの５１０バイトのＦＥＣインターリーブブロックを形成する。
【０１３５】
登録信号によるＦＥＣインターリーブブロックの損傷範囲が１６バイトである場合、損傷がＦＥＣインターリーブブロック中の２つのＦＥＣブロックに分散し、各ＦＥＣブロックが８バイトの損傷を受ける。勿論、より多くのＦＥＣブロックのインターリーブを実現でき、且つインターリーブプロセスは１ビットを単位としてもよく、複数のビットを単位としてもよい。ここでは詳細説明をしない。
【０１３６】
オプションとして、ステップＳ３４２では、第１光ネットワークユニットが第１データフレームに対して施した冗長保護措置を利用して第１データフレームに誤りが発生したことが識別された場合、第２データフレームと第１データフレームの衝突位置を取得するステップは、以下の実行ステップを含んでもよい。
【０１３７】
ステップＳ３４２２、第１光ネットワークユニットにより延長処理されたプリアンブルに対して信号振幅検出と信号クロック復元を行い、信号振幅及び／又は信号クロックに異常が発生したことが検出された場合、信号振幅及び／又は信号クロックを復元し、衝突位置を特定する。
【０１３８】
動作光ネットワークユニットにより送信されるデータは１つのバーストデータフレームであり、該データフレームの前部にプリアンブル、区切り等のフィールドがさらに含まれる。図５は本発明の選択可能な実施例に係るアップリンクデータフレーム及び登録信号の模式図であり、図５に示すように、プリアンブルは主に光回線終端装置が信号振幅検出及び信号クロック復元を行うことに用いられ、通常、１つの固定ビットシーケンスを繰り返して得られる。
【０１３９】
区切りは光回線終端装置がバーストデータフレームの開始位置を識別することに用いられ、通常、１つの固定のビットシーケンスである。プリアンブルや区切りが損傷を受けると、光回線終端装置は動作光ネットワークユニットにより送信されるアップリンクデータフレームを正確に解析できない可能性があり、したがって、プリアンブル、区切りの冗長保護も必要であり、プリアンブル延長、区切り延長変更等を含む。
【０１４０】
選択可能な実施形態として、プリアンブルを元のプリアンブルの２倍と１つの登録信号の長さとの合計に延長し、登録信号が延長プリアンブルの任意の位置に出現する。光回線終端装置は延長プリアンブルで信号振幅検出及び信号クロック復元を完了でき、光回線終端装置はアップリンクデータフレーム信号検出時点、信号クロック復元完了時点、取得した区切り位置等の情報を組み合わせて登録信号の衝突位置を大まかに判断することができる。
【０１４１】
別の選択可能な実施形態として、光回線終端装置は延長プリアンブルの前部で信号振幅検出を複数回行い、信頼性の高い信号振幅を選択して後続の信号に対してレベル判定を行う。別の選択可能な実施形態として、光回線終端装置は延長プリアンブルで信号振幅検出を完了した後、信号振幅を長時間ロックする。
【０１４２】
オプションとして、ステップＳ３４２では、第１光ネットワークユニットが第１データフレームに対して施した冗長保護措置を利用して第１データフレームに誤りが発生したことが識別された場合、第２データフレームと第１データフレームの衝突位置を取得するステップは、以下の実行ステップを含んでもよい。
【０１４３】
ステップＳ３４２３、第１光ネットワークユニットにより延長変更処理された区切りから誤りが検出された場合、区切り中の少なくとも１つの部分を正確に識別し、区切りに誤りが発生する位置を取得し、衝突位置を特定し、ペイロードの開始位置を取得する。
【０１４４】
動作光ネットワークユニットは元の区切りを延長変更することができ、登録信号と延長変更済み区切りとの衝突がどの位置に出現するかにかかわらず、光回線終端装置は少なくとも延長変更済み区切りの１つの正確な部分を検索でき、該正確な部分に基づいて登録信号の衝突位置を大まかに判断できるとともに、ペイロードの開始位置を取得する。
【０１４５】
以下、以下の選択可能な実施例を参照しながら登録信号が動作データフレームと衝突し且つ損傷を引き起こすという点から、複数種の異なる場合に分けて説明する。
【０１４６】
場合１、登録光ネットワークユニットにより送信される登録信号は動作光ネットワークユニットにより送信されるアップリンクデータフレームと衝突し、動作光ネットワークユニットにより送信されるアップリンクデータフレーム中のペイロードに誤りが発生することを引き起こす。
【０１４７】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０１４８】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０１４９】
登録光ネットワークユニットは光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０１５０】
動作光ネットワークユニットはノイズウィンドウ内の割り当てられた帯域幅を取得した後、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、さらにノイズウィンドウ内の割り当てられた帯域幅内でアップリンクデータフレームを送信する。
【０１５１】
光回線終端装置は動作光ネットワークユニットにより送信されるアップリンクデータフレームをノイズウィンドウ内で受信し、プリアンブルを処理して信号振幅を取得し、信号クロックを復元し、後続のデータストリームを受信し続け、延長変更済み区切りを識別してアップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行い、正確なＦＥＣデータを取得する。
【０１５２】
複数の独立したＦＥＣブロック内に誤りが検出して特定された場合、複数の独立したＦＥＣブロック内の誤りをＦＥＣインターリーブにしたがって関連付け、動作光ネットワークユニットにより送信されるアップリンクデータフレームの誤り発生位置を特定し、さらに該誤り発生位置、登録光ネットワークユニットが登録情報を送信する遅延時間（ある場合）に基づいて、登録光ネットワークユニットのラウンドトリップタイムを推定する。
【０１５３】
光回線終端装置は推定された登録光ネットワークユニットのラウンドトリップタイムに基づいて、後続の帯域幅割当プロセスで登録光ネットワークユニットに対して正確なクワイエットウインドウをオープンする。登録光ネットワークユニットは該クワイエットウインドウ内で自機の認証情報を送信でき、光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。
【０１５４】
ここでは、クワイエットウインドウは割り当てられていない空き帯域幅であってもよく、光回線終端装置が全体帯域幅割当アルゴリズムで取得した空き帯域幅であってもよい。
【０１５５】
光回線終端装置は必要に応じて、ほかの登録を完了していない光ネットワークユニットの登録を行うことができる。
【０１５６】
場合２、この選択可能な実施例では、登録光ネットワークユニットにより送信される登録信号は動作光ネットワークユニットにより送信されるアップリンクデータフレームと衝突し、動作光ネットワークユニットにより送信されるアップリンクデータフレーム中のプリアンブルに誤りが発生することを引き起こす。
【０１５７】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０１５８】
光回線終端装置は登録光ネットワークユニットに登録要求を送信し、該登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０１５９】
登録光ネットワークユニットは光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０１６０】
動作光ネットワークユニットはノイズウィンドウ内の割り当てられた帯域幅を取得し、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、さらにノイズウィンドウ内の割り当てられた帯域幅内でアップリンクデータフレームを送信する。
【０１６１】
光回線終端装置は、動作光ネットワークユニットにより送信されるアップリンクデータフレームをノイズウィンドウ内で受信し、プリアンブルを処理する時、アップリンクデータフレーム信号の検出位置、信号振幅検出完了位置、信号クロック復元位置、繰り返し区切り位置、ペイロード開始点等を取得し、これらの位置間の差を計算する。
【０１６２】
これらの位置差のうちの１つ又は複数が正常位置差と大きく異なる場合、登録信号の衝突位置を大まかに推定でき、さらに登録光ネットワークユニットが登録情報を送信する遅延時間（ある場合）と組み合わせて、登録光ネットワークユニットのラウンドトリップタイムを推定し、後続のデータストリームを受信し続け、繰り返し区切りを識別してアップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行い、さらに正確なＦＥＣデータを取得する。
【０１６３】
光回線終端装置は推定された登録光ネットワークユニットのラウンドトリップタイムに基づいて、後続の帯域幅割当プロセスで登録光ネットワークユニットに対して正確なクワイエットウインドウをオープンし、登録光ネットワークユニットは該クワイエットウインドウ内で自機の認証情報を送信でき、光回線終端装置は該クワイエットウインドウ内で登録光ネットワークユニットの認証情報を取得でき、該光ネットワークユニットに対して距離測定を行う。該光ネットワークユニットと光回線終端装置は協力してさらに登録プロセスを完了する。
【０１６４】
ここでは、クワイエットウインドウは割り当てられていない空き帯域幅であってもよく、光回線終端装置が全体帯域幅割当アルゴリズムで取得した空き帯域幅であってもよい。
【０１６５】
光回線終端装置は必要に応じて、ほかの登録を完了していない光ネットワークユニットの登録を行うことができる。
【０１６６】
場合３、この選択可能な実施例では、登録光ネットワークユニットにより送信される登録信号は動作光ネットワークユニットにより送信されるアップリンクデータフレームと衝突し、動作光ネットワークユニットにより送信されるアップリンクデータフレーム中の区切りに誤りが発生することを引き起こす。
【０１６７】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０１６８】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０１６９】
登録光ネットワークユニットは光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０１７０】
動作光ネットワークユニットはノイズウィンドウ内の割り当てられた帯域幅を取得し、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それによりノイズウィンドウ内の割り当てられた帯域幅内でアップリンクデータフレームを送信する。
【０１７１】
光回線終端装置は、動作光ネットワークユニットにより送信されるアップリンクデータフレームをノイズウィンドウ内で受信し、プリアンブルを処理して信号振幅を取得し、信号クロックを復元し、延長変更済み区切り中の少なくとも１つの正確な部分を識別し、該正確な部分に基づいて延長変更済み区切りと登録信号が衝突して誤りが発生する位置を判断し、その後、該誤り発生位置、登録光ネットワークユニットが登録情報を送信する遅延時間（ある場合）に基づいて、登録光ネットワークユニットのラウンドトリップタイムを推定し、アップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行う。
【０１７２】
光回線終端装置は推定された登録光ネットワークユニットのラウンドトリップタイムに基づいて、後続の帯域幅割当プロセスで登録光ネットワークユニットに対して正確なクワイエットウインドウをオープンし、登録光ネットワークユニットは該クワイエットウインドウ内で自機の認証情報を送信でき、光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。
【０１７３】
ここでは、クワイエットウインドウは割り当てられていない空き帯域幅であってもよく、光回線終端装置が全体帯域幅割当アルゴリズムで取得した空き帯域幅であってもよい。
【０１７４】
光回線終端装置は必要に応じて、ほかの登録を完了していない光ネットワークユニットの登録を行うことができる。
【０１７５】
場合４、この選択可能な実施例では、登録光ネットワークユニットにより送信される登録信号の一部は空き帯域幅にあり、一部は動作光ネットワークユニットにより送信されるアップリンクデータフレームと衝突し、動作光ネットワークユニットにより送信されるアップリンクデータフレーム中のプリアンブルに誤りが発生することを引き起こす。
【０１７６】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０１７７】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０１７８】
登録光ネットワークユニットは、光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０１７９】
動作光ネットワークユニットはノイズウィンドウ内の割り当てられた帯域幅を取得し、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それによりノイズウィンドウ内の割り当てられた帯域幅内でアップリンクデータフレームを送信する。
【０１８０】
光回線終端装置は動作光ネットワークユニットにより送信されるアップリンクデータフレームをノイズウィンドウ内で受信し、アップリンクデータフレームの前の空き帯域幅内で登録信号を検出した。アップリンクデータフレームのプリアンブルから登録信号が検出された場合、そのうちの１つ又は２つに基づいて、登録信号の衝突位置を推定し、登録光ネットワークユニットが登録情報を送信する遅延時間（ある場合）を組み合わせて、登録光ネットワークユニットのラウンドトリップタイムを推定する。
【０１８１】
光回線終端装置は信号振幅検出、信号クロック復元を完了し、繰り返し区切りを識別してアップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行い、正確なＦＥＣデータを取得する。
【０１８２】
光回線終端装置は推定された登録光ネットワークユニットのラウンドトリップタイムに基づいて、後続の帯域幅割当プロセスで登録光ネットワークユニットに対して正確なクワイエットウインドウをオープンし、登録光ネットワークユニットは該クワイエットウインドウ内で自機の認証情報を送信できる。
【０１８３】
光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。ここでは、クワイエットウインドウは割り当てられていない空き帯域幅であってもよく、光回線終端装置が全体帯域幅割当アルゴリズムで取得した空き帯域幅であってもよい。
【０１８４】
光回線終端装置は必要に応じて、ほかの登録を完了していない光ネットワークユニットの登録を行うことができる。
【０１８５】
場合５、この選択可能な実施例では、登録光ネットワークユニットにより送信される登録信号は動作光ネットワークユニットにより送信されるアップリンクデータフレームと衝突し、動作光ネットワークユニットにより送信されるアップリンクデータフレーム中のプリアンブル及び繰り返し区切りに誤りが発生することを引き起こす。
【０１８６】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０１８７】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０１８８】
登録光ネットワークユニットは、光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０１８９】
動作光ネットワークユニットはノイズウィンドウ内の割り当てられた帯域幅を取得し、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それによりノイズウィンドウ内の割り当てられた帯域幅内でアップリンクデータフレームを送信する。
【０１９０】
光回線終端装置は、動作光ネットワークユニットにより送信されるアップリンクデータフレームをノイズウィンドウ内で受信し、プリアンブルを処理して信号振幅を取得し、信号クロックを復元し、一部のプリアンブルが固定ビットシーケンスに一致しない位置を検出し、延長変更済み区切り中の少なくとも１つの正確な部分を識別し、延長変更済み区切りに誤りが発生する位置を検出し、そのうちの一方又は両方に基づいて登録信号に衝突による誤りが発生する位置を大まかに推定し、その後、該誤り発生位置、登録光ネットワークユニットが登録情報を送信する遅延時間（ある場合）に基づいて登録光ネットワークユニットのラウンドトリップタイムを推定する。
【０１９１】
さらにアップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行う。
【０１９２】
光回線終端装置は推定された登録光ネットワークユニットのラウンドトリップタイムに基づいて、後続の帯域幅割当プロセスで登録光ネットワークユニットに対して正確なクワイエットウインドウをオープンし、登録光ネットワークユニットは該クワイエットウインドウ内で自機の認証情報を送信でき、光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。
【０１９３】
ここでは、クワイエットウインドウは割り当てられていない空き帯域幅であってもよく、光回線終端装置が全体帯域幅割当アルゴリズムで取得した空き帯域幅であってもよい。
【０１９４】
光回線終端装置は必要に応じて、ほかの登録を完了していない光ネットワークユニットの登録を行うことができる。
【０１９５】
場合６、この選択可能な実施例では、登録光ネットワークユニットにより送信される登録信号は動作光ネットワークユニットにより送信されるアップリンクデータフレームと衝突し、動作光ネットワークユニットにより送信されるアップリンクデータフレーム中の繰り返し区切り、ペイロードに誤りが発生することを引き起こす。
【０１９６】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０１９７】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０１９８】
登録光ネットワークユニットは、光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０１９９】
動作光ネットワークユニットはノイズウィンドウ内の割り当てられた帯域幅を取得し、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それにより、ノイズウィンドウ内の割り当てられた帯域幅内でアップリンクデータフレームを送信する。
【０２００】
光回線終端装置は、動作光ネットワークユニットにより送信されるアップリンクデータフレームをノイズウィンドウ内で受信し、プリアンブルを処理して信号振幅を取得し、信号クロックを復元し、延長変更済み区切りの前部の少なくとも１つの正確な部分を識別し、アップリンクデータフレームのペイロード開始点を算出し、延長変更済み区切りの誤り発生位置に基づいて、登録情報と衝突する位置を大まかに推定し、アップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行い、正確なＦＥＣデータを取得する。
【０２０１】
複数の独立したＦＥＣブロック内に誤りが検出して特定された場合、複数の独立したＦＥＣブロック内の誤りを関連付け、動作光ネットワークユニットにより送信されるアップリンクデータフレームに誤りが発生する位置を特定し、繰り返し区切りにより推定された登録信号位置及びペイロードの誤り発生位置のうちの少なくとも一方、登録光ネットワークユニットが登録情報を送信する遅延時間（ある場合）を組み合わせて、登録光ネットワークユニットのラウンドトリップタイムを推定する。
【０２０２】
光回線終端装置は推定された登録光ネットワークユニットのラウンドトリップタイムに基づいて、後続の帯域幅割当プロセスで登録光ネットワークユニットに対して正確なクワイエットウインドウをオープンし、登録光ネットワークユニットは該クワイエットウインドウ内で自機の認証情報を送信できる。
【０２０３】
光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。
【０２０４】
ここでは、クワイエットウインドウは割り当てられていない空き帯域幅であってもよく、光回線終端装置が全体帯域幅割当アルゴリズムで取得した空き帯域幅であってもよい。
【０２０５】
光回線終端装置は必要に応じて、ほかの登録を完了していない光ネットワークユニットの登録を行うことができる。
【０２０６】
場合７、この選択可能な実施例では、登録光ネットワークユニットにより送信される登録信号の一部は動作光ネットワークユニットにより送信されるアップリンクデータフレームと衝突し、動作光ネットワークユニットにより送信されるアップリンクデータフレーム中のペイロードに誤りが発生することを引き起こし、一部は空き帯域幅内にある。
【０２０７】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０２０８】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０２０９】
登録光ネットワークユニットは、光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０２１０】
動作光ネットワークユニットはノイズウィンドウ内の割り当てられた帯域幅を取得し、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それにより、ノイズウィンドウ内の割り当てられた帯域幅内でアップリンクデータフレームを送信する。
【０２１１】
光回線終端装置は、動作光ネットワークユニットにより送信されるアップリンクデータフレームをノイズウィンドウ内で受信し、プリアンブルを処理して信号振幅を取得し、信号クロックを復元し、延長変更済み区切りを識別してアップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行い、正確なＦＥＣデータを取得する。
【０２１２】
複数の独立したＦＥＣブロック内に誤りが検出して特定された場合、複数の独立したＦＥＣブロック内の誤りを関連付け、動作光ネットワークユニットにより送信されるアップリンクデータフレームに誤りが発生する位置を特定する。
【０２１３】
アップリンクデータフレームの後の空き帯域幅内で登録情報を検出し、ＦＥＣブロックのインターリーブに誤りが発生する位置、登録光ネットワークユニットが登録情報を送信する遅延時間（ある場合）を組み合わせて、登録光ネットワークユニットのラウンドトリップタイムを推定し、光回線終端装置は推定された登録光ネットワークユニットのラウンドトリップタイムに基づいて、後続の帯域幅割当プロセスで登録光ネットワークユニットに対して正確なクワイエットウインドウをオープンし、登録光ネットワークユニットは該クワイエットウインドウ内で自機の認証情報を送信できる。
【０２１４】
光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。ここでは、クワイエットウインドウは割り当てられていない空き帯域幅であってもよく、光回線終端装置が全体帯域幅割当アルゴリズムで取得した空き帯域幅であってもよい。
【０２１５】
光回線終端装置は必要に応じて、ほかの登録を完了していない光ネットワークユニットの登録を行うことができる。
【０２１６】
さらに、本発明の別の選択可能な実施例では、光ネットワークユニット登録メカニズムを簡略化するために、アップリンクデータフレームに誤りが発生する場合、誤り訂正のみを行い、衝突信号の位置を判断せず、空き帯域幅内のみで登録信号を検出する。空き帯域幅で登録信号が検出されていない場合、ノイズウィンドウ内の帯域幅割当を調整して、光ネットワークユニットを再登録する。
【０２１７】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０２１８】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０２１９】
登録光ネットワークユニットは光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０２２０】
動作光ネットワークユニットはノイズウィンドウ内の割り当てられた帯域幅を取得し、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それにより、ノイズウィンドウ内の割り当てられた帯域幅内でアップリンクデータフレームを送信する。
【０２２１】
光回線終端装置は動作光ネットワークユニットにより送信されるアップリンクデータフレームをノイズウィンドウ内で受信し、延長プリアンブルに対してフォールトトレランス、誤り訂正処理を行い、信号振幅を取得し、信号クロックを復元し、延長変更済み区切りに対してフォールトトレランス、誤り訂正処理を行った後、繰り返し区切りの一部又は全部を識別し、アップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行い、正確なＦＥＣデータを取得する。
【０２２２】
光回線終端装置はノイズウィンドウの空き帯域幅内で登録信号を検出し、空き帯域幅内での登録信号の位置を推定する。
【０２２３】
たとえば、光モジュールはノイズウィンドウの空き帯域幅内で信号検出プロンプトを出力する。光回線終端装置は、信号検出プロンプトの位置、登録光ネットワークユニットが登録情報を送信する遅延時間（ある場合）に基づいて登録光ネットワークユニットと光回線終端装置の論理距離を推定する。光回線終端装置は推定された登録光ネットワークユニットのラウンドトリップタイムに基づいて、後続の帯域幅割当プロセスで登録光ネットワークユニットに対して正確なクワイエットウインドウをオープンする。登録光ネットワークユニットは該クワイエットウインドウ内で自機の認証情報を送信できる。
【０２２４】
光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。ここでは、クワイエットウインドウは割り当てられていない空き帯域幅であってもよく、光回線終端装置が全体帯域幅割当アルゴリズムで取得した空き帯域幅であってもよい。
【０２２５】
光回線終端装置は必要に応じて、ほかの登録を完了していない光ネットワークユニットの登録を行うことができる。
【０２２６】
さらに、本発明の別の選択可能な実施例では、アップリンクデータフレームに誤りが発生する場合、誤り訂正を行い、誤り訂正位置に基づいて衝突信号の位置を判断し、空き帯域幅内でも登録信号を検出する。空き帯域幅にもアップリンクデータフレームにも登録信号が検出されてない場合、ノイズウィンドウ内の帯域幅割当を調整して、光ネットワークユニットを再登録する。
【０２２７】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０２２８】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０２２９】
登録光ネットワークユニットは、光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０２３０】
動作光ネットワークユニットはノイズウィンドウ内の割り当てられた帯域幅を取得し、サイズが割り当てられた帯域幅に一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それにより、ノイズウィンドウ内の割り当てられた帯域幅内でアップリンクデータフレームを送信する。
【０２３１】
光回線終端装置は、動作光ネットワークユニットにより送信されるアップリンクデータフレームをノイズウィンドウ内で受信し、延長プリアンブルに対してフォールトトレランス、誤り訂正処理を行い、信号振幅を取得し、信号クロックを復元し、延長プリアンブルに対して誤り訂正処理を行った場合、登録信号位置を取得し、延長変更済み区切りに対してフォールトトレランス、誤り訂正処理を行った後、延長変更済み区切りを識別する。
【０２３２】
延長変更済み区切りに対して誤り訂正処理を行った場合、登録信号位置を取得し、延長変更済み区切りに基づいてアップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行い、正確なＦＥＣデータを取得する。
【０２３３】
複数のＦＥＣブロックに対して誤り訂正処理を行った場合、誤り訂正処理に基づいて登録信号位置を取得する。その後、延長プリアンブルの誤り訂正処理、延長変更済み区切りの誤り訂正処理、ペイロードの誤り訂正処理により取得された登録信号位置をまとめて、該誤り発生位置、登録光ネットワークユニットが登録情報を送信する遅延時間（ある場合）に基づいて登録光ネットワークユニットのラウンドトリップタイムを推定する。
【０２３４】
光回線終端装置は推定された登録光ネットワークユニットのラウンドトリップタイムに基づいて、後続の帯域幅割当プロセスで登録光ネットワークユニットに対して正確なクワイエットウインドウをオープンする。登録光ネットワークユニットは該クワイエットウインドウ内で自機の認証情報を送信できる。
【０２３５】
光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。ここでは、クワイエットウインドウは割り当てられていない空き帯域幅であってもよく、光回線終端装置が全体帯域幅割当アルゴリズムで取得した空き帯域幅であってもよい。
【０２３６】
光回線終端装置はノイズウィンドウの空き帯域幅内で登録信号を検出し、空き帯域幅内での登録信号の位置を推定する。
【０２３７】
たとえば、光モジュールはノイズウィンドウの空き帯域幅内で信号検出プロンプトを出力する。光回線終端装置は、信号検出プロンプトの位置、登録光ネットワークユニットが登録情報を送信する遅延時間（ある場合）に基づいて登録光ネットワークユニットと光回線終端装置の論理距離を推定する。
【０２３８】
光回線終端装置は推定された登録光ネットワークユニットのラウンドトリップタイムに基づいて、後続の帯域幅割当プロセスで登録光ネットワークユニットに対して正確なクワイエットウインドウをオープンする。登録光ネットワークユニットは該クワイエットウインドウ内で自機の認証情報を送信できる。光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。
【０２３９】
ここでは、クワイエットウインドウは割り当てられていない空き帯域幅であってもよく、光回線終端装置が全体帯域幅割当アルゴリズムで取得した空き帯域幅であってもよい。
【０２４０】
光回線終端装置は必要に応じて、ほかの登録を完了していない光ネットワークユニットの登録を行うことができる。
【０２４１】
オプションとして、前記方法は、以下の実行ステップをさらに含んでもよい。
【０２４２】
ステップＳ３５、第２光ネットワークユニットの第１距離情報を取得する。
【０２４３】
オプションとして、ステップＳ３５では、第２光ネットワークユニットの第１距離情報を取得した後、以下の実行ステップをさらに含んでもよい。
【０２４４】
ステップＳ３６、第１距離情報に基づいて第２光ネットワークユニットに対して第２時間ウィンドウをオープンし、第２光ネットワークユニットの登録を完了し、第２時間ウィンドウは第２光ネットワークユニットの認証情報を取得し、光回線終端装置と第２光ネットワークユニットとの第２距離情報を測定することに用いられる。
【０２４５】
動作光ネットワークユニットはノイズウィンドウ内の割り当てられた帯域幅内でデータを送信し、登録光ネットワークユニットにより送信される登録信号と衝突して損傷を受ける可能性がある。したがって、動作光ネットワークユニットがノイズウィンドウ内で送信するデータに冗長保護を行う必要があり、それにより、これらのデータが衝突による損傷を受けたとしても、光回線終端装置はこれらのデータを復元できる。
【０２４６】
登録光ネットワークユニットにより送信される登録信号が動作光ネットワークユニットにより送信されるアップリンクデータと衝突する場合、光回線終端装置は冗長保護措置によって、衝突を受けた動作光ネットワークユニットにより送信されるアップリンクデータを復元し、衝突位置を特定し、光ネットワークユニットのラウンドトリップタイム（Ｒｏｕｎｄ  Ｔｒｉｐ  Ｔｉｍｅ、略称：ＲＴＴ）を初歩的に取得し、光回線終端装置は該ラウンドトリップタイムにより決定された初期距離情報（即ち、前記第１距離情報）に基づいて登録光ネットワークユニットに対して小さなクワイエットウインドウ（前記第２時間ウィンドウに相当する）をオープンし、登録光ネットワークユニットの情報を取得し、高精度の距離測定を行い、光回線終端装置と第２光ネットワークユニットの高精度の距離情報（即ち、前記第２距離情報）を取得する。
【０２４７】
登録光ネットワークユニットは光回線終端装置からの高精度の距離測定命令を受信した後、光回線終端装置に自機の認証情報を送信する。
【０２４８】
また、登録光ネットワークユニットにより送信される登録信号が完全にノイズウィンドウ内の割り当てられていない帯域幅（前記第２部分帯域幅に相当する）内にある場合、光回線終端装置は登録信号を検出し、光ネットワークユニットのラウンドトリップタイムを初歩的に取得し、光回線終端装置は該ラウンドトリップタイムにより決定された初期距離情報（即ち、前記第１距離情報）基づいて登録光ネットワークユニットに対して小さなクワイエットウインドウ（前記第２時間ウィンドウに相当する）をオープンし、登録光ネットワークユニットの情報を取得し、高精度の距離測定を行い、光回線終端装置と第２光ネットワークユニットの高精度の距離情報（即ち、前記第２距離情報）を取得する。登録光ネットワークユニットは光回線終端装置からの高精度の距離測定命令を受信した後、光回線終端装置に自機の認証情報を送信する。
【０２４９】
以下、選択可能な実施例を参照しながら、登録信号が空き帯域幅内で光回線終端装置に到達することをさらに詳細に説明する。
【０２５０】
この選択可能な実施例では、登録信号は空き帯域幅内で光回線終端装置に到達する。登録光ネットワークユニットにより送信される登録信号はノイズウィンドウ内の空き帯域幅内で光回線終端装置に到達し、動作光ネットワークユニットにより送信されるアップリンクデータフレームと衝突しない。
【０２５１】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０２５２】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０２５３】
登録光ネットワークユニットは光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０２５４】
動作光ネットワークユニットはノイズウィンドウ内の割り当てられた帯域幅を取得し、サイズが割り当てられた帯域幅に一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それにより、ノイズウィンドウ内の割り当てられた帯域幅内でアップリンクデータフレームを送信する。
【０２５５】
光回線終端装置はノイズウィンドウの空き帯域幅内で登録信号を検出し、空き帯域幅内での登録信号の位置を推定する。
【０２５６】
たとえば、光モジュールはノイズウィンドウの空き帯域幅内で信号検出プロンプトを出力する。光回線終端装置は、信号検出プロンプトの位置、登録光ネットワークユニットが登録情報を送信する遅延時間（ある場合）に基づいて登録光ネットワークユニットと光回線終端装置の論理距離を推定する。
【０２５７】
光回線終端装置は推定された登録光ネットワークユニットのラウンドトリップタイムに基づいて、後続の帯域幅割当プロセスで登録光ネットワークユニットに対して正確なクワイエットウインドウをオープンする。登録光ネットワークユニットは該クワイエットウインドウ内で自機の認証情報を送信できる。光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。
【０２５８】
ここでは、クワイエットウインドウは割り当てられていない空き帯域幅であってもよく、光回線終端装置が全体帯域幅割当アルゴリズムで取得した空き帯域幅であってもよい。
【０２５９】
光回線終端装置は必要に応じて、ほかの登録を完了していない光ネットワークユニットの登録を行うことができる。
【０２６０】
本発明の選択可能な実施例では、光回線終端装置は、登録光ネットワークユニットにより送信される登録信号が検出されていない場合、ノイズウィンドウ内の動作光ネットワークユニットに割り当てられた帯域幅及び割り当てられていないアップリンク帯域幅を調整し、それにより登録光ネットワークユニットは登録信号を再送信し、又は光回線終端装置は登録光ネットワークユニットをランダムに遅延させた後、登録信号を送信し、又は光回線終端装置は該光ネットワークユニットの登録を一時的に停止し、まず、ほかの光ネットワークユニットを登録した後に、該光ネットワークユニットの登録を再開し、又は所定時間待機した後、光回線終端装置は該光ネットワークユニットの登録を再開する。
【０２６１】
以下、選択可能な実施例を参照しながら、複数種の場合に分けて光回線終端装置により登録信号が検出されていないことをさらに詳細に説明する。
【０２６２】
場合１、登録信号は動作データフレームと重なるが、動作データフレームに影響しない。
【０２６３】
該実施例では、登録光ネットワークユニットにより送信される登録信号は動作光ネットワークユニットにより送信されるアップリンクデータフレームと重なるが、動作光ネットワークユニットにより送信されるアップリンクデータフレームに影響しない。
【０２６４】
説明を簡略化するために、本実施例では、光ネットワークユニット認証情報ライブラリは光回線終端装置に記憶されており、光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０２６５】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含み、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０２６６】
登録光ネットワークユニットは光回線終端装置により送信される登録要求を受信した後、そのうちの光ネットワークユニット認証情報、遅延時間（登録要求が該情報を含む場合）を解析し、自機の認証情報が登録要求中の光ネットワークユニット認証情報に一致するか否かを判断し、一致する場合、直接又は指定する遅延時間待機した後、登録要求に応答し、光回線終端装置に登録信号を送信する。
【０２６７】
動作光ネットワークユニットはノイズウィンドウ内の割り当てられた帯域幅を取得し、サイズが割り当てられた帯域幅に一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、最後に、ノイズウィンドウ内の割り当てられた帯域幅内でアップリンクデータフレームを送信する。
【０２６８】
登録光ネットワークユニットにより送信される登録信号は動作光ネットワークユニットにより送信される動作データフレームと重なるが、動作データフレームに影響せず、光回線終端装置は動作データフレームを正確に解析でき、誤りが検出されていない。光回線終端装置は、動作光ネットワークユニットにより送信されるアップリンクデータフレームをノイズウィンドウ内で受信し、プリアンブルを処理して信号振幅を取得し、信号クロックを復元し、繰り返し区切りを識別し、アップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行う。
【０２６９】
登録光ネットワークユニットが動作光ネットワークユニットよりも光回線終端装置から遥かに遠い場合、登録信号は動作データフレーム信号よりも遥かに弱く、本実施例における場合が出現する可能性があるが、本実施例及び本発明を限定するものではない。
【０２７０】
光回線終端装置は、ノイズウィンドウの空き帯域幅の位置を調整し又は遅延時間を変更し、該登録光ネットワークユニットを再登録することができ、又は光回線終端装置は該光ネットワークユニットの登録を一時的に停止し、ほかの光ネットワークユニットの登録を完了した後、該光ネットワークユニットを登録することができる。
【０２７１】
場合２、光ネットワークユニットは登録に応答していない。
【０２７２】
該実施例では、登録光ネットワークユニットは光回線終端装置の登録要求に応答しておらず、登録信号を送信していない。
【０２７３】
説明を簡略化するために、本実施例では、光ネットワークユニット認証情報ライブラリは光回線終端装置に記憶されており、光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０２７４】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含み、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０２７５】
登録光ネットワークユニットは光回線終端装置に登録信号を送信しておらず、たとえば、登録光ネットワークユニットは電源がオンしておらず、又は登録光ネットワークユニットは起動中であり、光回線終端装置に応答できず、又は登録光ネットワークユニットは非正常状態で動作し、光回線終端装置に応答できない等である。
【０２７６】
動作光ネットワークユニットはノイズウィンドウ内の割り当てられた帯域幅を取得し、サイズが割り当てられた帯域幅に一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、最後に、ノイズウィンドウ内の割り当てられた帯域幅内でアップリンクデータフレームを送信する。
【０２７７】
光回線終端装置は動作データフレームを正確に解析でき、誤りが検出されておらず、光回線終端装置はノイズウィンドウ内の空き帯域幅内で登録信号が検出されていない。光回線終端装置は、動作光ネットワークユニットにより送信されるアップリンクデータフレームをノイズウィンドウ内で受信し、プリアンブルを処理して信号振幅を取得し、信号クロックを復元し、後続のデータストリームを受信し続け、繰り返し区切りを識別し、アップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行う。
【０２７８】
光回線終端装置は、ノイズウィンドウの空き帯域幅の位置を調整し又は遅延時間を変更し、該登録光ネットワークユニットを再登録することができ、又は光回線終端装置は該光ネットワークユニットの登録を一時的に停止し、ほかの光ネットワークユニットの登録を完了した後、該光ネットワークユニットを登録することができる。
【０２７９】
本実施例では、動作光ネットワークユニットにより実行される別の受動光ネットワークシステムのデータ処理方法をさらに提供し、図６は本発明の一実施例に係る別の受動光ネットワークシステムのデータ処理方法のフローチャートであり、図６に示すように、該プロセスは以下のステップを含む。
【０２８０】
ステップＳ６１、光回線終端装置により割り当てられる第１部分帯域幅を取得する。
【０２８１】
ステップＳ６４、第１部分帯域幅内で光回線終端装置に第１データフレームを送信し、所定の条件を満たす場合、光回線終端装置に第２データフレームを送信し、第１データフレームは登録済みで動作状態にある光ネットワークユニットにより送信されるサービスデータフレームであり、第２データフレームは登録を完了していない光ネットワークユニットにより送信される登録信号フレームである。
【０２８２】
選択可能な実施形態では、所定の条件を満たす場合、光回線終端装置に第２データフレームを送信するステップは、以下の方式のいずれかを含んでもよいが、これらに限定されない。
【０２８３】
方式１、第２光ネットワークユニットは、光回線終端装置に第２データフレームを能動的に送信する。
【０２８４】
方式２、第２光ネットワークユニットは、光回線終端装置により送信される登録要求を取得した後、第２データフレームを送信する。
【０２８５】
方式３、第２光ネットワークユニットは、光回線終端装置により送信される登録要求メッセージ及び遅延時間を取得した後、遅延時間待機して第２データフレームを送信する。
【０２８６】
本発明の実施例に係る受動光ネットワークシステムでは、動作光ネットワークユニットは登録光ネットワークユニットの登録中にデータフレームを送信できる。光回線終端装置は登録光ネットワークユニットにより送信される登録信号を空き帯域幅内で検出することができ、登録信号と動作データが衝突する場合、登録信号を検出し、衝突する動作データを復元し、登録光ネットワークユニットと光回線終端装置の距離情報を大まかに推定することもできる。
【０２８７】
受動光ネットワークでは、登録する光ネットワークユニットが存在する場合、動作光ネットワークユニットはデータを送信でき、ノイズウィンドウ内の帯域幅を十分に利用し、帯域幅の利用率を高め、光ネットワークユニットの登録プロセスにおけるノイズウィンドウによる遅延を減らしさらに解消し、それにより受動光ネットワークシステムの伝送遅延を減らす。
【０２８８】
オプションとして、前記ステップの実行主体は動作光ネットワークユニット等であってもよいが、これに限定されない。
【０２８９】
オプションとして、ステップＳ６４では、第１部分帯域幅内で光回線終端装置に第１データフレームを送信する前、以下の実行ステップをさらに含んでもよい。
【０２９０】
ステップＳ６２、光回線終端装置から第１データフレームに対して冗長保護措置を施す通知を取得する。
【０２９１】
ステップＳ６３、第１データフレームに対して冗長保護措置を施す。
【０２９２】
必要に応じて、光回線終端装置は動作光ネットワークユニットにノイズウィンドウ内の帯域幅を割り当てる際に、さらにデータの送信時に冗長保護を行うことを動作光ネットワークユニットに通知する。動作光ネットワークユニットは光回線終端装置により割り当てられるノイズウィンドウ内の帯域幅を受信する。動作光ネットワークユニットはこれらの帯域幅内でデータを送信する時にデータに対して冗長保護を行う必要がある。
【０２９３】
選択可能な実施形態では、光回線終端装置は、ノイズウィンドウ内で動作光ネットワークユニットに正常帯域幅を割り当てることに加えて、追加帯域幅を割り当て、それにより、動作光ネットワークユニットは正常帯域幅内でデータを送信し、正常帯域幅内で送信するデータを追加帯域幅内で繰り返し送信する。
【０２９４】
動作光ネットワークユニットは光回線終端装置により割り当てられるノイズウィンドウ内の正常帯域幅及び冗長帯域幅を受信した後、正常帯域幅内でデータを送信し、正常帯域幅内で送信するデータを冗長帯域幅内で繰り返し送信する。動作光ネットワークユニットは正常帯域幅内でデータを送信し、正常帯域幅内で送信するデータを追加帯域幅内で繰り返し送信し、このように、一方のデータが衝突による損傷を受けたとしても、他方のデータは衝突による損傷を免れており、それにより光回線終端装置は衝突による損傷を免れるデータからアップリンクデータを復元できる。ノイズウィンドウ内の空き帯域幅が多い場合、このような冗長保護措置を採用できる。
【０２９５】
オプションとして、ステップＳ６３では、第１データフレームに対して冗長保護措置を施すステップは、以下の実行ステップを含んでもよい。
【０２９６】
ステップＳ６３１、所定の符号化方式を用いて第１データフレーム中のペイロードを符号化処理し、第２データフレームの損傷範囲は所定の符号化方式の符号化冗長保護ブロックの誤り訂正範囲内にある。
【０２９７】
動作光ネットワークユニットはノイズウィンドウ内で割り当てられる帯域幅内でデータを送信し、ＦＥＣ等の符号化を用いて冗長保護を行う。登録信号の損傷範囲は符号化冗長保護ブロックの誤り訂正範囲内にあり、光回線終端装置は衝突による損傷を受けたデータを復元でき、且つ誤りが発生するビット位置を特定できる。たとえば、ＦＥＣがリード・ソロモンＲＳ（２５５，２２３）を採用する場合、ＦＥＣブロックの誤り訂正能力は（２５５−２２３）／２＝１６バイトである。したがって、登録信号の損傷能力が１６バイト以下である場合、光ネットワークユニットはこのような冗長保護措置を採用できる。
【０２９８】
動作光ネットワークユニットはノイズウィンドウ内で割り当てられる帯域幅内でデータを送信し、ＦＥＣ等の符号化を採用して冗長保護を行い、且つ符号化ブロックをランダムにインターリーブし、衝突が集中する誤りを複数の符号化ブロックに分散させる。
【０２９９】
受信プロセスでは、光回線終端装置は、まず、インターリーブされた符号化ブロックのデインターリーブを行い、各符号化ブロックを復元し、各符号化ブロックに対してそれぞれチェック及び誤り訂正を行い、さらに符号化ブロックのインターリーブを行い、それにより誤りの位置を判断する。
【０３００】
ＲＳ（２５５，２２３）を例に、各ＦＥＣブロックは２５５バイトであり、２つのＦＥＣブロックのインターリーブ順序は、１番目のＦＥＣブロックの１番目のビット、２番目のＦＥＣブロックの２番目のビット、１番目のＦＥＣブロックの２番目のビット、２番目のＦＥＣブロックの２番目のビット、…１番目のＦＥＣブロックの２５５番目のビット、２番目のＦＥＣブロックの２５５番目のビットであり、１つの５１０バイトのＦＥＣインターリーブブロックを形成する。
【０３０１】
登録信号によるＦＥＣインターリーブブロックの損傷範囲が１６バイトである場合、損傷がＦＥＣインターリーブブロック中の２つのＦＥＣブロックに分散し、各ＦＥＣブロックが８バイトの損傷を受ける。勿論、より多くのＦＥＣブロックのインターリーブを実現でき、且つインターリーブプロセスは１ビットを単位としてもよく、複数のビットを単位としてもよい。ここでは詳細説明をしない。
【０３０２】
オプションとして、ステップＳ６３では、第１データフレームに対して冗長保護措置を施すステップは、以下の実行ステップを含んでもよい。
【０３０３】
ステップＳ６３２、第１データフレーム中のプリアンブルを延長し、衝突の発生時に光回線終端装置が信号振幅検出及び信号クロック復元を行うための延長処理済みのプリアンブルを得る。
【０３０４】
動作光ネットワークユニットにより送信されるデータは１つのバーストデータフレームであり、該データフレームの前部にプリアンブル、区切り等のフィールドがさらに含まれる。プリアンブルは主に光回線終端装置が信号振幅検出及び信号クロック復元を行うことに用いられ、通常、１つの固定ビットシーケンスを繰り返して得られる。
【０３０５】
区切りは光回線終端装置がバーストデータフレームの開始位置を識別することに用いられ、通常、１つの固定のビットシーケンスである。プリアンブルや区切りが損傷を受けると、光回線終端装置は動作光ネットワークユニットにより送信されるアップリンクデータフレームを正確に解析できない可能性があり、したがって、プリアンブル、区切りの冗長保護も必要であり、プリアンブル延長、区切り延長変更等を含む。
【０３０６】
選択可能な実施形態として、プリアンブルを元のプリアンブルの２倍と１つの登録信号の長さとの合計に延長し、登録信号が延長プリアンブルの任意の位置に出現する。光回線終端装置は延長プリアンブルで信号振幅検出及び信号クロック復元を完了でき、光回線終端装置はアップリンクデータフレーム信号検出時点、信号クロック復元完了時点、取得した区切り位置等の情報を組み合わせて登録信号の衝突位置を大まかに判断することができる。
【０３０７】
別の選択可能な実施形態として、光回線終端装置は延長プリアンブルの前部で信号振幅検出を複数回行い、信頼性の高い信号振幅を選択して後続の信号に対してレベル判定を行う。別の選択可能な実施形態として、光回線終端装置は延長プリアンブルで信号振幅検出を完了した後、信号振幅を長時間ロックする。
【０３０８】
オプションとして、ステップＳ６３では、第１データフレームに対して冗長保護措置を施すステップは、以下の実行ステップを含んでもよい。
【０３０９】
ステップＳ６３３、第１データフレーム中の区切りを延長変更し、衝突の発生時に光回線終端装置が少なくとも区切りの一部を識別できるための延長処理済みの区切りを得て、区切りは光回線終端装置が第１データフレームの開始位置を識別することに用いられる。
【０３１０】
動作光ネットワークユニットは、少なくとも登録信号よりも１つの元の区切り長さ分大きくなるまで、元の区切りを複数回変更して繰り返すことができ、登録信号と繰り返し区切りとの衝突がどの位置に出現するかにかかわらず、光回線終端装置は少なくとも１つの正確な部分を検索でき、それにより、検索した少なくとも１つの正確な部分に基づいて、登録信号の衝突位置を大まかに判断できる。
【０３１１】
以上の実施形態についての説明を通じて、当業者は、前記実施例に係る方法はソフトウェアと必要な汎用ハードウェアプラットフォームの形態によって実現でき、勿論、ハードウェアによって実現できるが、多くの場合、前者は好ましい実施形態であることを明確に理解できる。この理解に基づいて、本発明の技術案は本質的には、又は従来技術に貢献する部分はソフトウェア製品の形態で具現化でき、該コンピュータソフトウェア製品は記憶媒体（たとえば、ＲＯＭ／ＲＡＭ、磁気ディスク、光ディスク）に記憶され、端末装置（たとえば、携帯電話、コンピュータ、サーバ、又はネットワーク装置等）に本発明の各実施例に記載の方法を実行させるための複数の命令を含む。
【０３１２】
実施例２
本実施例では、受動光ネットワークシステムのデータ処理装置をさらに提供し、該装置は前記実施例及び好ましい実施形態を実現することに用いられ、説明されたことについて、重複説明をしない。以下で使用される「モジュール」のような用語は、所定の機能を実現できるソフトウェア及び／又はハードウェアの組み合わせである。以下の実施例で説明される装置は好ましくはソフトウェアによって実現されるが、ハードウェア、又はソフトウェアとハードウェアの組み合わせによる実現も可能であり、且つ想到される。
【０３１３】
図７は本発明の一実施例に係る受動光ネットワークシステムのデータ処理装置の構造ブロック図であり、図７に示すように、該装置は、第１時間ウィンドウ内で、登録済みで動作状態にある第１光ネットワークユニットに第１部分帯域幅を割り当てるように構成される割当モジュール１０と、第１部分帯域幅の対応する時間内に第１光ネットワークユニットからの第１データフレームを受信し、第１時間ウィンドウ内で、登録を完了していない第２光ネットワークユニットからの第２データフレームを検出するように構成される処理モジュール２０と、を備える。
【０３１４】
オプションとして、処理モジュール２０は、第１時間ウィンドウ内の第１部分帯域幅を除く第２部分帯域幅内で第２光ネットワークユニットからの第２データフレームを検出するように構成される。
【０３１５】
オプションとして、処理モジュール２０は、第１光ネットワークユニットが第１データフレームに対して施した冗長保護措置を利用して、第１データフレームを取得するように構成される。
【０３１６】
オプションとして、処理モジュール２０はさらに、第１光ネットワークユニットが第１データフレームに対して施した冗長保護措置を利用して第１データフレームに誤りが発生したことが識別された場合、第２データフレームと第１データフレームの衝突位置を取得するように構成される。
【０３１７】
オプションとして、図８は本発明の選択可能な実施例に係る受動光ネットワークシステムのデータ処理装置の構造ブロック図であり、図８に示すように、図７に示すすべてのモジュールに加えて、該装置は、後続の第１時間ウィンドウ内で第１部分帯域幅を割り当て、第１部分帯域幅の対応する時間は衝突位置を含まず、第１時間ウィンドウ内で第２光ネットワークユニットからの第２データフレームを検出し、衝突位置を再特定するように構成される特定モジュール３０をさらに備える。
【０３１８】
オプションとして、図８は本発明の選択可能な実施例に係る受動光ネットワークシステムのデータ処理装置の構造ブロック図であり、図８に示すように、図７に示すすべてのモジュールに加えて、該装置は、第２光ネットワークユニットの第１距離情報を取得するように構成される取得モジュール４０をさらに備える。
【０３１９】
オプションとして、図８は本発明の選択可能な実施例に係る受動光ネットワークシステムのデータ処理装置の構造ブロック図であり、図８に示すように、図７に示すすべてのモジュールに加えて、該装置は、第１距離情報に基づいて第２光ネットワークユニットに対して第２時間ウィンドウをオープンし、第２光ネットワークユニットの登録を完了するように構成される登録モジュール５０をさらに備え、第２時間ウィンドウは第２光ネットワークユニットの認証情報を取得し、光回線終端装置と第２光ネットワークユニットとの第２距離情報を測定することに用いられる。
【０３２０】
オプションとして、図８は本発明の選択可能な実施例に係る受動光ネットワークシステムのデータ処理装置の構造ブロック図であり、図８に示すように、図７に示すすべてのモジュールに加えて、該装置は、第１データフレームに対して冗長保護措置を施すことを第１光ネットワークユニットに通知するように構成される通知モジュール６０をさらに備える。
【０３２１】
オプションとして、処理モジュール２０はさらに、第１光ネットワークユニットが第１データフレームのペイロードに対して採用した所定の符号化方式によって第１データフレームに誤りが発生したことが検出された場合、第１データフレームを復元し、衝突位置を特定するように構成され、第２データフレームと第１データフレームが衝突する損傷範囲は所定の符号化方式の符号化冗長保護ブロックの誤り訂正範囲内にある。
【０３２２】
オプションとして、処理モジュール２０はさらに、第１光ネットワークユニットにより延長処理されたプリアンブルに対して信号振幅検出と信号クロック復元を行い、信号振幅及び／又は信号クロックに異常が発生したことが検出された場合、信号振幅及び／又は信号クロックを復元し、衝突位置を特定するように構成される。
【０３２３】
オプションとして、処理モジュール２０はさらに、第１光ネットワークユニットにより延長変更処理された区切りから誤りが検出された場合、区切り中の少なくとも１つの部分を正確に識別し、区切りに誤りが発生する位置を取得し、衝突位置を特定し、ペイロードの開始位置を取得するように構成される。
【０３２４】
オプションとして、図８は本発明の選択可能な実施例に係る受動光ネットワークシステムのデータ処理装置の構造ブロック図であり、図８に示すように、図７に示すすべてのモジュールに加えて、該装置は、第２光ネットワークユニットに登録要求メッセージを送信するように構成される送信モジュール７０をさらに備え、登録要求メッセージは、第２データフレームの送信を第２光ネットワークユニットに通知するように構成され、登録要求メッセージには少なくとも第１認証情報が含まれている。
【０３２５】
オプションとして、図８は本発明の選択可能な実施例に係る受動光ネットワークシステムのデータ処理装置の構造ブロック図であり、図８に示すように、図７に示すすべてのモジュールに加えて、該装置は、認証情報に基づいて第２光ネットワークユニットの登録プロセスを開始するように、第１光ネットワークユニットと第２光ネットワークユニットの認証情報を記憶するように構成される記憶モジュール８０をさらに備え、認証情報は各光ネットワークユニットの身元情報及び／又は光ネットワークユニットのユーザーの身元情報を含む。
【０３２６】
オプションとして、登録要求メッセージには、遅延時間を待機した後に第２データフレームを送信することを第２光ネットワークユニットに指示するための遅延時間がさらに含まれている。
【０３２７】
図９は本発明の一実施例に係る別の受動光ネットワークシステムのデータ処理装置の構造ブロック図であり、図９に示すように、該装置は、光回線終端装置により割り当てられる第１部分帯域幅を取得するように構成される取得モジュール９０と、第１部分帯域幅内で光回線終端装置に第１データフレームを送信し、所定の条件を満たす場合、光回線終端装置に第２データフレームを送信するように構成される処理モジュール９２と、を備え、第１データフレームは登録済みで動作状態にある光ネットワークユニットにより送信されるサービスデータフレームであり、第２データフレームは登録を完了していない光ネットワークユニットにより送信される登録信号フレームである。
【０３２８】
オプションとして、図１０は本発明の選択可能な実施例に係る別の受動光ネットワークシステムのデータ処理装置の構造ブロック図であり、図１０に示すように、図９に示すすべてのモジュールに加えて、該装置は、光回線終端装置から第１データフレームに対して冗長保護措置を施す通知を取得するように構成される取得モジュール９４と、通知メッセージに応答して、第１データフレームに対して冗長保護措置を施すように構成される保護モジュール９６と、をさらに備える。
【０３２９】
オプションとして、保護モジュール９６は、所定の符号化方式を用いて第１データフレーム中のペイロードを符号化処理するように構成され、第２データフレームの損傷範囲は所定の符号化方式の符号化冗長保護ブロックの誤り訂正範囲内にある。
【０３３０】
オプションとして、保護モジュール９６は、第１データフレーム中のプリアンブルを延長し、衝突の発生時に光回線終端装置が信号振幅検出及び信号クロック復元を行うための延長処理済みのプリアンブルを得るように構成される。
【０３３１】
オプションとして、保護モジュール９６は、第１データフレーム中の区切りを延長変更し、衝突の発生時に光回線終端装置が少なくとも区切りの一部を識別できるための延長処理済みの区切りを得るように構成され、区切りは光回線終端装置が第１データフレームの開始位置を識別することに用いられる。
【０３３２】
オプションとして、処理モジュール９２は、所定の条件を満たす場合、光回線終端装置に第２データフレームを送信するステップは、光回線終端装置に第２データフレームを能動的に送信するステップ、光回線終端装置により送信される登録要求メッセージを取得した後、第２データフレームを送信するステップ、及び光回線終端装置により送信される登録要求メッセージ及び遅延時間を取得した後、遅延時間待機して第２データフレームを送信するステップのうちのいずれかを含むように構成される。
【０３３３】
なお、前記各モジュールはソフトウェア又はハードウェアによって実現でき、後者の場合、以下の形態によって実現できるが、これらに限定されない。前記モジュールはいずれも同一プロセッサに位置し、又は、前記各モジュールは任意の組み合わせの形態でそれぞれ異なるプロセッサに位置する。
【０３３４】
実施例３
本発明の実施例は記憶媒体をさらに提供し、該記憶媒体にはコンピュータプログラムが記憶されており、該コンピュータプログラムは、実行されると、前記方法実施例のいずれかにおけるステップを実行するように構成される。
【０３３５】
オプションとして、本実施例では、前記記憶媒体は、以下のステップを実行するためのコンピュータプログラムを記憶するように構成されてもよい。
【０３３６】
ステップＳ１、第１時間ウィンドウ内で、登録済みで動作状態にある第１光ネットワークユニットに第１部分帯域幅を割り当てる。
【０３３７】
ステップＳ２、第１部分帯域幅の対応する時間内に第１光ネットワークユニットからの第１データフレームを受信し、第１時間ウィンドウ内で、登録を完了していない第２光ネットワークユニットからの第２データフレームを検出する。
【０３３８】
オプションとして、本実施例では、前記記憶媒体はさらに、以下のステップを実行するためのコンピュータプログラムを記憶するように構成されてもよい。
【０３３９】
ステップＳ１、光回線終端装置により割り当てられる第１部分帯域幅を取得する。
【０３４０】
ステップＳ２、第１部分帯域幅内で光回線終端装置に第１データフレームを送信し、所定の条件を満たす場合、光回線終端装置に第２データフレームを送信し、第１データフレームは登録済みで動作状態にある光ネットワークユニットにより送信されるサービスデータフレームであり、第２データフレームは登録を完了していない光ネットワークユニットにより送信される登録信号フレームである。
【０３４１】
オプションとして、本実施例では、前記記憶媒体は、Ｕディスク、読み出し専用メモリ（Ｒｅａｄ−Ｏｎｌｙ  Ｍｅｍｏｒｙ、略称：ＲＯＭ）、ランダムアクセスメモリ（Ｒａｎｄｏｍ  Ａｃｃｅｓｓ  Ｍｅｍｏｒｙ、略称：ＲＡＭ）、モバイルハードディスク、磁気ディスク又は光ディスクなどコンピュータプログラムを記憶できる様々な媒体を含んでもよいが、これらに限定されない。
【０３４２】
実施例４
本発明の実施例は電子装置をさらに提供し、メモリ及びプロセッサを備え、該メモリにはコンピュータプログラムが記憶されており、該プロセッサは、コンピュータプログラムを実行して前記方法実施例のいずれかにおけるステップを実行するように構成される。
【０３４３】
オプションとして、前記電子装置は伝送装置及び入力出力装置をさらに備えてもよく、該伝送装置は前記プロセッサに接続され、該入力出力装置は前記プロセッサに接続される。
【０３４４】
オプションとして、本実施例では、前記プロセッサは、コンピュータプログラムによって以下のステップを実行するように構成されてもよい。
【０３４５】
ステップＳ１、第１時間ウィンドウ内で、登録済みで動作状態にある第１光ネットワークユニットに第１部分帯域幅を割り当てる。
【０３４６】
ステップＳ２、第１部分帯域幅の対応する時間内に第１光ネットワークユニットからの第１データフレームを受信し、第１時間ウィンドウ内で、登録を完了していない第２光ネットワークユニットからの第２データフレームを検出する。
【０３４７】
オプションとして、本実施例では、前記プロセッサはさらに、コンピュータプログラムによって以下のステップを実行するように構成されてもよい。
【０３４８】
ステップＳ１、光回線終端装置により割り当てられる第１部分帯域幅を取得する。
【０３４９】
ステップＳ２、第１部分帯域幅内で光回線終端装置に第１データフレームを送信し、所定の条件を満たす場合、光回線終端装置に第２データフレームを送信し、第１データフレームは登録済みで動作状態にある光ネットワークユニットにより送信されるサービスデータフレームであり、第２データフレームは登録を完了していない光ネットワークユニットにより送信される登録信号フレームである。
【０３５０】
オプションとして、本実施例における具体例は、前記実施例及び選択可能な実施形態で説明された例を参照でき、本実施例では重複説明をしない。
【０３５１】
明らかなように、当業者は、前記本発明の各モジュール又は各ステップは汎用コンピューティング装置によって実現でき、１つのコンピューティング装置に集中し、又は複数のコンピューティング装置からなるネットワークに分散してもよいことを理解すべきであり、オプションとして、コンピューティング装置によって実行可能なプログラムコードで実現でき、それにより、記憶装置に記憶されコンピューティング装置により実行され、場合によっては、示される又は説明されるステップをここでの順序と異なる順序で実行し、又は、それらを集積回路モジュールとして個別に作製する、又は、複数のモジュール又はステップを１つの集積回路モジュールとして作製することによって実現できる。
【０３５２】
このように、本発明は特定のハードウェアとソフトウェアの組み合わせに限定されない。
【０３５３】
以上、本発明の好ましい実施例を説明したが、本発明を限定するものではなく、当業者であれば、本発明に対して種々の変更や変形を行うことができる。本発明の原則を逸脱せずに行われる変更、同等置換、改良等はすべて本発明の保護範囲に属する。
【図１】
2022502906.tif 000003
【図２】
2022502906.tif 000004
【図３】
2022502906.tif 000005
【図４】
2022502906.tif 000006
【図５】
2022502906.tif 000007
【図６】
2022502906.tif 000008
【図７】
2022502906.tif 000009
【図８】
2022502906.tif 000010
【図９】
2022502906.tif 000011
【図１０】
2022502906.tif 000012
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
受動光ネットワークシステムのデータ処理方法であって、
第１時間ウィンドウ内で、登録済みで動作状態にある第１光ネットワークユニットに第１部分帯域幅を割り当てるステップと、
前記第１部分帯域幅の対応する時間内に前記第１光ネットワークユニットからの第１データフレームを受信し、前記第１時間ウィンドウ内で、登録を完了していない第２光ネットワークユニットからの第２データフレームを検出するステップと、を含む受動光ネットワークシステムのデータ処理方法。
【請求項２】
前記第１時間ウィンドウ内で前記第２光ネットワークユニットからの前記第２データフレームを検出するステップは、
前記第１時間ウィンドウ内の前記第１部分帯域幅を除く第２部分帯域幅内で前記第２光ネットワークユニットからの前記第２データフレームを検出するステップを含む、請求項１に記載の方法。
【請求項３】
前記第１時間ウィンドウの対応する時間内に前記第１光ネットワークユニットからの第１データフレームを受信するステップは、
前記第１光ネットワークユニットが前記第１データフレームに対して施した冗長保護措置を利用して、前記第１データフレームを取得するステップを含む、請求項１に記載の方法。
【請求項４】
前記第１時間ウィンドウの対応する時間内に前記第１光ネットワークユニットからの第１データフレームを受信するステップは、
前記第１光ネットワークユニットが前記第１データフレームに対して施した冗長保護措置を利用して前記第１データフレームに誤りが発生したことが識別された場合、前記第２データフレームと前記第１データフレームの衝突位置を取得するステップをさらに含み、
好ましくは、前記第２データフレームと第１データフレームの衝突位置を取得した後、
後続の前記第１時間ウィンドウ内で前記第１部分帯域幅を割り当て、前記第１部分帯域幅の対応する時間は前記衝突位置を含まず、前記第１時間ウィンドウ内で第２光ネットワークユニットからの前記第２データフレームを検出し、前記衝突位置を再特定するステップをさらに含む、請求項３に記載の方法。
【請求項５】
前記第２光ネットワークユニットの第１距離情報を取得するステップをさらに含み、
好ましくは、前記第２光ネットワークユニットの第１距離情報を取得した後、
前記第１距離情報に基づいて前記第２光ネットワークユニットに対して第２時間ウィンドウをオープンし、前記第２光ネットワークユニットの登録を完了するステップをさらに含み、前記第２時間ウィンドウは前記第２光ネットワークユニットの認証情報を取得し、光回線終端装置と前記第２光ネットワークユニットとの第２距離情報を測定することに用いられる、請求項２〜４のいずれか１項に記載の方法。
【請求項６】
前記第１時間ウィンドウ内で前記第１光ネットワークユニットに前記第１部分帯域幅を割り当てるステップは、
前記第１データフレームに対して冗長保護措置を施すことを前記第１光ネットワークユニットに通知するステップをさらに含む、請求項３に記載の方法。
【請求項７】
前記冗長保護措置を利用して前記第１データフレームに誤りが発生したことが識別された場合、前記第２データフレームと前記第１データフレームの前記衝突位置を取得するステップは、
前記第１光ネットワークユニットが前記第１データフレームのペイロードに対して採用した所定の符号化方式によって前記第１データフレームに誤りが発生したことが検出された場合、前記第１データフレームを復元し、前記衝突位置を特定するステップを含み、前記第２データフレームと前記第１データフレームが衝突する損傷範囲は前記所定の符号化方式の符号化冗長保護ブロックの誤り訂正範囲内にある、又は、
前記冗長保護措置を利用して前記第１データフレームに誤りが発生したことが識別された場合、前記第２データフレームと前記第１データフレームの前記衝突位置を取得するステップは、
前記第１光ネットワークユニットにより延長処理されたプリアンブルに対して信号振幅検出と信号クロック復元を行い、信号振幅及び／又は信号クロックに異常が発生したことが検出された場合、信号振幅及び／又は信号クロックを復元し、前記衝突位置を特定するステップを含む、又は、
前記冗長保護措置を利用して前記第１データフレームに誤りが発生したことが識別された場合、前記第２データフレームと前記第１データフレームの前記衝突位置を取得するステップは、
前記第１光ネットワークユニットにより延長変更処理された区切りから誤りが検出された場合、前記区切り中の少なくとも１つの部分を正確に識別し、区切りに誤りが発生する位置を取得し、前記衝突位置を特定し、ペイロードの開始位置を取得するステップを含む、請求項４に記載の方法。
【請求項８】
前記第１時間ウィンドウ内で前記第２光ネットワークユニットからの前記第２データフレームを検出する前、
前記第２光ネットワークユニットに登録要求メッセージを送信するステップをさらに含み、前記登録要求メッセージは前記第２データフレームの送信を前記第２光ネットワークユニットに通知することに用いられ、前記登録要求メッセージに少なくとも第１認証情報が含まれている、請求項１に記載の方法。
【請求項９】
前記第２光ネットワークユニットに前記登録要求メッセージを送信する前、
認証情報に基づいて前記第２光ネットワークユニットの登録プロセスを開始するように、前記第１光ネットワークユニットと前記第２光ネットワークユニットの前記認証情報を記憶するステップをさらに含み、前記認証情報は各光ネットワークユニットの身元情報及び／又は光ネットワークユニットのユーザーの身元情報を含む、又は、
前記登録要求メッセージには遅延時間がさらに含まれ、前記遅延時間は、前記遅延時間を待機した後に前記第２データフレームを送信することを前記第２光ネットワークユニットに指示するためのものである、請求項８に記載の方法。
【請求項１０】
受動光ネットワークシステムのデータ処理方法であって、
光回線終端装置により割り当てられる第１部分帯域幅を取得するステップと、
前記第１部分帯域幅内で前記光回線終端装置に第１データフレームを送信し、所定の条件を満たす場合、前記光回線終端装置に第２データフレームを送信するステップと、を含み、
前記第１データフレームは登録済みで動作状態にある光ネットワークユニットにより送信されるサービスデータフレームであり、前記第２データフレームは登録を完了していない光ネットワークユニットにより送信される登録信号フレームである、受動光ネットワークシステムのデータ処理方法。
【請求項１１】
前記第１部分帯域幅内で前記光回線終端装置に前記第１データフレームを送信する前、
前記光回線終端装置から前記第１データフレームに対して冗長保護措置を施す通知を取得するステップと、
前記第１データフレームに対して冗長保護措置を施すステップと、をさらに含む、請求項１０に記載の方法。
【請求項１２】
前記第１データフレームに対して冗長保護措置を施すステップは、
所定の符号化方式を用いて前記第１データフレーム中のペイロードを符号化処理するステップを含み、前記第２データフレームの損傷範囲は前記所定の符号化方式の符号化冗長保護ブロックの誤り訂正範囲内にある、又は、
前記第１データフレームに対して冗長保護措置を施すステップは、
前記第１データフレーム中のプリアンブルを延長し、衝突の発生時に前記光回線終端装置が信号振幅検出及び信号クロック復元を行うための延長処理済みのプリアンブルを得るステップを含む、又は、
前記第１データフレームに対して冗長保護措置を施すステップは、
前記第１データフレーム中の区切りを延長変更し、衝突の発生時に前記光回線終端装置が少なくとも前記区切りの一部を識別できるための延長処理済みの区切りを得るステップを含み、前記区切りは前記光回線終端装置が前記第１データフレームの開始位置を識別することに用いられる、請求項１１に記載の方法。
【請求項１３】
前記所定の条件を満たす場合、前記光回線終端装置に前記第２データフレームを送信するステップは、
第２光ネットワークユニットは前記光回線終端装置に前記第２データフレームを能動的に送信するステップ、
前記第２光ネットワークユニットは前記光回線終端装置により送信される登録要求メッセージを取得した後、前記第２データフレームを送信するステップ、及び
前記第２光ネットワークユニットは前記光回線終端装置により送信される登録要求メッセージ及び遅延時間を取得した後、前記遅延時間待機して前記第２データフレームを送信するステップのうちのいずれかを含む、請求項１０に記載の方法。
【請求項１４】
受動光ネットワークシステムのデータ処理装置であって、
第１時間ウィンドウ内で、登録済みで動作状態にある第１光ネットワークユニットに第１部分帯域幅を割り当てるように構成される割当モジュールと、
前記第１部分帯域幅の対応する時間内に前記第１光ネットワークユニットからの第１データフレームを受信し、前記第１時間ウィンドウ内で、登録を完了していない第２光ネットワークユニットからの第２データフレームを検出するように構成される処理モジュールと、を備える、受動光ネットワークシステムのデータ処理装置。
【請求項１５】
電子装置であって、メモリ及びプロセッサを備え、前記メモリにはコンピュータプログラムが記憶されており、前記プロセッサは、前記コンピュータプログラムを実行して前記請求項１〜９のいずれか１項又は前記請求項１０〜１３のいずれか１項に記載の方法を実行するように構成される、電子装置。
【手続補正２】
【補正対象書類名】明細書
【補正対象項目名】全文
【補正方法】変更
【補正の内容】
【発明の詳細な説明】
【技術分野】
【０００１】
本発明は受動光ネットワークの分野に関し、具体的には、受動光ネットワークシステムのデータ処理方法、装置及び受動光ネットワークシステムに関する。
【背景技術】
【０００２】
受動光ネットワーク（Ｐａｓｓｉｖｅ  Ｏｐｔｉｃａｌ  Ｎｅｔｗｏｒｋ、略称：ＰＯＮ）アーキテクチャは、ポイントツーマルチポイントのネットワークアーキテクチャである。受動光ネットワークは光回線終端装置（Ｏｐｔｉｃａｌ  Ｌｉｎｅ  Ｔｅｒｍｉｎａｌ、略称：ＯＬＴ）、光分配ネットワーク（Ｏｐｔｉｃａｌ  Ｄｉｓｔｒｉｂｕｔｅ  Ｎｅｔｗｏｒｋ、略称：ＯＤＮ）及び光ネットワークユニット（Ｏｐｔｉｃａｌ  Ｎｅｔｗｏｒｋ  Ｕｎｉｔ、略称：ＯＮＵ）からなる。
【０００３】
図１は関連技術に係る受動光ネットワークのアーキテクチャ模式図であり、図１に示すように、１つの光回線終端装置は光分配ネットワークを介して複数の光ネットワークユニットに接続可能であり、各光ネットワークユニットと光回線終端装置との距離が異なる。受動光ネットワークシステムは光ネットワークユニットと光回線終端装置との最大距離、及び各光ネットワークユニットと光回線終端装置との最大距離差を制限可能である。
【０００４】
受動光ネットワークシステムでは、光ネットワークユニットは通常、光回線終端装置とともに登録プロセスを行う必要があり、光回線終端装置は光ネットワークユニットの情報を取得し、光回線終端装置は光ネットワークユニットとの論理距離をテストすることを含んでもよいが、これらに限定されない。
【０００５】
光ネットワークユニットの登録中、光回線終端装置は、光ネットワークユニットとの論理距離を事前に把握できないため、光ネットワークユニットによって送信される登録情報フレームがいつ光回線終端装置に到達するかを決定できない。
【０００６】
光ネットワークユニットによって送信される登録情報フレームは１つの時間ウィンドウ内で光回線終端装置に到達する。該時間ウィンドウの開始時刻は光回線終端装置に最も近い光ネットワークユニットが登録情報フレームを光回線終端装置に送信する最も早い時刻であり、終了時刻は光回線終端装置から最も遠い光ネットワークユニットが登録情報フレームを光回線終端装置に送信する最も遅い時刻である。
【０００７】
該時間ウィンドウ内で、登録済みで正常に動作している光ネットワークユニットがアップリンクデータフレームを送信すると、登録中の光ネットワークユニットによって送信される登録情報フレームと衝突する可能性があり、その結果、正常に動作している光ネットワークユニットによって送信されるアップリンクデータフレームが損傷して光回線終端装置で正確に解析できず、さらに伝送データのロスを引き起こしてしまう。したがって、従来の受動光ネットワークシステムでは、該時間ウィンドウ内で、登録光ネットワークユニットによって送信される登録情報フレームとの衝突を回避するように、正常に動作している光ネットワークユニットはアップリンクデータフレームを送信しない。
【０００８】
図２は関連技術に係る受動光ネットワークシステムに使用されるクワイエットウインドウの模式図であり、図２に示すように、従来の受動光ネットワークシステムでは、それぞれ光回線終端装置、光回線終端装置に最も近い光ネットワークユニット、正常に動作している光ネットワークユニット、登録光ネットワークユニット及び光回線終端装置から最も遠い光ネットワークユニットがある。前記正常に動作している光ネットワークユニットがアップリンクデータフレームを送信すると、登録中の光ネットワークユニットによって送信される登録情報フレームと衝突する可能性がある時間ウィンドウは通常、クワイエットウインドウ又は静かなウィンドウ（ｑｕｉｅｔ  ｗｉｎｄｏｗ）と呼ばれる。
【０００９】
従来の受動光ネットワークシステムでは、一方では、光回線終端装置と光ネットワークユニットとの最大距離差が２０キロメートルである場合、クワイエットウインドウは少なくとも２００マイクロ秒である。
【００１０】
光回線終端装置と光ネットワークユニットとの最大距離差が１０キロメートルである場合、クワイエットウインドウは少なくとも１００マイクロ秒である。他方では、従来の受動光ネットワークシステムは同一のクワイエットウインドウにおける複数の光ネットワークユニットの登録を許可するため、複数の光ネットワークユニットによって送信される登録情報フレームの衝突を引き起こしやすい。
【００１１】
複数の光ネットワークユニットによって送信される登録情報フレームが衝突すると、光回線終端装置がこれらの登録情報フレームを解析できず、その結果、これらの光ネットワークユニットが登録情報フレームを再送信して登録する必要があり、したがって、これらの光ネットワークユニットの登録完了時間が遅延してしまう。
【００１２】
前記分析によると、受動光ネットワークシステムの登録完了時間が遅延し、且つ登録を必要とする光ネットワークユニットの数が多いほど、受動光ネットワークシステムの登録完了時間が長い。光ネットワークユニットの迅速な登録を実現し、ユーザー体験を向上させるために、光回線終端装置は通常、クワイエットウインドウを周期的にオープンして、光ネットワークユニットにより多くの登録チャンスを与える必要がある。
【００１３】
また、従来の受動光ネットワークシステムでは、光ネットワークユニットの登録中にオープンされるクワイエットウインドウにより、正常に動作している光ネットワークユニットのデータ送信に遅延が発生する。動作光ネットワークユニットには、ちょうどクワイエットウインドウの開始時に送信を必要とするアップリンクデータがある場合、アップリンクデータの送信はクワイエットウインドウ終了後まで待機する必要がある。以上からわかるように、正常に動作している光ネットワークユニットのアップリンクデータによる遅延は少なくともクワイエットウインドウのサイズであり、且つクワイエットウインドウが通常周期的にオープンされるため、光ネットワークユニットの登録プロセスにより、正常に動作している光ネットワークユニットのデータ送信に遅延が頻繁に発生する。
【００１４】
モバイルサービスの発展に伴い、受動光ネットワークシステムは徐々にモバイルサービスのベアラ技術の１つになり、モバイルサービスはベアラネットワークの伝送遅延に対してより厳しい要件を求めている。
【００１５】
たとえば、現在、業界では第五世代モバイル通信技術（５Ｇ）のフロントホールサービスをベアラする受動光ネットワークシステムの伝送遅延用件を１００マイクロ秒以下に制御する。しかし、前記分析から見て、受動光ネットワークにおける光回線終端装置と光ネットワークユニットとの最大距離差が１０キロメートルである場合、光ネットワークユニットの登録中のクワイエットウインドウにより、正常に動作している光ネットワークユニットのデータ送信に少なくとも１００マイクロ秒の遅延が発生する。
【００１６】
受動光ネットワークシステムでは、クワイエットウインドウによる光ネットワークのデータ伝送の遅延に加えて、光ファイバ伝送、動的帯域幅割当等によるデータ伝送の遅延もある。したがって、従来の受動光ネットワークシステムがモバイルサービスに必要な伝送遅延用件を満たすことは困難である。
【発明の概要】
【発明が解決しようとする課題】
【００１７】
本発明の少なくとも一部の実施例は、受動光ネットワークシステムのデータ処理方法、装置及び受動光ネットワークシステムを提供し、関連技術に係る受動光ネットワークシステムの光ネットワークユニットの登録中にクワイエットウインドウによる受動光ネットワークシステムの伝送遅延のため、モバイルサービスをベアラする低遅延用件を満たすことができないという問題を少なくとも解決する。
【課題を解決するための手段】
【００１８】
本発明の一実施例によれば、受動光ネットワークシステムのデータ処理方法を提供し、
第１時間ウィンドウ内で、登録済みで動作状態にある第１光ネットワークユニットに第１部分帯域幅を割り当てるステップと、第１部分帯域幅の対応する時間内に第１光ネットワークユニットからの第１データフレームを受信し、第１時間ウィンドウ内で、登録を完了していない第２光ネットワークユニットからの第２データフレームを検出するステップと、を含む。
【００１９】
本発明の別の実施例によれば、別の受動光ネットワークシステムのデータ処理方法をさらに提供し、
光回線終端装置により割り当てられる第１部分帯域幅を取得するステップと、第１部分帯域幅内で光回線終端装置に第１データフレームを送信し、所定の条件を満たす場合、光回線終端装置に第２データフレームを送信するステップと、を含み、第１データフレームは登録済みで動作状態にある光ネットワークユニットにより送信されるサービスデータフレームであり、第２データフレームは登録を完了していない光ネットワークユニットにより送信される登録信号フレームである。
【００２０】
本発明のさらに別の実施例によれば、受動光ネットワークシステムのデータ処理装置を提供し、
第１時間ウィンドウ内で、登録済みで動作状態にある第１光ネットワークユニットに第１部分帯域幅を割り当てるように構成される割当モジュールと、第１部分帯域幅の対応する時間内に第１光ネットワークユニットからの第１データフレームを受信し、第１時間ウィンドウ内で、登録を完了していない第２光ネットワークユニットからの第２データフレームを検出するように構成される処理モジュールと、を備える。
【００２１】
本発明のさらに別の実施例によれば、受動光ネットワークシステムをさらに提供し、光回線終端装置及び複数の光ネットワークユニットを備え、光回線終端装置は前記受動光ネットワークシステムのデータ処理装置を備え、複数の光ネットワークユニットのうちの少なくとも１つの光ネットワークユニットは前記別の受動光ネットワークシステムのデータ処理装置を備える。
【００２２】
本発明のさらに別の実施例によれば、記憶媒体をさらに提供し、前記記憶媒体にコンピュータプログラムが記憶されており、前記コンピュータプログラムは、実行されると、前記方法実施例のいずれかにおけるステップを実行するように構成される。
【００２３】
本発明のさらに別の実施例によれば、電子装置をさらに提供し、メモリ及びプロセッサを備え、前記メモリにコンピュータプログラムが記憶されており、前記プロセッサは、前記コンピュータプログラムを実行して前記方法実施例のいずれかにおけるステップを実行するように構成される。
【発明の効果】
【００２４】
本発明の少なくとも一部の実施例によれば、第１光ネットワークユニットは第２光ネットワークユニットの登録中にデータフレームを送信でき、即ち、登録している第２光ネットワークユニットが存在する場合、第１光ネットワークユニットは、第１時間ウィンドウ内の帯域幅を十分に利用するようにデータを送信できる。したがって、関連技術に係る受動光ネットワークシステムの光ネットワークユニットの登録中にクワイエットウインドウによる受動光ネットワークシステムの伝送遅延のため、モバイルサービスをベアラする低遅延用件を満たすことができない問題を解決し、受動光ネットワークシステムの伝送遅延を減らし、モバイルサービスをベアラする低遅延用件を満たす効果を達成する。
【図面の簡単な説明】
【００２５】
ここで説明される図面は本発明をさらに理解するためのものであり、本願の一部として組み込まれており、本発明の例示的な実施例及びその説明は本発明を説明することに用いられ、本発明を不適切に限定しない。
【図１】図１は関連技術に係る受動光ネットワークのアーキテクチャ模式図である。
【図２】図２は関連技術に係る受動光ネットワークシステムに使用されるクワイエットウインドウの模式図である。
【図３】図３は本発明の一実施例に係る受動光ネットワークシステムのデータ処理方法のフローチャートである。
【図４】図４は本発明の選択可能な実施例に係る動作光ネットワークユニットがアップリンクデータを送信し、登録光ネットワークユニットが登録信号を送信するプロセスの模式図である。
【図５】図５は本発明の選択可能な実施例に係るアップリンクデータフレーム及び登録信号の模式図である。
【図６】図６は本発明の一実施例に係る別の受動光ネットワークシステムのデータ処理方法のフローチャートである。
【図７】図７は本発明の一実施例に係る受動光ネットワークシステムのデータ処理装置の構造ブロック図である。
【図８】図８は本発明の選択可能な実施例に係る受動光ネットワークシステムのデータ処理装置の構造ブロック図である。
【図９】図９は本発明の一実施例に係る別の受動光ネットワークシステムのデータ処理装置の構造ブロック図である。
【図１０】図１０は本発明の選択可能な実施例に係る別の受動光ネットワークシステムのデータ処理装置の構造ブロック図である。
【発明を実施するための形態】
【００２６】
以下、図面及び実施例を参照しながら本発明を詳細に説明する。なお、矛盾しない限り、本願の実施例及び実施例の特徴を互いに組み合わせることができる。
【００２７】
なお、本発明の明細書、請求の範囲及び前記図面における「第１」、「第２」等の用語は類似する対象を区別するためのものであり、特定の順序や順番を表さない。
【００２８】
実施例１
本願の実施例１に係る方法実施例は、光回線終端装置又は光ネットワークユニットにおいて実行できる。光回線終端装置又は光ネットワークユニットは、１つ又は複数のプロセッサ（プロセッサはマイクロプロセッサ（ＭＣＵ）又はプログラマブルロジックデバイス（ＦＰＧＡ）等の処理装置を含むが、これらに限定されない）、及びデータを記憶するメモリを備えてもよい。
【００２９】
オプションとして、前記光回線終端装置又は光ネットワークユニットは通信機能用の伝送ユニット及び入力出力ユニットをさらに備えてもよい。勿論、当業者であれば、前記構造は単に例示的な説明であり、前記光回線終端装置又は光ネットワークユニットの構造を限定するものではないと理解できる。
【００３０】
たとえば、光回線終端装置又は光ネットワークユニットは前記構造よりも多い又は少ないユニットを備えてもよく、又は前記構造と異なる構成を有してもよい。
【００３１】
メモリは、たとえば、アプリケーションソフトウェアのソフトウェアプログラム及びモジュールのようなコンピュータプログラム、たとえば本発明の実施例における受動光ネットワークシステムのデータ処理方法に対応するコンピュータプログラムを記憶できる。
【００３２】
プロセッサは、メモリに記憶されているコンピュータプログラムを実行することによって、各種の機能アプリケーション及びデータ処理を実行し、即ち、前記受動光ネットワークシステムのデータ処理方法を実現する。メモリは高速ランダムアクセスメモリを含み、たとえば１つ又は複数の磁気記憶装置、フラッシュメモリ、又はほかの不揮発性ソリッドステートメモリのような不揮発性メモリをさらに含んでもよい。いくつかの例では、メモリはさらにプロセッサに対して遠隔に設置されるメモリを含んでもよく、これらのリモートメモリはネットワークを介して光回線終端装置又は光ネットワークユニットに接続されうる。
【００３３】
前記ネットワークの例はインターネット、イントラネット、ローカルエリアネットワーク、モバイル通信ネットワーク及びそれらの組み合わせを含むが、これらに限定されない。
【００３４】
伝送ユニットは、１つのネットワークを介してデータを受信又は送信する。前記ネットワークの具体例は光回線終端装置又は光ネットワークユニットの通信事業者により提供される無線ネットワークを含んでもよい。一例では、伝送ユニットは１つのネットワークインタフェースコントローラ（Ｎｅｔｗｏｒｋ  Ｉｎｔｅｒｆａｃｅ  Ｃｏｎｔｒｏｌｌｅｒ、略称：ＮＩＣ）を含み、無線方式でインターネットと通信する。別の例では、伝送ユニットは無線周波数（Ｒａｄｉｏ  Ｆｒｅｑｕｅｎｃｙ、略称：ＲＦ）モジュールであってもよく、無線方式でインターネットと通信する。
【００３５】
本実施例では、光回線終端装置に実行される受動光ネットワークシステムのデータ処理方法を提供し、図３は本発明の一実施例に係る受動光ネットワークシステムのデータ処理方法のフローチャートであり、図３に示すように、該フローは以下のステップを含む。
【００３６】
ステップＳ３１、第１時間ウィンドウ内で、登録済みで動作状態にある第１光ネットワークユニットに第１部分帯域幅を割り当てる。
【００３７】
受動光ネットワークシステムの光ネットワークユニットの登録中のクワイエットウインドウによる遅延問題を解決するために、本発明の実施例は受動光ネットワークシステム及び光ネットワークユニット登録メカニズムを提供し、受動光ネットワークシステムの伝送遅延を減らす。
【００３８】
なお、本発明はクワイエットウインドウ内で動作光ネットワークユニット（前記第１光ネットワークユニットに相当する）によるデータ送信を制限しないため、本発明の実施例は、クワイエットウインドウのかわりにノイズウィンドウ（ｎｏｉｓｙ  ｗｉｎｄｏｗ、前記第１時間ウィンドウに相当する）を採用する。ノイズウィンドウの開始時刻はクワイエットウインドウの開始時刻に一致し、ノイズウィンドウの終了時刻はクワイエットウインドウの終了時刻に一致する。
【００３９】
即ち、前記第１時間ウィンドウの開始時刻は光回線終端装置に最も近い光ネットワークユニットにより送信されるデータフレームが光回線終端装置に到達する最も早い時刻であり、第１時間ウィンドウの終了時刻は光回線終端装置から最も遠い光ネットワークユニットにより送信されるデータフレームが光回線終端装置に到達する最も遅い時刻である。動作光ネットワークユニットはノイズウィンドウ内でデータを送信できる。
【００４０】
ステップＳ３４、第１部分帯域幅の対応する時間内に第１光ネットワークユニットからの第１データフレームを受信し、第１時間ウィンドウ内で、登録を完了していない第２光ネットワークユニットからの第２データフレームを検出する。
【００４１】
登録光ネットワークユニット（前記第２光ネットワークユニットに相当する）により送信される登録信号（前記第２データフレームに相当する）に対して、光回線終端装置は空き帯域幅又はデータ帯域幅内で登録信号を検出する。登録している光ネットワークユニット又は登録しようとする光ネットワークユニットが存在する場合、登録光ネットワークユニットは登録信号を送信してノイズウィンドウ内で光回線終端装置に到達させる。
【００４２】
光回線終端装置はノイズウィンドウ内の部分帯域幅を動作光ネットワークユニットに割り当てて、アップリンクデータの送信に使用し、この部分帯域幅はデータ帯域幅であり、部分帯域幅は割り当てられておらず、この部分帯域幅は空き帯域幅である。動作光ネットワークユニットはノイズウィンドウ内で取得した割り当てられた帯域幅内でアップリンクデータを送信し、登録光ネットワークユニットはノイズウィンドウ内で登録信号を送信する。光回線終端装置はノイズウィンドウ内で登録信号を検出する。
【００４３】
オプションとして、前記ステップの実行主体は光回線終端装置等であってもよいが、これに限定されない。
【００４４】
選択可能な実施形態では、前記第１時間ウィンドウはすべの時間であってもよく、第１ＯＮＵは第１データフレームを送信でき、第２ＯＮＵは第２データフレームを随時送信できる。
【００４５】
選択可能な実施形態では、第２ＯＮＵにより送信される第２データフレームは第１時間ウィンドウ内の第１部分帯域幅を除く第２部分帯域幅内でＯＬＴに到達する必要がある。即ち、第１ＯＮＵにより送信される第１データフレームと第２ＯＮＵにより送信される第２データフレームはそれぞれ第１時間ウィンドウ内の異なる帯域幅内でＯＬＴに到達する。
【００４６】
また、前記ＯＬＴ及び複数のＯＮＵからなる受動光ネットワークシステムでは、異なるＯＮＵにより送信されるデータがＯＬＴ側で衝突することを許可し、ＯＬＴは少なくとも１つのＯＮＵにより送信されるデータを復元できる。
【００４７】
前記ステップによれば、第１光ネットワークユニットは第２光ネットワークユニットの登録中にデータフレームを送信でき、即ち、登録している第２光ネットワークユニットが存在する場合、第１光ネットワークユニットは、第１時間ウィンドウ内の帯域幅を十分に利用するようにデータを送信できる。したがって、関連技術に係る受動光ネットワークシステムの光ネットワークユニットの登録中にクワイエットウインドウによる受動光ネットワークシステムの伝送遅延のため、モバイルサービスをベアラする低遅延用件を満たすことができない問題を解決し、受動光ネットワークシステムの伝送遅延を減らし、モバイルサービスをベアラする低遅延用件を満たす効果を達成する。
【００４８】
登録光ネットワークユニットにより送信される登録信号は動作光ネットワークユニットにより送信される動作データフレームと衝突する可能性があり、登録信号と動作データフレームが衝突する場所、即ち衝突位置で、登録信号が動作データフレームに一定範囲の損傷を与え、動作データフレームに対応する誤りが発生し、したがって、衝突の発生時、登録信号による動作データフレームの損傷範囲を減らすために、登録信号はなるべく短いものとすべきである。
【００４９】
登録光ネットワークユニットにより送信される登録信号は１つのバースト信号であり、通常、光モジュールの発光オン部分、登録情報部分及び光モジュールの発光オフ部分を含んでもよい。光モジュールの発光オン部分と光モジュールの発光オフ部分は受動光ネットワーク標準において定義されている。
【００５０】
たとえば、国際電気通信連合・電気通信標準部門（ＩＴＵ−Ｔ）ギガビット受動光ネットワーク（Ｇｉｇａｂｉｔ  Ｐａｓｓｉｖｅ  Ｏｐｔｉｃａｌ  Ｎｅｔｗｏｒｋ、略称：ＧＰＯＮ）標準には、光ネットワークユニットの光モジュールの発光オン部分及び発光オフ部分はいずれも１２．８ナノ秒／４バイトであることが規定されている。
【００５１】
一方、ＩＴＵ−Ｔ  １０ギガビット対称型受動光ネットワーク（１０−Ｇｉｇａｂｉｔ−ｃａｐａｂｌｅ  Ｓｙｍｍｅｔｒｉｃ  Ｐａｓｓｉｖｅ  Ｏｐｔｉｃａｌ  Ｎｅｔｗｏｒｋ、略称：ＸＧＳ−ＰＯＮ）標準には、光ネットワークユニットの光モジュールの発光オン部分及び発光オフ部分はいずれも２５．７ナノ秒／３２バイトであることが規定されている。
【００５２】
また、光モジュールの発光オン部分及び発光オフ部分はさらに光モジュールの具体的な実現に関連し、具体的に実現される光モジュールの発光オン部分及び発光オフ部分は標準よりも優れる又は短いようにしてもよい。
【００５３】
たとえば、光モジュールの発光オン部分及び発光オフ部分は５−１０ナノ秒に達し、２つの部分の合計は、ＧＰＯＮでは約４−７バイトに対応し、ＸＧＳ−ＰＯＮでは約１３−２５バイトに対応する。
【００５４】
登録情報部分は、光回線終端装置により検出できればよく、たとえば、１０Ｇｂｐｓの速度では、長さが３バイトの登録信号は、光回線終端装置の光モジュールにより検出できる。光回線終端装置が登録情報を正確に解析する必要がない場合、登録情報部分はプリアンブル、区切り等を含まなくてもよい。
【００５５】
勿論、登録情報部分がプリアンブル、区切り等の内容を含む場合、光回線終端装置は登録情報を正確に解析することができ、登録信号の衝突による損傷を受ける動作データフレームを復元することもできる。
【００５６】
以上のように、現在の標準及び実現可能な条件では、ＸＧＳ−ＰＯＮを例に、光ネットワークユニットの登録信号は最長で６７バイト、最短で１６バイトである。
【００５７】
なお、本発明の実施例では、光ネットワークユニットにより送信される登録信号及び係る光モジュールの発光オン部分、光モジュールの発光オフ部分、光モジュール検出用の登録情報部分について、関連する標準定義及び具体的な実現は単に本発明の技術案の完全性を説明し、本発明を限定するものではなく、関連する標準定義、具体的な実現の可能な変更は、本発明に適用できる限り、本発明の保護範囲に属する。
【００５８】
オプションとして、ステップＳ３４では、第１部分帯域幅内で第１光ネットワークユニットからの第１データフレームを受信し、第１時間ウィンドウ内で第２光ネットワークユニットからの第２データフレームを検出する前、以下の実行ステップをさらに含んでもよい。
【００５９】
ステップＳ３３、第２光ネットワークユニットに登録要求メッセージを送信し、登録要求メッセージは、第２データフレームの送信を第２光ネットワークユニットに通知することに用いられ、登録要求メッセージに少なくとも第１認証情報が含まれている。
【００６０】
光回線終端装置側は光回線終端装置の光ネットワークユニット認証情報又は認証情報ライブラリを取得し、光ネットワークユニット認証情報（即ち、前記第１認証情報）は、光ネットワークユニットのシリアル番号、光ネットワークユニットのメディアアクセス制御（ＭＡＣ）アドレス、光ネットワークユニットのユーザーの登録情報（即ち、ｒｅｇｉｓｔｒａｔｉｏｎ  ＩＤ）を含んでもよいが、これらに限定されない。光回線終端装置は登録済みの光ネットワークユニット及び登録を完了していない光ネットワークユニットをそれぞれマークする。
【００６１】
光回線終端装置は登録を完了していない光ネットワークユニットに対して登録を開始し、以下のステップを含んでもよい。光回線終端装置は光ネットワークユニットの認証情報と登録命令（前記登録要求メッセージに相当する）を登録光ネットワークユニットに送信して、登録信号の送信を該光ネットワークユニットに通知し、該登録信号は光回線終端装置により指定されてもよく、光ネットワークユニットにより自ら決定されてもよい。それとともに、光回線終端装置はノイズウィンドウ内の部分帯域幅を動作光ネットワークユニットに割り当てし、部分帯域幅は割り当てられていない。
【００６２】
オプションとして、ステップＳ３３では、第２光ネットワークユニットに登録要求メッセージを送信する前、以下の実行ステップをさらに含んでもよい。
【００６３】
ステップＳ３２、認証情報に基づいて第２光ネットワークユニットの登録プロセスを開始するように、第１光ネットワークユニットと第２光ネットワークユニットの認証情報を記憶し、認証情報は各光ネットワークユニットの身元情報及び／又は光ネットワークユニットのユーザーの身元情報を含む。
【００６４】
光ネットワークユニットの登録中、光回線終端装置は光ネットワークユニットを認証する。認証が成功すると、光ネットワークユニットは光回線終端装置にアクセスできる。光回線終端装置が光ネットワークユニットを認証する情報は、光ネットワークユニットの身元情報、光ネットワークユニットのユーザーの身元情報を含む。光回線終端装置にアクセスされる光ネットワークユニットの認証情報は１つの光ネットワークユニット認証情報ライブラリを形成する。光ネットワークユニット認証情報ライブラリは光回線終端装置に記憶されてもよく、より上位層のシステム（たとえば、受動光ネットワーク管理システム）に記憶されてもよい。
【００６５】
光回線終端装置は光ネットワークユニット認証情報ライブラリに基づいて、１つ又は複数の認証情報に対応する光ネットワークユニットに対して登録プロセスを開始することで、１つのノイズウィンドウ内に登録する光ネットワークユニットの数量を制御し、それにより登録情報同士が衝突する確率を低減させ、動作中の光ネットワークにより送信されるデータの損傷範囲を減らす。
【００６６】
オプションとして、前記登録要求メッセージには、遅延時間を待機した後に第２データフレームを送信することを第２光ネットワークユニットに指示するための遅延時間がさらに含まれている。
【００６７】
登録光ネットワークユニットは電源がオンになると、光回線終端装置が登録プロセスを開始するのを待機する。自機の登録命令を受信すると、登録命令に遅延時間が含まれていない場合、光ネットワークユニットは直ちに光回線終端装置に登録信号を送信し、又は、登録命令に遅延時間が含まれている場合、光回線終端装置が指定する遅延時間を待機した後、光回線終端装置に登録信号を送信する。
【００６８】
図４は本発明の選択可能な実施例に係る動作光ネットワークユニットがアップリンクデータを送信し、登録光ネットワークユニットが登録信号を送信するプロセスの模式図であり、図４に示すように、光回線終端装置はノイズウィンドウ内で登録信号を検出し、以下のステップを含んでもよい。
【００６９】
光回線終端装置はノイズウィンドウの空き帯域幅内で登録信号を検出し、距離測定結果を計算し、又は、該光ネットワークユニットに対して小さなクワイエットウインドウをオープンして高精度の距離測定を行う。
【００７０】
光回線終端装置は、動作光ネットワークユニットにより送信されるデータフレームの誤りを検出し、動作光ネットワークユニットにより送信されるデータを復元し、誤りの位置が登録光ネットワークユニットにより送信される登録信号に起因するものであると推定し、該光ネットワークユニットの論理距離を大まかに特定し、さらに該光ネットワークユニットに対して小さなクワイエットウインドウをオープンして高精度の距離測定を行う。
【００７１】
光回線終端装置はノイズウィンドウの空き帯域幅内で登録信号の一部を検出し、動作光ネットワークユニットにより送信されるデータの誤りを検出し、動作光ネットワークユニットにより送信されるデータを復元し、その後、これらの情報を組み合わせて、該光ネットワークユニットの論理距離を大まかに特定し、該光ネットワークユニットに対して小さなクワイエットウインドウをオープンして高精度の距離測定を行う。
【００７２】
光回線終端装置はノイズウィンドウ内で登録情報を検出していないと、該光ネットワークユニットをマークし、該光ネットワークユニットは登録を開始しておらず、又は該光ネットワークにより送信される登録信号は弱くて、動作光ネットワークユニットにより送信されるデータに影響を与えておらず、光回線終端装置はノイズウィンドウ内の帯域幅割当を調整した後、該光ネットワークユニットに対して登録プロセスを再開する。
【００７３】
光回線終端装置は登録光ネットワークユニットにより送信される登録信号をノイズウィンドウ内で検出すると、登録光ネットワークユニットと光回線終端装置の論理距離を大まかに推定し、登録光ネットワークユニットが登録情報を送信するように、小さなクワイエットウインドウをオープンし、光回線終端装置は光ネットワークユニットの身元を確認し、距離測定結果を計算し、登録プロセスを完了する。
【００７４】
ノイズウィンドウ内で登録情報が検出されていない光ネットワークユニットは、再登録を行ってもよく、ほかの光ネットワークユニットの登録を完了した後に登録を行ってもよい。
【００７５】
光回線終端装置は、登録光ネットワークユニットにより送信される登録信号が弱いと判断した場合、以下の措置を施すことができる。光回線終端装置はノイズウィンドウ内の空き帯域幅と動作帯域幅の位置を調整し、空き帯域幅内で登録信号を検出する新しい機会を作る。光回線終端装置はランダムな遅延を生成し、該遅延後に登録信号を送信することを登録光ネットワークユニットに通知し、それにより光回線終端装置は空き帯域幅内で登録信号を検出する新しい機会を作る。
【００７６】
光回線終端装置は、登録光ネットワークユニットが登録を開始していないと判断された場合、登録戦略を変更でき、たとえば、動作光ネットワークユニットへの影響を軽減するように、より長い時間待機した後、該光ネットワークユニットに対して登録を開始する。
【００７７】
オプションとして、ステップＳ３４では、第１部分帯域幅の対応する時間内に第１光ネットワークユニットからの第１データフレームを受信するステップは、以下の実行ステップを含んでもよい。
【００７８】
ステップＳ３４１、第１光ネットワークユニットが第１データフレームに対して施した冗長保護措置を利用して、第１データフレームを取得する。
【００７９】
異なるＯＮＵにより送信されるデータがＯＬＴ側で衝突する場合、ＯＬＴが少なくとも１つのＯＮＵにより送信されるデータを復元できることを確保するために、動作ＯＮＵは送信したデータフレームに対して冗長保護措置を施す必要があり、それによりＯＬＴは動作ＯＮＵにより送信したデータを冗長保護措置によって復元できる。
【００８０】
オプションとして、ステップＳ３４では、第１部分帯域幅の対応する時間内に第１光ネットワークユニットからの第１データフレームを受信するステップは、以下の実行ステップをさらに含んでもよい。
【００８１】
ステップＳ３４２、第１光ネットワークユニットが第１データフレームに対して施した冗長保護措置を利用して第１データフレームに誤りが発生したことが識別された場合、第２データフレームと第１データフレームの衝突位置を取得する。
【００８２】
動作ＯＮＵにより送信されるデータをなるべく復元することに加えて、ＯＬＴは前記冗長保護措置によって、動作ＯＮＵにより送信されるデータフレームに誤りが発生すると決定した場合、動作ＯＮＵと登録ＯＮＵとの間に衝突が発生する実際位置を大まかに特定できる。
【００８３】
オプションとして、ステップＳ３４２では、第２データフレームと第１データフレームの衝突位置を取得した後、以下の実行ステップをさらに含んでもよい。
【００８４】
ステップＳ３４３、後続の第１時間ウィンドウ内で第１部分帯域幅を割り当て、第１部分帯域幅の対応する時間は衝突位置を含まず、第１時間ウィンドウ内で第２光ネットワークユニットからの第２データフレームを検出し、衝突位置を再特定する。
【００８５】
即ち、ＯＬＴは後続の時間ウィンドウ内で動作ＯＮＵに部分帯域幅を割り当てる際に、衝突位置に帯域幅を割り当てないことにより、後続で検出を繰り返し、前回決定した衝突位置を繰り返し比較し、さらに衝突位置を特定／確認する。
【００８６】
オプションとして、ステップＳ３１では、第１時間ウィンドウ内で第１光ネットワークユニットに第１部分帯域幅を割り当てるステップは、以下の実行ステップをさらに含んでもよい。
【００８７】
ステップＳ３０、アップリンクデータに対して冗長保護措置を施すことを第１光ネットワークユニットに通知する。
【００８８】
必要に応じて、光回線終端装置は動作光ネットワークユニットにノイズウィンドウ内の帯域幅を割り当てる際に、さらにデータの送信時に冗長保護を行うことを動作光ネットワークユニットに通知する。動作光ネットワークユニットは光回線終端装置により割り当てられるノイズウィンドウ内の帯域幅を受信する。動作光ネットワークユニットはこれらの帯域幅内でデータを送信する時にデータに対して冗長保護を行う必要がある。
【００８９】
選択可能な実施形態では、第１時間ウィンドウ内で第１光ネットワークユニットに第１部分帯域幅を割り当てることに加えて、第１光ネットワークユニットが第１データフレームを繰り返し送信するための第３部分帯域幅を第１光ネットワークユニットに割り当ててもよい。
【００９０】
光回線終端装置は、ノイズウィンドウ内で動作光ネットワークユニットに正常帯域幅を割り当てることに加えて、追加帯域幅（前記第３部分帯域幅に相当する）を割り当て、それにより、動作光ネットワークユニットは正常帯域幅内でデータを送信し、正常帯域幅内で送信するデータを追加帯域幅内で繰り返し送信する。
【００９１】
動作光ネットワークユニットは光回線終端装置により割り当てられるノイズウィンドウ内の正常帯域幅及び冗長帯域幅を受信した後、正常帯域幅内でデータを送信し、正常帯域幅内で送信するデータを冗長帯域幅内で繰り返し送信する。動作光ネットワークユニットは正常帯域幅内でデータを送信し、正常帯域幅内で送信するデータを追加帯域幅内で繰り返し送信し、このように、一方のデータが衝突による損傷を受けたとしても、他方のデータは衝突による損傷を免れており、それにより光回線終端装置は衝突による損傷を免れるデータからアップリンクデータを復元できる。ノイズウィンドウ内の空き帯域幅が多い場合、このような冗長保護措置を採用できる。
【００９２】
オプションとして、ステップＳ３４２では、第１光ネットワークユニットが第１データフレームに対して施した冗長保護措置を利用して第１データフレームに誤りが発生したことが識別された場合、第２データフレームと第１データフレームの衝突位置を取得するステップは、以下の実行ステップを含んでもよい。
【００９３】
ステップＳ３４２１、第１光ネットワークユニットが第１データフレームのペイロードに対して採用した所定の符号化方式によって第１データフレームに誤りが発生したことが検出された場合、第１データフレームを復元し、衝突位置を特定し、第２データフレームと第１データフレームが衝突する損傷範囲は所定の符号化方式の符号化冗長保護ブロックの誤り訂正範囲内にある。
【００９４】
動作光ネットワークユニットはノイズウィンドウ内で割り当てられる帯域幅内でデータを送信し、前方誤り訂正（Ｆｏｒｗａｒｄ  Ｅｒｒｏｒ  Ｃｏｒｒｅｃｔｉｏｎ、略称：ＦＥＣ）等の符号化を用いて冗長保護を行う。登録信号の損傷範囲は符号化冗長保護ブロックの誤り訂正範囲内にあり、光回線終端装置は衝突による損傷を受けたデータを復元でき、且つ誤りが発生するビット位置を特定できる。
【００９５】
たとえば、ＦＥＣがリード・ソロモンＲＳ（２５５，２２３）を採用する場合、ＦＥＣブロックの誤り訂正能力は（２５５−２２３）／２＝１６バイトである。したがって、登録信号の損傷能力が１６バイト以下である場合、光ネットワークユニットはこのような冗長保護措置を採用できる。
【００９６】
動作光ネットワークユニットはノイズウィンドウ内で割り当てられる帯域幅内でデータを送信し、ＦＥＣ等の符号化を採用して冗長保護を行い、且つ符号化ブロックをランダムにインターリーブし、衝突が集中する誤りを複数の符号化ブロックに分散させる。受信プロセスでは、光回線終端装置は、まず、インターリーブされた符号化ブロックのデインターリーブを行い、各符号化ブロックを復元し、各符号化ブロックに対してそれぞれチェック及び誤り訂正を行い、さらに符号化ブロックのインターリーブを行い、それにより誤りの位置を判断する。
【００９７】
ＲＳ（２５５，２２３）を例に、各ＦＥＣブロックは２５５バイトであり、２つのＦＥＣブロックのインターリーブ順序は、１番目のＦＥＣブロックの１番目のビット、２番目のＦＥＣブロックの２番目のビット、１番目のＦＥＣブロックの２番目のビット、２番目のＦＥＣブロックの２番目のビット、…１番目のＦＥＣブロックの２５５番目のビット、２番目のＦＥＣブロックの２５５番目のビットであり、１つの５１０バイトのＦＥＣインターリーブブロックを形成する。
【００９８】
登録信号によるＦＥＣインターリーブブロックの損傷範囲が１６バイトである場合、損傷がＦＥＣインターリーブブロック中の２つのＦＥＣブロックに分散し、各ＦＥＣブロックが８バイトの損傷を受ける。勿論、より多くのＦＥＣブロックのインターリーブを実現でき、且つインターリーブプロセスは１ビットを単位としてもよく、複数のビットを単位としてもよい。ここでは詳細説明をしない。
【００９９】
オプションとして、ステップＳ３４２では、第１光ネットワークユニットが第１データフレームに対して施した冗長保護措置を利用して第１データフレームに誤りが発生したことが識別された場合、第２データフレームと第１データフレームの衝突位置を取得するステップは、以下の実行ステップを含んでもよい。
【０１００】
ステップＳ３４２２、第１光ネットワークユニットにより延長処理されたプリアンブルに対して信号振幅検出と信号クロック復元を行い、信号振幅及び／又は信号クロックに異常が発生したことが検出された場合、信号振幅及び／又は信号クロックを復元し、衝突位置を特定する。
【０１０１】
動作光ネットワークユニットにより送信されるデータは１つのバーストデータフレームであり、該データフレームの前部にプリアンブル、区切り等のフィールドがさらに含まれる。図５は本発明の選択可能な実施例に係るアップリンクデータフレーム及び登録信号の模式図であり、図５に示すように、プリアンブルは主に光回線終端装置が信号振幅検出及び信号クロック復元を行うことに用いられ、通常、１つの固定ビットシーケンスを繰り返して得られる。
【０１０２】
区切りは光回線終端装置がバーストデータフレームの開始位置を識別することに用いられ、通常、１つの固定のビットシーケンスである。プリアンブルや区切りが損傷を受けると、光回線終端装置は動作光ネットワークユニットにより送信されるアップリンクデータフレームを正確に解析できない可能性があり、したがって、プリアンブル、区切りの冗長保護も必要であり、プリアンブル延長、区切り延長変更等を含む。
【０１０３】
選択可能な実施形態として、プリアンブルを元のプリアンブルの２倍と１つの登録信号の長さとの合計に延長し、登録信号が延長プリアンブルの任意の位置に出現する。光回線終端装置は延長プリアンブルで信号振幅検出及び信号クロック復元を完了でき、光回線終端装置はアップリンクデータフレーム信号検出時点、信号クロック復元完了時点、取得した区切り位置等の情報を組み合わせて登録信号の衝突位置を大まかに判断することができる。
【０１０４】
別の選択可能な実施形態として、光回線終端装置は延長プリアンブルの前部で信号振幅検出を複数回行い、信頼性の高い信号振幅を選択して後続の信号に対してレベル判定を行う。別の選択可能な実施形態として、光回線終端装置は延長プリアンブルで信号振幅検出を完了した後、信号振幅を長時間ロックする。
【０１０５】
オプションとして、ステップＳ３４２では、第１光ネットワークユニットが第１データフレームに対して施した冗長保護措置を利用して第１データフレームに誤りが発生したことが識別された場合、第２データフレームと第１データフレームの衝突位置を取得するステップは、以下の実行ステップを含んでもよい。
【０１０６】
ステップＳ３４２３、第１光ネットワークユニットにより延長変更処理された区切りから誤りが検出された場合、区切り中の少なくとも１つの部分を正確に識別し、区切りに誤りが発生する位置を取得し、衝突位置を特定し、ペイロードの開始位置を取得する。
【０１０７】
動作光ネットワークユニットは元の区切りを延長変更することができ、登録信号と延長変更済み区切りとの衝突がどの位置に出現するかにかかわらず、光回線終端装置は少なくとも延長変更済み区切りの１つの正確な部分を検索でき、該正確な部分に基づいて登録信号の衝突位置を大まかに判断できるとともに、ペイロードの開始位置を取得する。
【０１０８】
以下、以下の選択可能な実施例を参照しながら登録信号が動作データフレームと衝突し且つ損傷を引き起こすという点から、複数種の異なる場合に分けて説明する。
【０１０９】
場合１、登録光ネットワークユニットにより送信される登録信号は動作光ネットワークユニットにより送信されるアップリンクデータフレームと衝突し、動作光ネットワークユニットにより送信されるアップリンクデータフレーム中のペイロードに誤りが発生することを引き起こす。
【０１１０】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０１１１】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０１１２】
登録光ネットワークユニットは光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０１１３】
動作光ネットワークユニットはノイズウィンドウ内の割り当てられた帯域幅を取得した後、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、さらにノイズウィンドウ内の割り当てられた帯域幅内でアップリンクデータフレームを送信する。
【０１１４】
光回線終端装置は動作光ネットワークユニットにより送信されるアップリンクデータフレームをノイズウィンドウ内で受信し、プリアンブルを処理して信号振幅を取得し、信号クロックを復元し、後続のデータストリームを受信し続け、延長変更済み区切りを識別してアップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行い、正確なＦＥＣデータを取得する。
【０１１５】
複数の独立したＦＥＣブロック内に誤りが検出して特定された場合、複数の独立したＦＥＣブロック内の誤りをＦＥＣインターリーブにしたがって関連付け、動作光ネットワークユニットにより送信されるアップリンクデータフレームの誤り発生位置を特定し、さらに該誤り発生位置、登録光ネットワークユニットが登録情報を送信する遅延時間（ある場合）に基づいて、登録光ネットワークユニットのラウンドトリップタイムを推定する。
【０１１６】
光回線終端装置は推定された登録光ネットワークユニットのラウンドトリップタイムに基づいて、後続の帯域幅割当プロセスで登録光ネットワークユニットに対して正確なクワイエットウインドウをオープンする。登録光ネットワークユニットは該クワイエットウインドウ内で自機の認証情報を送信でき、光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。
【０１１７】
ここでは、クワイエットウインドウは割り当てられていない空き帯域幅であってもよく、光回線終端装置が全体帯域幅割当アルゴリズムで取得した空き帯域幅であってもよい。
【０１１８】
光回線終端装置は必要に応じて、ほかの登録を完了していない光ネットワークユニットの登録を行うことができる。
【０１１９】
場合２、この選択可能な実施例では、登録光ネットワークユニットにより送信される登録信号は動作光ネットワークユニットにより送信されるアップリンクデータフレームと衝突し、動作光ネットワークユニットにより送信されるアップリンクデータフレーム中のプリアンブルに誤りが発生することを引き起こす。
【０１２０】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０１２１】
光回線終端装置は登録光ネットワークユニットに登録要求を送信し、該登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０１２２】
登録光ネットワークユニットは光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０１２３】
動作光ネットワークユニットはノイズウィンドウ内の割り当てられた帯域幅を取得し、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、さらにノイズウィンドウ内の割り当てられた帯域幅内でアップリンクデータフレームを送信する。
【０１２４】
光回線終端装置は、動作光ネットワークユニットにより送信されるアップリンクデータフレームをノイズウィンドウ内で受信し、プリアンブルを処理する時、アップリンクデータフレーム信号の検出位置、信号振幅検出完了位置、信号クロック復元位置、繰り返し区切り位置、ペイロード開始点等を取得し、これらの位置間の差を計算する。
【０１２５】
これらの位置差のうちの１つ又は複数が正常位置差と大きく異なる場合、登録信号の衝突位置を大まかに推定でき、さらに登録光ネットワークユニットが登録情報を送信する遅延時間（ある場合）と組み合わせて、登録光ネットワークユニットのラウンドトリップタイムを推定し、後続のデータストリームを受信し続け、繰り返し区切りを識別してアップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行い、さらに正確なＦＥＣデータを取得する。
【０１２６】
光回線終端装置は推定された登録光ネットワークユニットのラウンドトリップタイムに基づいて、後続の帯域幅割当プロセスで登録光ネットワークユニットに対して正確なクワイエットウインドウをオープンし、登録光ネットワークユニットは該クワイエットウインドウ内で自機の認証情報を送信でき、光回線終端装置は該クワイエットウインドウ内で登録光ネットワークユニットの認証情報を取得でき、該光ネットワークユニットに対して距離測定を行う。該光ネットワークユニットと光回線終端装置は協力してさらに登録プロセスを完了する。
【０１２７】
ここでは、クワイエットウインドウは割り当てられていない空き帯域幅であってもよく、光回線終端装置が全体帯域幅割当アルゴリズムで取得した空き帯域幅であってもよい。
【０１２８】
光回線終端装置は必要に応じて、ほかの登録を完了していない光ネットワークユニットの登録を行うことができる。
【０１２９】
場合３、この選択可能な実施例では、登録光ネットワークユニットにより送信される登録信号は動作光ネットワークユニットにより送信されるアップリンクデータフレームと衝突し、動作光ネットワークユニットにより送信されるアップリンクデータフレーム中の区切りに誤りが発生することを引き起こす。
【０１３０】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０１３１】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０１３２】
登録光ネットワークユニットは光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０１３３】
動作光ネットワークユニットはノイズウィンドウ内の割り当てられた帯域幅を取得し、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それによりノイズウィンドウ内の割り当てられた帯域幅内でアップリンクデータフレームを送信する。
【０１３４】
光回線終端装置は、動作光ネットワークユニットにより送信されるアップリンクデータフレームをノイズウィンドウ内で受信し、プリアンブルを処理して信号振幅を取得し、信号クロックを復元し、延長変更済み区切り中の少なくとも１つの正確な部分を識別し、該正確な部分に基づいて延長変更済み区切りと登録信号が衝突して誤りが発生する位置を判断し、その後、該誤り発生位置、登録光ネットワークユニットが登録情報を送信する遅延時間（ある場合）に基づいて、登録光ネットワークユニットのラウンドトリップタイムを推定し、アップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行う。
【０１３５】
光回線終端装置は推定された登録光ネットワークユニットのラウンドトリップタイムに基づいて、後続の帯域幅割当プロセスで登録光ネットワークユニットに対して正確なクワイエットウインドウをオープンし、登録光ネットワークユニットは該クワイエットウインドウ内で自機の認証情報を送信でき、光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。
【０１３６】
ここでは、クワイエットウインドウは割り当てられていない空き帯域幅であってもよく、光回線終端装置が全体帯域幅割当アルゴリズムで取得した空き帯域幅であってもよい。
【０１３７】
光回線終端装置は必要に応じて、ほかの登録を完了していない光ネットワークユニットの登録を行うことができる。
【０１３８】
場合４、この選択可能な実施例では、登録光ネットワークユニットにより送信される登録信号の一部は空き帯域幅にあり、一部は動作光ネットワークユニットにより送信されるアップリンクデータフレームと衝突し、動作光ネットワークユニットにより送信されるアップリンクデータフレーム中のプリアンブルに誤りが発生することを引き起こす。
【０１３９】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０１４０】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０１４１】
登録光ネットワークユニットは、光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０１４２】
動作光ネットワークユニットはノイズウィンドウ内の割り当てられた帯域幅を取得し、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それによりノイズウィンドウ内の割り当てられた帯域幅内でアップリンクデータフレームを送信する。
【０１４３】
光回線終端装置は動作光ネットワークユニットにより送信されるアップリンクデータフレームをノイズウィンドウ内で受信し、アップリンクデータフレームの前の空き帯域幅内で登録信号を検出した。アップリンクデータフレームのプリアンブルから登録信号が検出された場合、そのうちの１つ又は２つに基づいて、登録信号の衝突位置を推定し、登録光ネットワークユニットが登録情報を送信する遅延時間（ある場合）を組み合わせて、登録光ネットワークユニットのラウンドトリップタイムを推定する。
【０１４４】
光回線終端装置は信号振幅検出、信号クロック復元を完了し、繰り返し区切りを識別してアップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行い、正確なＦＥＣデータを取得する。
【０１４５】
光回線終端装置は推定された登録光ネットワークユニットのラウンドトリップタイムに基づいて、後続の帯域幅割当プロセスで登録光ネットワークユニットに対して正確なクワイエットウインドウをオープンし、登録光ネットワークユニットは該クワイエットウインドウ内で自機の認証情報を送信できる。
【０１４６】
光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。ここでは、クワイエットウインドウは割り当てられていない空き帯域幅であってもよく、光回線終端装置が全体帯域幅割当アルゴリズムで取得した空き帯域幅であってもよい。
【０１４７】
光回線終端装置は必要に応じて、ほかの登録を完了していない光ネットワークユニットの登録を行うことができる。
【０１４８】
場合５、この選択可能な実施例では、登録光ネットワークユニットにより送信される登録信号は動作光ネットワークユニットにより送信されるアップリンクデータフレームと衝突し、動作光ネットワークユニットにより送信されるアップリンクデータフレーム中のプリアンブル及び繰り返し区切りに誤りが発生することを引き起こす。
【０１４９】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０１５０】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０１５１】
登録光ネットワークユニットは、光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０１５２】
動作光ネットワークユニットはノイズウィンドウ内の割り当てられた帯域幅を取得し、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それによりノイズウィンドウ内の割り当てられた帯域幅内でアップリンクデータフレームを送信する。
【０１５３】
光回線終端装置は、動作光ネットワークユニットにより送信されるアップリンクデータフレームをノイズウィンドウ内で受信し、プリアンブルを処理して信号振幅を取得し、信号クロックを復元し、一部のプリアンブルが固定ビットシーケンスに一致しない位置を検出し、延長変更済み区切り中の少なくとも１つの正確な部分を識別し、延長変更済み区切りに誤りが発生する位置を検出し、そのうちの一方又は両方に基づいて登録信号に衝突による誤りが発生する位置を大まかに推定し、その後、該誤り発生位置、登録光ネットワークユニットが登録情報を送信する遅延時間（ある場合）に基づいて登録光ネットワークユニットのラウンドトリップタイムを推定する。
【０１５４】
さらにアップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行う。
【０１５５】
光回線終端装置は推定された登録光ネットワークユニットのラウンドトリップタイムに基づいて、後続の帯域幅割当プロセスで登録光ネットワークユニットに対して正確なクワイエットウインドウをオープンし、登録光ネットワークユニットは該クワイエットウインドウ内で自機の認証情報を送信でき、光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。
【０１５６】
ここでは、クワイエットウインドウは割り当てられていない空き帯域幅であってもよく、光回線終端装置が全体帯域幅割当アルゴリズムで取得した空き帯域幅であってもよい。
【０１５７】
光回線終端装置は必要に応じて、ほかの登録を完了していない光ネットワークユニットの登録を行うことができる。
【０１５８】
場合６、この選択可能な実施例では、登録光ネットワークユニットにより送信される登録信号は動作光ネットワークユニットにより送信されるアップリンクデータフレームと衝突し、動作光ネットワークユニットにより送信されるアップリンクデータフレーム中の繰り返し区切り、ペイロードに誤りが発生することを引き起こす。
【０１５９】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０１６０】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０１６１】
登録光ネットワークユニットは、光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０１６２】
動作光ネットワークユニットはノイズウィンドウ内の割り当てられた帯域幅を取得し、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それにより、ノイズウィンドウ内の割り当てられた帯域幅内でアップリンクデータフレームを送信する。
【０１６３】
光回線終端装置は、動作光ネットワークユニットにより送信されるアップリンクデータフレームをノイズウィンドウ内で受信し、プリアンブルを処理して信号振幅を取得し、信号クロックを復元し、延長変更済み区切りの前部の少なくとも１つの正確な部分を識別し、アップリンクデータフレームのペイロード開始点を算出し、延長変更済み区切りの誤り発生位置に基づいて、登録情報と衝突する位置を大まかに推定し、アップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行い、正確なＦＥＣデータを取得する。
【０１６４】
複数の独立したＦＥＣブロック内に誤りが検出して特定された場合、複数の独立したＦＥＣブロック内の誤りを関連付け、動作光ネットワークユニットにより送信されるアップリンクデータフレームに誤りが発生する位置を特定し、繰り返し区切りにより推定された登録信号位置及びペイロードの誤り発生位置のうちの少なくとも一方、登録光ネットワークユニットが登録情報を送信する遅延時間（ある場合）を組み合わせて、登録光ネットワークユニットのラウンドトリップタイムを推定する。
【０１６５】
光回線終端装置は推定された登録光ネットワークユニットのラウンドトリップタイムに基づいて、後続の帯域幅割当プロセスで登録光ネットワークユニットに対して正確なクワイエットウインドウをオープンし、登録光ネットワークユニットは該クワイエットウインドウ内で自機の認証情報を送信できる。
【０１６６】
光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。
【０１６７】
ここでは、クワイエットウインドウは割り当てられていない空き帯域幅であってもよく、光回線終端装置が全体帯域幅割当アルゴリズムで取得した空き帯域幅であってもよい。
【０１６８】
光回線終端装置は必要に応じて、ほかの登録を完了していない光ネットワークユニットの登録を行うことができる。
【０１６９】
場合７、この選択可能な実施例では、登録光ネットワークユニットにより送信される登録信号の一部は動作光ネットワークユニットにより送信されるアップリンクデータフレームと衝突し、動作光ネットワークユニットにより送信されるアップリンクデータフレーム中のペイロードに誤りが発生することを引き起こし、一部は空き帯域幅内にある。
【０１７０】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０１７１】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０１７２】
登録光ネットワークユニットは、光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０１７３】
動作光ネットワークユニットはノイズウィンドウ内の割り当てられた帯域幅を取得し、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それにより、ノイズウィンドウ内の割り当てられた帯域幅内でアップリンクデータフレームを送信する。
【０１７４】
光回線終端装置は、動作光ネットワークユニットにより送信されるアップリンクデータフレームをノイズウィンドウ内で受信し、プリアンブルを処理して信号振幅を取得し、信号クロックを復元し、延長変更済み区切りを識別してアップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行い、正確なＦＥＣデータを取得する。
【０１７５】
複数の独立したＦＥＣブロック内に誤りが検出して特定された場合、複数の独立したＦＥＣブロック内の誤りを関連付け、動作光ネットワークユニットにより送信されるアップリンクデータフレームに誤りが発生する位置を特定する。
【０１７６】
アップリンクデータフレームの後の空き帯域幅内で登録情報を検出し、ＦＥＣブロックのインターリーブに誤りが発生する位置、登録光ネットワークユニットが登録情報を送信する遅延時間（ある場合）を組み合わせて、登録光ネットワークユニットのラウンドトリップタイムを推定し、光回線終端装置は推定された登録光ネットワークユニットのラウンドトリップタイムに基づいて、後続の帯域幅割当プロセスで登録光ネットワークユニットに対して正確なクワイエットウインドウをオープンし、登録光ネットワークユニットは該クワイエットウインドウ内で自機の認証情報を送信できる。
【０１７７】
光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。ここでは、クワイエットウインドウは割り当てられていない空き帯域幅であってもよく、光回線終端装置が全体帯域幅割当アルゴリズムで取得した空き帯域幅であってもよい。
【０１７８】
光回線終端装置は必要に応じて、ほかの登録を完了していない光ネットワークユニットの登録を行うことができる。
【０１７９】
さらに、本発明の別の選択可能な実施例では、光ネットワークユニット登録メカニズムを簡略化するために、アップリンクデータフレームに誤りが発生する場合、誤り訂正のみを行い、衝突信号の位置を判断せず、空き帯域幅内のみで登録信号を検出する。空き帯域幅で登録信号が検出されていない場合、ノイズウィンドウ内の帯域幅割当を調整して、光ネットワークユニットを再登録する。
【０１８０】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０１８１】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０１８２】
登録光ネットワークユニットは光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０１８３】
動作光ネットワークユニットはノイズウィンドウ内の割り当てられた帯域幅を取得し、割り当てられた帯域幅のサイズに一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それにより、ノイズウィンドウ内の割り当てられた帯域幅内でアップリンクデータフレームを送信する。
【０１８４】
光回線終端装置は動作光ネットワークユニットにより送信されるアップリンクデータフレームをノイズウィンドウ内で受信し、延長プリアンブルに対してフォールトトレランス、誤り訂正処理を行い、信号振幅を取得し、信号クロックを復元し、延長変更済み区切りに対してフォールトトレランス、誤り訂正処理を行った後、繰り返し区切りの一部又は全部を識別し、アップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行い、正確なＦＥＣデータを取得する。
【０１８５】
光回線終端装置はノイズウィンドウの空き帯域幅内で登録信号を検出し、空き帯域幅内での登録信号の位置を推定する。
【０１８６】
たとえば、光モジュールはノイズウィンドウの空き帯域幅内で信号検出プロンプトを出力する。光回線終端装置は、信号検出プロンプトの位置、登録光ネットワークユニットが登録情報を送信する遅延時間（ある場合）に基づいて登録光ネットワークユニットと光回線終端装置の論理距離を推定する。光回線終端装置は推定された登録光ネットワークユニットのラウンドトリップタイムに基づいて、後続の帯域幅割当プロセスで登録光ネットワークユニットに対して正確なクワイエットウインドウをオープンする。登録光ネットワークユニットは該クワイエットウインドウ内で自機の認証情報を送信できる。
【０１８７】
光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。ここでは、クワイエットウインドウは割り当てられていない空き帯域幅であってもよく、光回線終端装置が全体帯域幅割当アルゴリズムで取得した空き帯域幅であってもよい。
【０１８８】
光回線終端装置は必要に応じて、ほかの登録を完了していない光ネットワークユニットの登録を行うことができる。
【０１８９】
さらに、本発明の別の選択可能な実施例では、アップリンクデータフレームに誤りが発生する場合、誤り訂正を行い、誤り訂正位置に基づいて衝突信号の位置を判断し、空き帯域幅内でも登録信号を検出する。空き帯域幅にもアップリンクデータフレームにも登録信号が検出されてない場合、ノイズウィンドウ内の帯域幅割当を調整して、光ネットワークユニットを再登録する。
【０１９０】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０１９１】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０１９２】
登録光ネットワークユニットは、光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０１９３】
動作光ネットワークユニットはノイズウィンドウ内の割り当てられた帯域幅を取得し、サイズが割り当てられた帯域幅に一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それにより、ノイズウィンドウ内の割り当てられた帯域幅内でアップリンクデータフレームを送信する。
【０１９４】
光回線終端装置は、動作光ネットワークユニットにより送信されるアップリンクデータフレームをノイズウィンドウ内で受信し、延長プリアンブルに対してフォールトトレランス、誤り訂正処理を行い、信号振幅を取得し、信号クロックを復元し、延長プリアンブルに対して誤り訂正処理を行った場合、登録信号位置を取得し、延長変更済み区切りに対してフォールトトレランス、誤り訂正処理を行った後、延長変更済み区切りを識別する。
【０１９５】
延長変更済み区切りに対して誤り訂正処理を行った場合、登録信号位置を取得し、延長変更済み区切りに基づいてアップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行い、正確なＦＥＣデータを取得する。
【０１９６】
複数のＦＥＣブロックに対して誤り訂正処理を行った場合、誤り訂正処理に基づいて登録信号位置を取得する。その後、延長プリアンブルの誤り訂正処理、延長変更済み区切りの誤り訂正処理、ペイロードの誤り訂正処理により取得された登録信号位置をまとめて、該誤り発生位置、登録光ネットワークユニットが登録情報を送信する遅延時間（ある場合）に基づいて登録光ネットワークユニットのラウンドトリップタイムを推定する。
【０１９７】
光回線終端装置は推定された登録光ネットワークユニットのラウンドトリップタイムに基づいて、後続の帯域幅割当プロセスで登録光ネットワークユニットに対して正確なクワイエットウインドウをオープンする。登録光ネットワークユニットは該クワイエットウインドウ内で自機の認証情報を送信できる。
【０１９８】
光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。ここでは、クワイエットウインドウは割り当てられていない空き帯域幅であってもよく、光回線終端装置が全体帯域幅割当アルゴリズムで取得した空き帯域幅であってもよい。
【０１９９】
光回線終端装置はノイズウィンドウの空き帯域幅内で登録信号を検出し、空き帯域幅内での登録信号の位置を推定する。
【０２００】
たとえば、光モジュールはノイズウィンドウの空き帯域幅内で信号検出プロンプトを出力する。光回線終端装置は、信号検出プロンプトの位置、登録光ネットワークユニットが登録情報を送信する遅延時間（ある場合）に基づいて登録光ネットワークユニットと光回線終端装置の論理距離を推定する。
【０２０１】
光回線終端装置は推定された登録光ネットワークユニットのラウンドトリップタイムに基づいて、後続の帯域幅割当プロセスで登録光ネットワークユニットに対して正確なクワイエットウインドウをオープンする。登録光ネットワークユニットは該クワイエットウインドウ内で自機の認証情報を送信できる。光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。
【０２０２】
ここでは、クワイエットウインドウは割り当てられていない空き帯域幅であってもよく、光回線終端装置が全体帯域幅割当アルゴリズムで取得した空き帯域幅であってもよい。
【０２０３】
光回線終端装置は必要に応じて、ほかの登録を完了していない光ネットワークユニットの登録を行うことができる。
【０２０４】
オプションとして、前記方法は、以下の実行ステップをさらに含んでもよい。
【０２０５】
ステップＳ３５、第２光ネットワークユニットの第１距離情報を取得する。
【０２０６】
オプションとして、ステップＳ３５では、第２光ネットワークユニットの第１距離情報を取得した後、以下の実行ステップをさらに含んでもよい。
【０２０７】
ステップＳ３６、第１距離情報に基づいて第２光ネットワークユニットに対して第２時間ウィンドウをオープンし、第２光ネットワークユニットの登録を完了し、第２時間ウィンドウは第２光ネットワークユニットの認証情報を取得し、光回線終端装置と第２光ネットワークユニットとの第２距離情報を測定することに用いられる。
【０２０８】
動作光ネットワークユニットはノイズウィンドウ内の割り当てられた帯域幅内でデータを送信し、登録光ネットワークユニットにより送信される登録信号と衝突して損傷を受ける可能性がある。したがって、動作光ネットワークユニットがノイズウィンドウ内で送信するデータに冗長保護を行う必要があり、それにより、これらのデータが衝突による損傷を受けたとしても、光回線終端装置はこれらのデータを復元できる。
【０２０９】
登録光ネットワークユニットにより送信される登録信号が動作光ネットワークユニットにより送信されるアップリンクデータと衝突する場合、光回線終端装置は冗長保護措置によって、衝突を受けた動作光ネットワークユニットにより送信されるアップリンクデータを復元し、衝突位置を特定し、光ネットワークユニットのラウンドトリップタイム（Ｒｏｕｎｄ  Ｔｒｉｐ  Ｔｉｍｅ、略称：ＲＴＴ）を初歩的に取得し、光回線終端装置は該ラウンドトリップタイムにより決定された初期距離情報（即ち、前記第１距離情報）に基づいて登録光ネットワークユニットに対して小さなクワイエットウインドウ（前記第２時間ウィンドウに相当する）をオープンし、登録光ネットワークユニットの情報を取得し、高精度の距離測定を行い、光回線終端装置と第２光ネットワークユニットの高精度の距離情報（即ち、前記第２距離情報）を取得する。
【０２１０】
登録光ネットワークユニットは光回線終端装置からの高精度の距離測定命令を受信した後、光回線終端装置に自機の認証情報を送信する。
【０２１１】
また、登録光ネットワークユニットにより送信される登録信号が完全にノイズウィンドウ内の割り当てられていない帯域幅（前記第２部分帯域幅に相当する）内にある場合、光回線終端装置は登録信号を検出し、光ネットワークユニットのラウンドトリップタイムを初歩的に取得し、光回線終端装置は該ラウンドトリップタイムにより決定された初期距離情報（即ち、前記第１距離情報）基づいて登録光ネットワークユニットに対して小さなクワイエットウインドウ（前記第２時間ウィンドウに相当する）をオープンし、登録光ネットワークユニットの情報を取得し、高精度の距離測定を行い、光回線終端装置と第２光ネットワークユニットの高精度の距離情報（即ち、前記第２距離情報）を取得する。登録光ネットワークユニットは光回線終端装置からの高精度の距離測定命令を受信した後、光回線終端装置に自機の認証情報を送信する。
【０２１２】
以下、選択可能な実施例を参照しながら、登録信号が空き帯域幅内で光回線終端装置に到達することをさらに詳細に説明する。
【０２１３】
この選択可能な実施例では、登録信号は空き帯域幅内で光回線終端装置に到達する。登録光ネットワークユニットにより送信される登録信号はノイズウィンドウ内の空き帯域幅内で光回線終端装置に到達し、動作光ネットワークユニットにより送信されるアップリンクデータフレームと衝突しない。
【０２１４】
説明を簡略化するために、この選択可能な実施例では、光ネットワークユニット認証情報ライブラリは光回線終端装置に記憶されている。光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０２１５】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含む。また、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０２１６】
登録光ネットワークユニットは光回線終端装置により送信される登録要求を受信した後、その中の光ネットワークユニット認証情報、遅延時間（登録要求が該情報を含む場合）を解析し、自機の認証情報が登録要求中の光ネットワークユニット認証情報に一致するか否かを判断する。一致する場合、直接又は指定する遅延時間待機した後、登録要求に応答し、光回線終端装置に登録信号を送信する。
【０２１７】
動作光ネットワークユニットはノイズウィンドウ内の割り当てられた帯域幅を取得し、サイズが割り当てられた帯域幅に一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、それにより、ノイズウィンドウ内の割り当てられた帯域幅内でアップリンクデータフレームを送信する。
【０２１８】
光回線終端装置はノイズウィンドウの空き帯域幅内で登録信号を検出し、空き帯域幅内での登録信号の位置を推定する。
【０２１９】
たとえば、光モジュールはノイズウィンドウの空き帯域幅内で信号検出プロンプトを出力する。光回線終端装置は、信号検出プロンプトの位置、登録光ネットワークユニットが登録情報を送信する遅延時間（ある場合）に基づいて登録光ネットワークユニットと光回線終端装置の論理距離を推定する。
【０２２０】
光回線終端装置は推定された登録光ネットワークユニットのラウンドトリップタイムに基づいて、後続の帯域幅割当プロセスで登録光ネットワークユニットに対して正確なクワイエットウインドウをオープンする。登録光ネットワークユニットは該クワイエットウインドウ内で自機の認証情報を送信できる。光回線終端装置は該クワイエットウインドウ内で登録光ネットワークユニットの認証情報を取得でき、該光ネットワークユニットに対して距離測定を行い、該光ネットワークユニットと光回線終端装置は協力してさらに登録プロセスを完了する。
【０２２１】
ここでは、クワイエットウインドウは割り当てられていない空き帯域幅であってもよく、光回線終端装置が全体帯域幅割当アルゴリズムで取得した空き帯域幅であってもよい。
【０２２２】
光回線終端装置は必要に応じて、ほかの登録を完了していない光ネットワークユニットの登録を行うことができる。
【０２２３】
本発明の選択可能な実施例では、光回線終端装置は、登録光ネットワークユニットにより送信される登録信号が検出されていない場合、ノイズウィンドウ内の動作光ネットワークユニットに割り当てられた帯域幅及び割り当てられていないアップリンク帯域幅を調整し、それにより登録光ネットワークユニットは登録信号を再送信し、又は光回線終端装置は登録光ネットワークユニットをランダムに遅延させた後、登録信号を送信し、又は光回線終端装置は該光ネットワークユニットの登録を一時的に停止し、まず、ほかの光ネットワークユニットを登録した後に、該光ネットワークユニットの登録を再開し、又は所定時間待機した後、光回線終端装置は該光ネットワークユニットの登録を再開する。
【０２２４】
以下、選択可能な実施例を参照しながら、複数種の場合に分けて光回線終端装置により登録信号が検出されていないことをさらに詳細に説明する。
【０２２５】
場合１、登録信号は動作データフレームと重なるが、動作データフレームに影響しない。
【０２２６】
該実施例では、登録光ネットワークユニットにより送信される登録信号は動作光ネットワークユニットにより送信されるアップリンクデータフレームと重なるが、動作光ネットワークユニットにより送信されるアップリンクデータフレームに影響しない。
【０２２７】
説明を簡略化するために、本実施例では、光ネットワークユニット認証情報ライブラリは光回線終端装置に記憶されており、光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０２２８】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含み、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０２２９】
登録光ネットワークユニットは光回線終端装置により送信される登録要求を受信した後、そのうちの光ネットワークユニット認証情報、遅延時間（登録要求が該情報を含む場合）を解析し、自機の認証情報が登録要求中の光ネットワークユニット認証情報に一致するか否かを判断し、一致する場合、直接又は指定する遅延時間待機した後、登録要求に応答し、光回線終端装置に登録信号を送信する。
【０２３０】
動作光ネットワークユニットはノイズウィンドウ内の割り当てられた帯域幅を取得し、サイズが割り当てられた帯域幅に一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、最後に、ノイズウィンドウ内の割り当てられた帯域幅内でアップリンクデータフレームを送信する。
【０２３１】
登録光ネットワークユニットにより送信される登録信号は動作光ネットワークユニットにより送信される動作データフレームと重なるが、動作データフレームに影響せず、光回線終端装置は動作データフレームを正確に解析でき、誤りが検出されていない。光回線終端装置は、動作光ネットワークユニットにより送信されるアップリンクデータフレームをノイズウィンドウ内で受信し、プリアンブルを処理して信号振幅を取得し、信号クロックを復元し、繰り返し区切りを識別し、アップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行う。
【０２３２】
登録光ネットワークユニットが動作光ネットワークユニットよりも光回線終端装置から遥かに遠い場合、登録信号は動作データフレーム信号よりも遥かに弱く、本実施例における場合が出現する可能性があるが、本実施例及び本発明を限定するものではない。
【０２３３】
光回線終端装置は、ノイズウィンドウの空き帯域幅の位置を調整し又は遅延時間を変更し、該登録光ネットワークユニットを再登録することができ、又は光回線終端装置は該光ネットワークユニットの登録を一時的に停止し、ほかの光ネットワークユニットの登録を完了した後、該光ネットワークユニットを登録することができる。
【０２３４】
場合２、光ネットワークユニットは登録に応答していない。
【０２３５】
該実施例では、登録光ネットワークユニットは光回線終端装置の登録要求に応答しておらず、登録信号を送信していない。
【０２３６】
説明を簡略化するために、本実施例では、光ネットワークユニット認証情報ライブラリは光回線終端装置に記憶されており、光回線終端装置は光ネットワークユニット認証情報ライブラリ中の認証情報に対応する光ネットワークユニットに対して１つずつ登録プロセスを開始し、毎回、そのうちの１つの登録を完了していない光ネットワークユニットに対して登録プロセスを開始する。
【０２３７】
光回線終端装置は登録光ネットワークユニットに登録要求を送信し、登録要求は、たとえば、登録光ネットワークユニットのシリアル番号又は光ネットワークユニットのユーザーの登録シーケンスのような登録光ネットワークユニットの認証情報を含み、登録要求は登録光ネットワークユニットが登録情報を送信する前の所要の遅延時間をさらに含んでもよい。光回線終端装置は動作光ネットワークユニットの帯域幅のニーズを満たすように、さらにノイズウィンドウ内の一部のアップリンク帯域幅を動作光ネットワークユニットに割り当てる。
【０２３８】
登録光ネットワークユニットは光回線終端装置に登録信号を送信しておらず、たとえば、登録光ネットワークユニットは電源がオンしておらず、又は登録光ネットワークユニットは起動中であり、光回線終端装置に応答できず、又は登録光ネットワークユニットは非正常状態で動作し、光回線終端装置に応答できない等である。
【０２３９】
動作光ネットワークユニットはノイズウィンドウ内の割り当てられた帯域幅を取得し、サイズが割り当てられた帯域幅に一致するアップリンクデータフレームを構築し、アップリンクデータフレームのプリアンブルの長さは正常データフレームのプリアンブルの２倍と登録信号の長さとの合計であり、アップリンクデータフレームの区切りは正常区切りを延長変更し、区切りの長さは少なくとも登録信号よりも１つの元の区切りの長さ分大きく、アップリンクデータフレームの区切りの後のペイロードに対してＦＥＣチェックを追加し、ＦＥＣブロックのインターリーブを行い、最後のアップリンクデータフレームを形成し、最後に、ノイズウィンドウ内の割り当てられた帯域幅内でアップリンクデータフレームを送信する。
【０２４０】
光回線終端装置は動作データフレームを正確に解析でき、誤りが検出されておらず、光回線終端装置はノイズウィンドウ内の空き帯域幅内で登録信号が検出されていない。光回線終端装置は、動作光ネットワークユニットにより送信されるアップリンクデータフレームをノイズウィンドウ内で受信し、プリアンブルを処理して信号振幅を取得し、信号クロックを復元し、後続のデータストリームを受信し続け、繰り返し区切りを識別し、アップリンクデータフレームのペイロードを取得し、アップリンクデータフレームのペイロード中のインターリーブされたＦＥＣブロックを、独立したＦＥＣブロックに復元し、独立したＦＥＣブロックに対してチェック・誤り訂正を行う。
【０２４１】
光回線終端装置は、ノイズウィンドウの空き帯域幅の位置を調整し又は遅延時間を変更し、該登録光ネットワークユニットを再登録することができ、又は光回線終端装置は該光ネットワークユニットの登録を一時的に停止し、ほかの光ネットワークユニットの登録を完了した後、該光ネットワークユニットを登録することができる。
【０２４２】
本実施例では、動作光ネットワークユニットにより実行される別の受動光ネットワークシステムのデータ処理方法をさらに提供し、図６は本発明の一実施例に係る別の受動光ネットワークシステムのデータ処理方法のフローチャートであり、図６に示すように、該プロセスは以下のステップを含む。
【０２４３】
ステップＳ６１、光回線終端装置により割り当てられる第１部分帯域幅を取得する。
【０２４４】
ステップＳ６４、第１部分帯域幅内で光回線終端装置に第１データフレームを送信し、所定の条件を満たす場合、光回線終端装置に第２データフレームを送信し、第１データフレームは登録済みで動作状態にある光ネットワークユニットにより送信されるサービスデータフレームであり、第２データフレームは登録を完了していない光ネットワークユニットにより送信される登録信号フレームである。
【０２４５】
選択可能な実施形態では、所定の条件を満たす場合、光回線終端装置に第２データフレームを送信するステップは、以下の方式のいずれかを含んでもよいが、これらに限定されない。
【０２４６】
方式１、第２光ネットワークユニットは、光回線終端装置に第２データフレームを能動的に送信する。
【０２４７】
方式２、第２光ネットワークユニットは、光回線終端装置により送信される登録要求を取得した後、第２データフレームを送信する。
【０２４８】
方式３、第２光ネットワークユニットは、光回線終端装置により送信される登録要求メッセージ及び遅延時間を取得した後、遅延時間待機して第２データフレームを送信する。
【０２４９】
本発明の実施例に係る受動光ネットワークシステムでは、動作光ネットワークユニットは登録光ネットワークユニットの登録中にデータフレームを送信できる。光回線終端装置は登録光ネットワークユニットにより送信される登録信号を空き帯域幅内で検出することができ、登録信号と動作データが衝突する場合、登録信号を検出し、衝突する動作データを復元し、登録光ネットワークユニットと光回線終端装置の距離情報を大まかに推定することもできる。
【０２５０】
受動光ネットワークでは、登録する光ネットワークユニットが存在する場合、動作光ネットワークユニットはデータを送信でき、ノイズウィンドウ内の帯域幅を十分に利用し、帯域幅の利用率を高め、光ネットワークユニットの登録プロセスにおけるノイズウィンドウによる遅延を減らしさらに解消し、それにより受動光ネットワークシステムの伝送遅延を減らす。
【０２５１】
オプションとして、前記ステップの実行主体は動作光ネットワークユニット等であってもよいが、これに限定されない。
【０２５２】
オプションとして、ステップＳ６４では、第１部分帯域幅内で光回線終端装置に第１データフレームを送信する前、以下の実行ステップをさらに含んでもよい。
【０２５３】
ステップＳ６２、光回線終端装置から第１データフレームに対して冗長保護措置を施す通知を取得する。
【０２５４】
ステップＳ６３、第１データフレームに対して冗長保護措置を施す。
【０２５５】
必要に応じて、光回線終端装置は動作光ネットワークユニットにノイズウィンドウ内の帯域幅を割り当てる際に、さらにデータの送信時に冗長保護を行うことを動作光ネットワークユニットに通知する。動作光ネットワークユニットは光回線終端装置により割り当てられるノイズウィンドウ内の帯域幅を受信する。動作光ネットワークユニットはこれらの帯域幅内でデータを送信する時にデータに対して冗長保護を行う必要がある。
【０２５６】
選択可能な実施形態では、光回線終端装置は、ノイズウィンドウ内で動作光ネットワークユニットに正常帯域幅を割り当てることに加えて、追加帯域幅を割り当て、それにより、動作光ネットワークユニットは正常帯域幅内でデータを送信し、正常帯域幅内で送信するデータを追加帯域幅内で繰り返し送信する。
【０２５７】
動作光ネットワークユニットは光回線終端装置により割り当てられるノイズウィンドウ内の正常帯域幅及び冗長帯域幅を受信した後、正常帯域幅内でデータを送信し、正常帯域幅内で送信するデータを冗長帯域幅内で繰り返し送信する。動作光ネットワークユニットは正常帯域幅内でデータを送信し、正常帯域幅内で送信するデータを追加帯域幅内で繰り返し送信し、このように、一方のデータが衝突による損傷を受けたとしても、他方のデータは衝突による損傷を免れており、それにより光回線終端装置は衝突による損傷を免れるデータからアップリンクデータを復元できる。ノイズウィンドウ内の空き帯域幅が多い場合、このような冗長保護措置を採用できる。
【０２５８】
オプションとして、ステップＳ６３では、第１データフレームに対して冗長保護措置を施すステップは、以下の実行ステップを含んでもよい。
【０２５９】
ステップＳ６３１、所定の符号化方式を用いて第１データフレーム中のペイロードを符号化処理し、第２データフレームの損傷範囲は所定の符号化方式の符号化冗長保護ブロックの誤り訂正範囲内にある。
【０２６０】
動作光ネットワークユニットはノイズウィンドウ内で割り当てられる帯域幅内でデータを送信し、ＦＥＣ等の符号化を用いて冗長保護を行う。登録信号の損傷範囲は符号化冗長保護ブロックの誤り訂正範囲内にあり、光回線終端装置は衝突による損傷を受けたデータを復元でき、且つ誤りが発生するビット位置を特定できる。たとえば、ＦＥＣがリード・ソロモンＲＳ（２５５，２２３）を採用する場合、ＦＥＣブロックの誤り訂正能力は（２５５−２２３）／２＝１６バイトである。したがって、登録信号の損傷能力が１６バイト以下である場合、光ネットワークユニットはこのような冗長保護措置を採用できる。
【０２６１】
動作光ネットワークユニットはノイズウィンドウ内で割り当てられる帯域幅内でデータを送信し、ＦＥＣ等の符号化を採用して冗長保護を行い、且つ符号化ブロックをランダムにインターリーブし、衝突が集中する誤りを複数の符号化ブロックに分散させる。
【０２６２】
受信プロセスでは、光回線終端装置は、まず、インターリーブされた符号化ブロックのデインターリーブを行い、各符号化ブロックを復元し、各符号化ブロックに対してそれぞれチェック及び誤り訂正を行い、さらに符号化ブロックのインターリーブを行い、それにより誤りの位置を判断する。
【０２６３】
ＲＳ（２５５，２２３）を例に、各ＦＥＣブロックは２５５バイトであり、２つのＦＥＣブロックのインターリーブ順序は、１番目のＦＥＣブロックの１番目のビット、２番目のＦＥＣブロックの２番目のビット、１番目のＦＥＣブロックの２番目のビット、２番目のＦＥＣブロックの２番目のビット、…１番目のＦＥＣブロックの２５５番目のビット、２番目のＦＥＣブロックの２５５番目のビットであり、１つの５１０バイトのＦＥＣインターリーブブロックを形成する。
【０２６４】
登録信号によるＦＥＣインターリーブブロックの損傷範囲が１６バイトである場合、損傷がＦＥＣインターリーブブロック中の２つのＦＥＣブロックに分散し、各ＦＥＣブロックが８バイトの損傷を受ける。勿論、より多くのＦＥＣブロックのインターリーブを実現でき、且つインターリーブプロセスは１ビットを単位としてもよく、複数のビットを単位としてもよい。ここでは詳細説明をしない。
【０２６５】
オプションとして、ステップＳ６３では、第１データフレームに対して冗長保護措置を施すステップは、以下の実行ステップを含んでもよい。
【０２６６】
ステップＳ６３２、第１データフレーム中のプリアンブルを延長し、衝突の発生時に光回線終端装置が信号振幅検出及び信号クロック復元を行うための延長処理済みのプリアンブルを得る。
【０２６７】
動作光ネットワークユニットにより送信されるデータは１つのバーストデータフレームであり、該データフレームの前部にプリアンブル、区切り等のフィールドがさらに含まれる。プリアンブルは主に光回線終端装置が信号振幅検出及び信号クロック復元を行うことに用いられ、通常、１つの固定ビットシーケンスを繰り返して得られる。
【０２６８】
区切りは光回線終端装置がバーストデータフレームの開始位置を識別することに用いられ、通常、１つの固定のビットシーケンスである。プリアンブルや区切りが損傷を受けると、光回線終端装置は動作光ネットワークユニットにより送信されるアップリンクデータフレームを正確に解析できない可能性があり、したがって、プリアンブル、区切りの冗長保護も必要であり、プリアンブル延長、区切り延長変更等を含む。
【０２６９】
選択可能な実施形態として、プリアンブルを元のプリアンブルの２倍と１つの登録信号の長さとの合計に延長し、登録信号が延長プリアンブルの任意の位置に出現する。光回線終端装置は延長プリアンブルで信号振幅検出及び信号クロック復元を完了でき、光回線終端装置はアップリンクデータフレーム信号検出時点、信号クロック復元完了時点、取得した区切り位置等の情報を組み合わせて登録信号の衝突位置を大まかに判断することができる。
【０２７０】
別の選択可能な実施形態として、光回線終端装置は延長プリアンブルの前部で信号振幅検出を複数回行い、信頼性の高い信号振幅を選択して後続の信号に対してレベル判定を行う。別の選択可能な実施形態として、光回線終端装置は延長プリアンブルで信号振幅検出を完了した後、信号振幅を長時間ロックする。
【０２７１】
オプションとして、ステップＳ６３では、第１データフレームに対して冗長保護措置を施すステップは、以下の実行ステップを含んでもよい。
【０２７２】
ステップＳ６３３、第１データフレーム中の区切りを延長変更し、衝突の発生時に光回線終端装置が少なくとも区切りの一部を識別できるための延長処理済みの区切りを得て、区切りは光回線終端装置が第１データフレームの開始位置を識別することに用いられる。
【０２７３】
動作光ネットワークユニットは、少なくとも登録信号よりも１つの元の区切り長さ分大きくなるまで、元の区切りを複数回変更して繰り返すことができ、登録信号と繰り返し区切りとの衝突がどの位置に出現するかにかかわらず、光回線終端装置は少なくとも１つの正確な部分を検索でき、それにより、検索した少なくとも１つの正確な部分に基づいて、登録信号の衝突位置を大まかに判断できる。
【０２７４】
以上の実施形態についての説明を通じて、当業者は、前記実施例に係る方法はソフトウェアと必要な汎用ハードウェアプラットフォームの形態によって実現でき、勿論、ハードウェアによって実現できるが、多くの場合、前者は好ましい実施形態であることを明確に理解できる。この理解に基づいて、本発明の技術案は本質的には、又は従来技術に貢献する部分はソフトウェア製品の形態で具現化でき、該コンピュータソフトウェア製品は記憶媒体（たとえば、ＲＯＭ／ＲＡＭ、磁気ディスク、光ディスク）に記憶され、端末装置（たとえば、携帯電話、コンピュータ、サーバ、又はネットワーク装置等）に本発明の各実施例に記載の方法を実行させるための複数の命令を含む。
【０２７５】
実施例２
本実施例では、受動光ネットワークシステムのデータ処理装置をさらに提供し、該装置は前記実施例及び好ましい実施形態を実現することに用いられ、説明されたことについて、重複説明をしない。以下で使用される「モジュール」のような用語は、所定の機能を実現できるソフトウェア及び／又はハードウェアの組み合わせである。以下の実施例で説明される装置は好ましくはソフトウェアによって実現されるが、ハードウェア、又はソフトウェアとハードウェアの組み合わせによる実現も可能であり、且つ想到される。
【０２７６】
図７は本発明の一実施例に係る受動光ネットワークシステムのデータ処理装置の構造ブロック図であり、図７に示すように、該装置は、第１時間ウィンドウ内で、登録済みで動作状態にある第１光ネットワークユニットに第１部分帯域幅を割り当てるように構成される割当モジュール１０と、第１部分帯域幅の対応する時間内に第１光ネットワークユニットからの第１データフレームを受信し、第１時間ウィンドウ内で、登録を完了していない第２光ネットワークユニットからの第２データフレームを検出するように構成される処理モジュール２０と、を備える。
【０２７７】
オプションとして、処理モジュール２０は、第１時間ウィンドウ内の第１部分帯域幅を除く第２部分帯域幅内で第２光ネットワークユニットからの第２データフレームを検出するように構成される。
【０２７８】
オプションとして、処理モジュール２０は、第１光ネットワークユニットが第１データフレームに対して施した冗長保護措置を利用して、第１データフレームを取得するように構成される。
【０２７９】
オプションとして、処理モジュール２０はさらに、第１光ネットワークユニットが第１データフレームに対して施した冗長保護措置を利用して第１データフレームに誤りが発生したことが識別された場合、第２データフレームと第１データフレームの衝突位置を取得するように構成される。
【０２８０】
オプションとして、図８は本発明の選択可能な実施例に係る受動光ネットワークシステムのデータ処理装置の構造ブロック図であり、図８に示すように、図７に示すすべてのモジュールに加えて、該装置は、後続の第１時間ウィンドウ内で第１部分帯域幅を割り当て、第１部分帯域幅の対応する時間は衝突位置を含まず、第１時間ウィンドウ内で第２光ネットワークユニットからの第２データフレームを検出し、衝突位置を再特定するように構成される特定モジュール３０をさらに備える。
【０２８１】
オプションとして、図８は本発明の選択可能な実施例に係る受動光ネットワークシステムのデータ処理装置の構造ブロック図であり、図８に示すように、図７に示すすべてのモジュールに加えて、該装置は、第２光ネットワークユニットの第１距離情報を取得するように構成される取得モジュール４０をさらに備える。
【０２８２】
オプションとして、図８は本発明の選択可能な実施例に係る受動光ネットワークシステムのデータ処理装置の構造ブロック図であり、図８に示すように、図７に示すすべてのモジュールに加えて、該装置は、第１距離情報に基づいて第２光ネットワークユニットに対して第２時間ウィンドウをオープンし、第２光ネットワークユニットの登録を完了するように構成される登録モジュール５０をさらに備え、第２時間ウィンドウは第２光ネットワークユニットの認証情報を取得し、光回線終端装置と第２光ネットワークユニットとの第２距離情報を測定することに用いられる。
【０２８３】
オプションとして、図８は本発明の選択可能な実施例に係る受動光ネットワークシステムのデータ処理装置の構造ブロック図であり、図８に示すように、図７に示すすべてのモジュールに加えて、該装置は、第１データフレームに対して冗長保護措置を施すことを第１光ネットワークユニットに通知するように構成される通知モジュール６０をさらに備える。
【０２８４】
オプションとして、処理モジュール２０はさらに、第１光ネットワークユニットが第１データフレームのペイロードに対して採用した所定の符号化方式によって第１データフレームに誤りが発生したことが検出された場合、第１データフレームを復元し、衝突位置を特定するように構成され、第２データフレームと第１データフレームが衝突する損傷範囲は所定の符号化方式の符号化冗長保護ブロックの誤り訂正範囲内にある。
【０２８５】
オプションとして、処理モジュール２０はさらに、第１光ネットワークユニットにより延長処理されたプリアンブルに対して信号振幅検出と信号クロック復元を行い、信号振幅及び／又は信号クロックに異常が発生したことが検出された場合、信号振幅及び／又は信号クロックを復元し、衝突位置を特定するように構成される。
【０２８６】
オプションとして、処理モジュール２０はさらに、第１光ネットワークユニットにより延長変更処理された区切りから誤りが検出された場合、区切り中の少なくとも１つの部分を正確に識別し、区切りに誤りが発生する位置を取得し、衝突位置を特定し、ペイロードの開始位置を取得するように構成される。
【０２８７】
オプションとして、図８は本発明の選択可能な実施例に係る受動光ネットワークシステムのデータ処理装置の構造ブロック図であり、図８に示すように、図７に示すすべてのモジュールに加えて、該装置は、第２光ネットワークユニットに登録要求メッセージを送信するように構成される送信モジュール７０をさらに備え、登録要求メッセージは、第２データフレームの送信を第２光ネットワークユニットに通知するように構成され、登録要求メッセージには少なくとも第１認証情報が含まれている。
【０２８８】
オプションとして、図８は本発明の選択可能な実施例に係る受動光ネットワークシステムのデータ処理装置の構造ブロック図であり、図８に示すように、図７に示すすべてのモジュールに加えて、該装置は、認証情報に基づいて第２光ネットワークユニットの登録プロセスを開始するように、第１光ネットワークユニットと第２光ネットワークユニットの認証情報を記憶するように構成される記憶モジュール８０をさらに備え、認証情報は各光ネットワークユニットの身元情報及び／又は光ネットワークユニットのユーザーの身元情報を含む。
【０２８９】
オプションとして、登録要求メッセージには、遅延時間を待機した後に第２データフレームを送信することを第２光ネットワークユニットに指示するための遅延時間がさらに含まれている。
【０２９０】
図９は本発明の一実施例に係る別の受動光ネットワークシステムのデータ処理装置の構造ブロック図であり、図９に示すように、該装置は、光回線終端装置により割り当てられる第１部分帯域幅を取得するように構成される取得モジュール９０と、第１部分帯域幅内で光回線終端装置に第１データフレームを送信し、所定の条件を満たす場合、光回線終端装置に第２データフレームを送信するように構成される処理モジュール９２と、を備え、第１データフレームは登録済みで動作状態にある光ネットワークユニットにより送信されるサービスデータフレームであり、第２データフレームは登録を完了していない光ネットワークユニットにより送信される登録信号フレームである。
【０２９１】
オプションとして、図１０は本発明の選択可能な実施例に係る別の受動光ネットワークシステムのデータ処理装置の構造ブロック図であり、図１０に示すように、図９に示すすべてのモジュールに加えて、該装置は、光回線終端装置から第１データフレームに対して冗長保護措置を施す通知を取得するように構成される取得モジュール９４と、通知メッセージに応答して、第１データフレームに対して冗長保護措置を施すように構成される保護モジュール９６と、をさらに備える。
【０２９２】
オプションとして、保護モジュール９６は、所定の符号化方式を用いて第１データフレーム中のペイロードを符号化処理するように構成され、第２データフレームの損傷範囲は所定の符号化方式の符号化冗長保護ブロックの誤り訂正範囲内にある。
【０２９３】
オプションとして、保護モジュール９６は、第１データフレーム中のプリアンブルを延長し、衝突の発生時に光回線終端装置が信号振幅検出及び信号クロック復元を行うための延長処理済みのプリアンブルを得るように構成される。
【０２９４】
オプションとして、保護モジュール９６は、第１データフレーム中の区切りを延長変更し、衝突の発生時に光回線終端装置が少なくとも区切りの一部を識別できるための延長処理済みの区切りを得るように構成され、区切りは光回線終端装置が第１データフレームの開始位置を識別することに用いられる。
【０２９５】
オプションとして、処理モジュール９２は、所定の条件を満たす場合、光回線終端装置に第２データフレームを送信するステップは、光回線終端装置に第２データフレームを能動的に送信するステップ、光回線終端装置により送信される登録要求メッセージを取得した後、第２データフレームを送信するステップ、及び光回線終端装置により送信される登録要求メッセージ及び遅延時間を取得した後、遅延時間待機して第２データフレームを送信するステップのうちのいずれかを含むように構成される。
【０２９６】
なお、前記各モジュールはソフトウェア又はハードウェアによって実現でき、後者の場合、以下の形態によって実現できるが、これらに限定されない。前記モジュールはいずれも同一プロセッサに位置し、又は、前記各モジュールは任意の組み合わせの形態でそれぞれ異なるプロセッサに位置する。
【０２９７】
実施例３
本発明の実施例は記憶媒体をさらに提供し、該記憶媒体にはコンピュータプログラムが記憶されており、該コンピュータプログラムは、実行されると、前記方法実施例のいずれかにおけるステップを実行するように構成される。
【０２９８】
オプションとして、本実施例では、前記記憶媒体は、以下のステップを実行するためのコンピュータプログラムを記憶するように構成されてもよい。
【０２９９】
ステップＳ１、第１時間ウィンドウ内で、登録済みで動作状態にある第１光ネットワークユニットに第１部分帯域幅を割り当てる。
【０３００】
ステップＳ２、第１部分帯域幅の対応する時間内に第１光ネットワークユニットからの第１データフレームを受信し、第１時間ウィンドウ内で、登録を完了していない第２光ネットワークユニットからの第２データフレームを検出する。
【０３０１】
オプションとして、本実施例では、前記記憶媒体はさらに、以下のステップを実行するためのコンピュータプログラムを記憶するように構成されてもよい。
【０３０２】
ステップＳ１、光回線終端装置により割り当てられる第１部分帯域幅を取得する。
【０３０３】
ステップＳ２、第１部分帯域幅内で光回線終端装置に第１データフレームを送信し、所定の条件を満たす場合、光回線終端装置に第２データフレームを送信し、第１データフレームは登録済みで動作状態にある光ネットワークユニットにより送信されるサービスデータフレームであり、第２データフレームは登録を完了していない光ネットワークユニットにより送信される登録信号フレームである。
【０３０４】
オプションとして、本実施例では、前記記憶媒体は、Ｕディスク、読み出し専用メモリ（Ｒｅａｄ−Ｏｎｌｙ  Ｍｅｍｏｒｙ、略称：ＲＯＭ）、ランダムアクセスメモリ（Ｒａｎｄｏｍ  Ａｃｃｅｓｓ  Ｍｅｍｏｒｙ、略称：ＲＡＭ）、モバイルハードディスク、磁気ディスク又は光ディスクなどコンピュータプログラムを記憶できる様々な媒体を含んでもよいが、これらに限定されない。
【０３０５】
実施例４
本発明の実施例は電子装置をさらに提供し、メモリ及びプロセッサを備え、該メモリにはコンピュータプログラムが記憶されており、該プロセッサは、コンピュータプログラムを実行して前記方法実施例のいずれかにおけるステップを実行するように構成される。
【０３０６】
オプションとして、前記電子装置は伝送装置及び入力出力装置をさらに備えてもよく、該伝送装置は前記プロセッサに接続され、該入力出力装置は前記プロセッサに接続される。
【０３０７】
オプションとして、本実施例では、前記プロセッサは、コンピュータプログラムによって以下のステップを実行するように構成されてもよい。
【０３０８】
ステップＳ１、第１時間ウィンドウ内で、登録済みで動作状態にある第１光ネットワークユニットに第１部分帯域幅を割り当てる。
【０３０９】
ステップＳ２、第１部分帯域幅の対応する時間内に第１光ネットワークユニットからの第１データフレームを受信し、第１時間ウィンドウ内で、登録を完了していない第２光ネットワークユニットからの第２データフレームを検出する。
【０３１０】
オプションとして、本実施例では、前記プロセッサはさらに、コンピュータプログラムによって以下のステップを実行するように構成されてもよい。
【０３１１】
ステップＳ１、光回線終端装置により割り当てられる第１部分帯域幅を取得する。
【０３１２】
ステップＳ２、第１部分帯域幅内で光回線終端装置に第１データフレームを送信し、所定の条件を満たす場合、光回線終端装置に第２データフレームを送信し、第１データフレームは登録済みで動作状態にある光ネットワークユニットにより送信されるサービスデータフレームであり、第２データフレームは登録を完了していない光ネットワークユニットにより送信される登録信号フレームである。
【０３１３】
オプションとして、本実施例における具体例は、前記実施例及び選択可能な実施形態で説明された例を参照でき、本実施例では重複説明をしない。
【０３１４】
明らかなように、当業者は、前記本発明の各モジュール又は各ステップは汎用コンピューティング装置によって実現でき、１つのコンピューティング装置に集中し、又は複数のコンピューティング装置からなるネットワークに分散してもよいことを理解すべきであり、オプションとして、コンピューティング装置によって実行可能なプログラムコードで実現でき、それにより、記憶装置に記憶されコンピューティング装置により実行され、場合によっては、示される又は説明されるステップをここでの順序と異なる順序で実行し、又は、それらを集積回路モジュールとして個別に作製する、又は、複数のモジュール又はステップを１つの集積回路モジュールとして作製することによって実現できる。
【０３１５】
このように、本発明は特定のハードウェアとソフトウェアの組み合わせに限定されない。
【０３１６】
以上、本発明の好ましい実施例を説明したが、本発明を限定するものではなく、当業者であれば、本発明に対して種々の変更や変形を行うことができる。本発明の原則を逸脱せずに行われる変更、同等置換、改良等はすべて本発明の保護範囲に属する。
【国際調査報告】
2022502906.tif 000013
2022502906.tif 000014
2022502906.tif 000015
2022502906.tif 000016